(57)【特許請求の範囲】
【請求項１】
行列状に配置された複数の画素を有する画素配列と、
前記画素配列において、第１方向に延在し、前記第１方向とは交差する第２方向に配列された複数の駆動電極と、
前記第２方向に沿った前記画素配列の辺のうち一方の辺に沿って配置され、前記複数の駆動電極から選択された駆動電極間を接続する切換回路と、
前記第２方向に沿った前記画素配列の辺のうち他方の辺に沿って配置され、外部検出物体を検出するとき、前記複数の駆動電極から選択された駆動電極に駆動信号と所定の電圧を供給する選択駆動回路と、
を備え、
前記複数の駆動電極は、第１駆動電極と、前記第２方向において前記第１駆動電極と隣接して配置された第２駆動電極と、第３駆動電極と、前記第２方向において前記第３駆動電極と隣接して配置された第４駆動電極とを備え、前記第２方向において近接する前記第２駆動電極と前記第３駆動電極との間には、所定の数の駆動電極が配置され、
前記外部検出物体を検出するとき、前記切換回路によって、前記第１駆動電極と前記第３駆動電極とを接続して第１コイルを形成し、前記第２駆動電極と前記第４駆動電極とを接続して第２コイルを形成し、
前記外部検出物体を検出するとき、前記選択駆動回路が、前記第１コイルを形成する前記第１駆動電極と前記第３駆動電極に前記駆動信号と前記所定の電圧を供給し、前記第２コイルを形成する前記第２駆動電極と前記第４駆動電極に前記駆動信号と前記所定の電圧を供給することにより、前記第１コイルおよび前記第２コイルのそれぞれにおいて発生する磁界が、前記所定の数の駆動電極が配置された領域において重畳される、表示装置。
【請求項２】
請求項１に記載の表示装置において、
前記表示装置は、
前記画素配列の各列に配置され、対応する列に配置された複数の画素に、画像信号を供給する複数の信号線を備え、
前記複数の駆動電極は、前記画素配列において、互いに平行に配置され、画像の表示のとき、前記複数の画素に対して駆動信号を供給する、表示装置。
【請求項３】
請求項２に記載の表示装置において、
前記複数の駆動電極のそれぞれは、第１電極と、前記第１電極に接続され、前記第１電極よりも抵抗値の小さい複数の第２電極とを備える、表示装置。
【請求項４】
請求項２または３に記載の表示装置において、
前記複数の駆動電極は、前記第１方向に沿った前記画素配列の１対の辺の間に配置された第５駆動電極と、前記第１方向に沿った前記画素配列の辺に沿って配置された第６駆動電極とを備え、前記第６駆動電極の幅が、前記第５駆動電極よりも狭くされ、前記外部検出物体を検出するとき、前記第６駆動電極は、前記第１コイルを形成する前記第１駆動電極として用いられる、表示装置。
【請求項５】
請求項３に記載の表示装置において、
前記表示装置は、前記複数の信号線に結合され、外部検出物体を検出するとき、前記複数の信号線を巻線とした複数の検出コイルを形成する信号線切換回路を備え、検出コイルによって、前記外部検出物体からの磁界を検出する、表示装置。
【請求項６】
請求項５に記載の表示装置において、
前記信号線切換回路は、前記第１方向に沿った前記画素配列の１対の辺のうち、一方の辺に沿って配置され、前記複数の信号線に結合された第１切換回路と、他方の辺に沿って配置され、前記複数の信号線に結合された第２切換回路とを備え、
外部検出物体を検出するとき、前記第１切換回路は、前記複数の検出コイルを形成するように、信号線間を電気的に接続し、前記第２切換回路は、前記外部検出物体からの磁界に従った検出信号を出力する、表示装置。
【請求項７】
請求項６に記載の表示装置において、
前記表示装置は、前記第２方向に沿った前記画素配列の辺に沿って配置され、前記複数の信号線よりも幅の狭い磁界用信号線を備え、前記第１切換回路は、前記複数の信号線のうちの所定の信号線と前記磁界用信号線とを接続して検出コイルを形成する、表示装置。
【請求項８】
請求項３に記載の表示装置において、
前記複数の駆動電極は、前記第２方向において、前記第４駆動電極に隣接して配置された第７駆動電極と、前記第２方向において、前記第７駆動電極を挟んで、前記第４駆動電極に隣接するように配置された第８駆動電極を備え、
前記切換回路は、前記第１コイルと前記第２コイルを形成したあと、前記所定の数の駆動電極に含まれる第９駆動電極と前記第７駆動電極とを接続して、第３コイルを形成し、前記所定の数の駆動電極に含まれる第１０駆動電極と前記第８駆動電極とを接続して、第４コイルを形成し、
前記選択駆動回路は、前記第３コイルを構成する前記第７駆動電極と前記第９駆動電極に前記駆動信号と前記所定の電圧を供給し、前記第４コイルを構成する前記第８駆動電極と前記第１０駆動電極に前記駆動信号と前記所定の電圧を供給することにより、前記第３コイルにより形成される磁界と、前記第４コイルにより形成される磁界とが、前記第３駆動電極と前記第４駆動電極とを含む領域において重畳されるようにする、
表示装置。
【請求項９】
請求項３または８に記載の表示装置において、
前記所定の数と、互いに隣接して配置され、前記選択駆動回路から、それぞれ前記駆動信号が供給される駆動電極の数は等しい、
表示装置。
【請求項１０】
請求項１に記載の表示装置において、
前記外部検出物体を検出するとき、前記第１コイルと前記第２コイルには、互いに同期して変化する前記駆動信号が、実質的に同時に供給される、表示装置。
【請求項１１】
請求項１に記載の表示装置において、
前記選択駆動回路は、前記複数の駆動電極のそれぞれに前記駆動信号または前記所定の電圧を供給する複数のスイッチを備え、
前記第１コイルおよび前記第２コイルのそれぞれに駆動信号を供給するとき、前記複数のスイッチは、前記第１駆動電極および前記第２駆動電極のそれぞれに前記駆動信号を供給し、前記第３駆動電極および前記第４駆動電極のそれぞれに前記所定の電圧を供給するように制御される、表示装置。
【発明の詳細な説明】
【技術分野】
【０００１】
本発明は、表示装置に関し、特に外部近接物体を検出可能なタッチ検出機能付き表示装置に関する。
【背景技術】
【０００２】
近年、いわゆるタッチパネルと呼ばれる、外部近接物体を検出可能なタッチ検出装置が注目されている。タッチパネルは、表示装置、例えば液晶表示装置上に装着または液晶表示装置と一体化され、タッチ検出機能付き表示装置として提供される。
【０００３】
外部近接物体として、例えばペンを用いることを可能にしたタッチパネルがある。ペンを用いることを可能とすることにより、例えば小さな領域を指定したり、手書き文字の入力が可能となる。ペンによるタッチを検出する技術は、種々ある。種々ある技術の一つとして、電磁誘導方式がある。電磁誘導方式は、高精度、高い筆圧検出精度を実現することが可能であり、外部近接物体がタッチパネル表面から離間したホバリング検出機能も実現可能であるため、ペンによるタッチを検出する技術としては有力な技術である。
電磁誘導方式を用いたタッチ検出の技術は、例えば、特許文献１〜３に記載されている。
【先行技術文献】
【特許文献】
【０００４】
【特許文献１】特開平１０−４９３０１号公報
【特許文献２】特開２００５−３５２５７２号公報
【特許文献３】特開２００６−１６３７４５号公報
【発明の概要】
【発明が解決しようとする課題】
【０００５】
電磁誘導方式としては、ペンにコイルと電池を実装し、ペンにおいて磁界を発生させ、タッチパネルにおいて、磁界エネルギーを検出する方式がある。この場合、タッチパネルには、磁界エネルギーを受け取るセンサ板が必要とされる。また、ペンにコイルと容量を実装し、タッチパネルにおいて磁界を発生し、ペンに実装された容量に磁界エネルギーを蓄え、タッチパネルで検出する方式がある。この方式の場合には、タッチパネルにおいて磁界を発生し、ペンからの磁界エネルギーを受け取るセンサ板が必要とされる。
【０００６】
いずれの電磁誘導方式においても、タッチ検出機能付き表示装置を実現するためには、センサ板を追加することが必要とされ、価格（生産コスト）が上昇することになる。
【０００７】
本発明者らは、価格の上昇を抑制するために、センサ板を表示装置と一体化させることを検討した。センサ板は、磁界を検出および／または発生するために、複数のコイルを備えている。表示装置にセンサ板を装着するようにして、タッチ検出機能付き表示装置を提供する場合には、例えばコイルは、通常の金属配線で形成することが可能である。これに対して、一体化のために、コイルを、表示装置内の信号配線によって構成する場合には、コイルを形成する信号配線のシート抵抗が、通常の金属配線に比べて、例えば１桁あるいは２桁程高い。そのため、コイルを流れる電流が小さくなり、発生する磁界エネルギーが小さくなり、タッチ検出の精度が低下することが危惧される。
【０００８】
特許文献１〜３には、電磁誘導方式を用いたタッチ検出装置が記載されている。しかしながら、表示装置内の信号配線のシート抵抗を考慮した技術は記載も、認識もされていない。
【０００９】
本発明の目的は、精度の向上を図ることが可能なタッチ検出機能付き表示装置を提供することにある。
【課題を解決するための手段】
【００１０】
本発明の一態様に係わる表示装置は、行列状に配置された複数の画素を有する画素配列と、画素配列に配置された複数の信号配線とを備える。ここで、外部検出物体を検出するとき、複数の信号配線のうちの複数の信号配線によって、互いに重なった領域を有する複数のコイルが、形成され、複数のコイルに駆動信号を供給することにより、複数のコイルのそれぞれにおいて発生する磁界が、重なった領域において重畳される。
【００１１】
コイルが互いに重なった領域においては、磁界が重畳されるため、磁界を強くすることが可能である。そのため、それぞれのコイルの巻数を少なくすることにより、それぞれのコイルのインダクタンスが小さくなっても、重なった領域においては磁界を強くすることが可能である。一方、コイルの巻数を少なくすることにより、コイルの巻線となる信号配線の長さを短くすることが可能となり、コイルのインピーダンスを小さくすることが可能となる。これにより、コイルを流れる電流の値を高くすることが可能となり、重なった領域において発生される磁界を強くすることが可能となる。発生する磁界を強くすることが可能となるため、タッチ検出の精度を向上させることが可能となる。
【図面の簡単な説明】
【００１２】
【図１】タッチ検出機能付き液晶表示装置を有する電子装置とペンとの関係を示す説明図である。
【図２】電磁誘導方式の原理を示す説明図である。
【図３】電磁誘導方式の原理を示す波形図である。
【図４】液晶表示装置の断面を示す断面図である。
【図５】（Ａ）および（Ｂ）は、実施の形態１に係わる液晶表示装置の構成を模式的に示す平面図および断面図である。
【図６】実施の形態１に係わる液晶表示装置の構成を示すブロック図である。
【図７】実施の形態１に係わる液晶表示装置を実装したモジュールの構成を示す平面図である。
【図８】実施の形態１に係わる液晶表示装置の表示パネルの構成を示す平面図である。
【図９】実施の形態１に係わる液晶表示装置の断面を示す断面図である。
【図１０】実施の形態１に係わる液晶表示装置の表示パネルの構成を示す回路図である。
【図１１】実施の形態１に係わる液晶表示装置の構成を示すブロック図である。
【図１２】実施の形態１に係わる液晶表示装置のタッチ検出の動作を示すブロック図である。
【図１３】実施の形態１に係わる液晶表示装置のタッチ検出の動作を示すブロック図である。
【図１４】実施の形態１に係わる液晶表示装置のタッチ検出の動作を示すブロック図である。
【図１５】実施の形態１に係わる液晶表示装置において形成されるコイルの構成を模式的に示す平面図である。
【図１６】実施の形態１に係わる液晶表示装置の選択制御回路および切換回路の構成を示すブロック図である。
【図１７】実施の形態１に係わる液晶表示装置の切換調整回路の構成を示すブロック図である。
【図１８】実施の形態１に係わる液晶表示装置において形成されるコイルの構成を模式的に示す平面図である。
【図１９】実施の形態１に係わる液晶表示装置の構成を模式的に示す断面図である。
【図２０】実施の形態１に係わる液晶表示装置の構成を模式的に示す平面図である。
【図２１】実施の形態１に係わる液晶表示装置の構成を模式的に示す断面図である。
【図２２】実施の形態１に係わる液晶表示装置の構成を模式的に示す平面図である。
【図２３】実施の形態２に係わる液晶表示装置の構成を示すブロック図である。
【図２４】実施の形態２に係わる液晶表示装置の構成を示すブロック図である。
【図２５】実施の形態２に係わる液晶表示装置のタッチ検出の動作を示すブロック図である。
【図２６】実施の形態２に係わる液晶表示装置のタッチ検出の動作を示すブロック図である。
【図２７】実施の形態２に係わる液晶表示装置のタッチ検出の動作を示すブロック図である。
【図２８】実施の形態２に係わる液晶表示装置のタッチ検出の動作を示すブロック図である。
【図２９】実施の形態３に係わる液晶表示装置の構成を示すブロック図である。
【図３０】（Ａ）〜（Ｇ）は、実施の形態４に係わる液晶表示装置の動作を示す波形図である。
【図３１】実施の形態５に係わる液晶表示装置の構成を示すブロック図である。
【図３２】（Ａ）〜（Ｆ）は、実施の形態５に係わる液晶表示装置の動作を示す波形図である。
【図３３】実施の形態３に係わる液晶表示装置の概要を示す模式図である。
【図３４】本発明者が検討した液晶表示装置の構成を示すブロック図である。
【図３５】本発明者が検討した液晶表示装置の構成を示すブロック図である。
【図３６】本発明者が検討した液晶表示装置の構成を示すブロック図である。
【発明を実施するための形態】
【００１３】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１４】
また、本明細書と各図において、既出の図に関して前述したものと同様の要素には、同一の符号を付して、詳細な説明を適宜省略することがある。
【００１５】
以下の説明は、タッチ検出機能付き表示装置としてタッチ検出機能付き液晶表示装置を例として述べる。しかしながら、これに限定されず、タッチ検出機能付きＯＬＥＤ表示装置にも適用することが可能である。また、電磁誘導方式として、２種類の方式を例に説明したが、ここでは、後者の方式を採用している場合について説明する。後者の方式では、ペンに電池を実装しなくてもよいため、ペンの小型化および／または形状の自由度を向上することが可能である。
（実施の形態１）
＜電磁誘導方式の基本原理＞
【００１６】
先ず、電磁誘導方式の基本原理を説明しておく。図１は、タッチ検出機能付き液晶表示装置を有する電子装置とペンとの関係を模式的に示した説明図である。また、図２および図３は、電磁誘導方式の基本原理を模式的に示した説明図である。
【００１７】
図１において、電子装置は、金属カバーに納められた液晶表示装置１と、導光板と、センサ板と、磁性シートとを有している。同図に示した例では、液晶表示装置１と金属カバーとの間に、センサ板が実装されている。このセンサ板には、複数のコイルが設けられているが、図１には、そのうちの１個のコイルが、センサ板内コイル（以下、単にコイルとも称する）Ｌ２として模式的に示されている。
【００１８】
また、外部近接物体に該当するペンには、コイルと容量素子とが内蔵されている。図１では、容量素子は省略されているが、ペンに内蔵されているコイルが、ペン内コイル（以下、単にコイルとも称する）Ｌ１として模式的に示されている。コイルＬ１とコイルＬ２との間は、磁界によって結合される。
【００１９】
なお、液晶表示装置１は、模式的にその構造を示すために、図１では、液晶表示装置１に含まれるＴＦＴガラス基板、カラーフィルタおよびＣＦガラス基板が描かれている。ＴＦＴガラス基板および図示しないＴＦＴを含んでＴＦＴ基板が形成され、ＣＦガラス基板およびカラーフィルタを含んでカラーフィルタ基板が形成される。ＴＦＴ基板とカラーフィルタ基板との間には図示しない液晶層が挟持されている。また、導光板は、液晶表示装置１とセンサ板との間に挟まれるように、固定部で固定されている。
【００２０】
ペンが、電子装置に近接（接触を含む）することにより、コイルＬ１が、コイルＬ２に近接することになる。これにより、コイルＬ１とコイルＬ２との間の磁界結合が発生し、ペンが近接したことが検出される。
【００２１】
この検出を、図２および図３を用いて説明する。図２（Ａ）は、コイルＬ２が磁界を発生している状態を示しており、図２（Ｂ）は、コイルＬ１が磁界を発生している状態を示している。
【００２２】
図２において、コイルＬ２とペン内容量素子（以下、単に容量素子とも称する）Ｃとは並列的に接続されており、共振回路を構成している。コイルＬ１は、１回巻線のコイルが例として示されており、１対の端子を有している。タッチを検出するとき（タッチ検出のとき）、コイルＬ１の一方の端子ＰＴは、所定時間、送信アンプＡＰ１の出力に接続され、所定時間後に、受信アンプＡＰ２の入力に、所定時間、接続される。また、センサ板内コイルＬ１の他方の端子は、タッチ検出のとき、接地電圧Ｖｓｓに接続される。
【００２３】
図３は、タッチ検出のときに動作を示す波形図である。図３の横軸は、時間を示しており、図３（Ａ）は、送信アンプＡＰ１の出力の波形を示しており、図３（Ｂ）は、受信アンプＡＰ２の出力の波形を示している。
【００２４】
コイルＬ２の一方の端子ＰＴが、送信アンプＡＰ１の出力に接続されているとき、送信アンプＡＰ１の入力には、周期的に変化する送信信号ＩＮが供給される。これにより、送信アンプＡＰ１は、送信信号ＩＮの変化に従って、周期的に変化する駆動信号φ１を、図３（Ａ）に示すように、所定時間（磁界発生期間）ＴＧＴ、コイルＬ２の一方の端子に供給する。これにより、コイルＬ２が磁界を発生する。このときの磁力線が、図２（Ａ）ではφＧとして示されている。
【００２５】
磁力線φＧは、コイルＬ２の巻線を中心として発生するため、コイルＬ２の内側の磁界が強くなる。コイルＬ１が、コイルＬ２に近接し、例えば図２（Ａ）に示すように、コイルＬ１の中心軸ＬＯが、コイルＬ２の内側に存在すると、コイルＬ１に、コイルＬ２の磁力線が到達する。すなわち、コイルＬ１が、コイルＬ２において発生している磁界内に配置され、コイルＬ１とコイルＬ２とが磁界結合されることになる。コイルＬ２は、駆動信号φ１の変化に従って、周期的に変化する磁界を発生する。そのため、コイルＬ２とコイルＬ１間の相互誘導の作用により、コイルＬ１には、誘起電圧を発生する。容量素子Ｃは、コイルＬ１によって発生した誘起電圧によって充電される。
【００２６】
所定時間後に、コイルＬ２の一方の端子ＰＴは、所定時間（磁界検出期間または電流検出期間）ＴＤＴ、受信アンプＡＰ２の入力に接続される。磁界検出期間ＴＤＴにおいては、先の磁界発生期間ＴＧＴにおいて容量素子Ｃが、充電されていれば、容量素子Ｃに充電された電荷によって、コイルＬ１が、磁界を発生する。図２（Ｂ）には、容量素子Ｃに充電された電荷によって発生したコイルＬ１の磁力線が、φＤとして示されている。
【００２７】
タッチ検出のとき、すなわち、磁界発生期間ＴＧＴおよび磁界検出期間ＴＤＴのとき、ペン内コイルＬ１が、センサ板内コイルＬ２に近接していれば、磁界発生期間ＴＧＴのとき、容量素子Ｃに充電が行われ、磁界検出期間ＴＤＴのとき、コイルＬ１の磁力線φＤが、コイルＬ２に到達する。コイルＬ１と容量素子Ｃとにより共振回路が構成されているため、コイルＬ１の発生する磁界は、共振回路の時定数に従って変化する。コイルＬ１が発生する磁界が変化することにより、コイルＬ２に誘起電圧が発生する。この誘起電圧によって、コイルＬ２の一方の端子ＰＴにおいて、信号が変化する。この信号の変化が、検出信号φ２として、磁界検出期間ＴＤＴのとき、受信アンプＡＰ２に入力され、増幅され、センサ信号ＯＵＴとして受信アンプＡＰ２から出力される。
【００２８】
一方、タッチ検出のとき、ペン内コイルＬ１が、センサ板内コイルＬ２に近接していなれば、磁界発生期間ＴＧＴのとき、容量素子Ｃは充電されない、または充電される電荷量が少なくなる。その結果、磁界検出期間ＴＤＴのとき、コイルＬ１が発生する磁界の磁力線φＤは、コイルＬ２に到達しない。そのため、磁界検出期間ＴＤＴのとき、コイルＬ２の一方の端子ＰＴにおける検出信号φ２は変化しない。
【００２９】
図３には、ペン内コイルＬ１が、センサ板内コイルＬ２に近接しているときと、近接していないときの両方の状態が示されている。すなわち、図３において、左側には、コイルＬ１がコイルＬ２に近接していないときの状態が示されており、右側には、コイルＬ１がコイルＬ２に近接しているときの状態が示されている。そのため、図３（Ｂ）において、左側に示した磁界検出期間ＴＤＴでは、検出信号φ２は変化しておらず、右側に示した磁界検出期間ＴＤＴでは、検出信号φ２が変化している。検出信号φ２が変化している場合を、ペン有りと判定し、検出信号φ２が変化していない場合を、ペン無しと判定することにより、ペンによるタッチを検出することができる。
【００３０】
図３では、ペン有りとペン無しの判定を示したが、コイルＬ１とコイルＬ２との間の距離に従って、検出信号φ２の値が変化するため、ペンとセンサ板との間の距離あるいはペンの筆圧を判定することも可能である。
＜液晶表示装置とセンサ板の一体化構造＞
【００３１】
本発明者らは、図１に示したように、液晶表示装置１と、センサ板とを別々に準備した場合、センサ板が高価であるため、電子装置が高価になると考えた。そこで、本発明者らは、センサ板を、液晶表示装置１の層（レイヤ）により形成し、液晶表示装置とセンサ板とを一体化することを考えた。図４は、センサ板をセンサ層（レイヤ）として一体化した液晶表示装置１の模式的な断面を示す断面図である。図４は、図１と類似しているので、相違点を主に説明する。図１においては、液晶表示装置１とは別に、センサ板を準備し、導光板と磁性シートとの間に、センサ板を設けるようにしていた。これに対して、図４では、ＴＦＴガラス基板上に、センサレイヤを形成する。これにより、センサ板に相当するセンサレイヤが、液晶表示装置１に設けられるため、価格の上昇を抑制することが可能となる。
【００３２】
図５は、液晶表示装置１の構造を模式的に示す図であり、図５（Ａ）は、液晶表示装置１の平面を、模式的に示しており、図５（Ｂ）は、液晶表示装置１の断面を、模式的に示している。図５（Ａ）および（Ｂ）において、ＴＬ（０）〜ＴＬ（ｐ）は、ＴＦＴガラス基板に形成された駆動電極を示している。駆動電極ＴＬ（０）〜ＴＬ（ｐ）は、図５（Ａ）において、横方向（行方向）に延在し、縦方向（列方向）に平行に配置されている。すなわち、駆動電極ＴＬ（０）〜ＴＬ（ｐ）のそれぞれは、延在方向において互いに平行するように形成されている。駆動電極ＴＬ（０）〜ＴＬ（ｐ）の上側には、図５（Ｂ）に示すように、液晶層が設けられ、さらにその上側にカラーフィルタ、ＣＦガラス基板が形成されている。また、ＣＦガラス基板の上側には偏光板が形成されている。図５では、説明を容易にするために、図５（Ｂ）に示すように、上側から目視した場合で、上側と説明したが、勿論、目視する方向により、上側は、下側あるいは横側に変わる。
【００３３】
駆動電極ＴＬ（０）〜ＴＬ（ｐ）のそれぞれには、表示のときに、表示用の駆動信号（表示駆動信号）が供給される。そのため、表示の場合のみを考えた場合、駆動電極ＴＬ（０）〜ＴＬ（ｐ）は、互いに電気的に接続されていてもよい。言い換えるならば、駆動電極ＴＬ（０）〜ＴＬ（ｐ）は、１個の駆動電極としてもよい。しかしながら、この実施の形態１においては、タッチ検出のとき、駆動電極をコイルの巻線として用いる。そのため、この実施の形態１においては、駆動電極ＴＬ（０）〜ＴＬ（ｐ）は、互いに電気的に分離されている。互いに分離された駆動電極ＴＬ（０）〜ＴＬ（ｐ）には、表示のときには、例えば共通の表示駆動信号が供給され、タッチ検出のときには、コイルを形成するように所定の駆動電極間が電気的に接続される。
【００３４】
すなわち、この実施の形態１においては、駆動電極ＴＬ（０）〜ＴＬ（ｐ）を形成する信号配線の層が、センサレイヤとされる。この駆動電極ＴＬ（０）〜ＴＬ（ｐ）には、表示のとき、表示駆動信号が供給される。従って、駆動電極ＴＬ（０）〜ＴＬ（ｐ）は、表示のときとタッチ検出のときとで、共通に用いられる（兼用される）ことになる。そのため、この実施の形態１においては、コイルの巻線を形成するために、レイヤを追加しなくても済み、さらに価格の上昇を抑制することが可能となる。なお、駆動電極ＴＬ（０）〜ＴＬ（ｐ）が、表示用の共通電極も兼ねるため、駆動電極ＴＬ（０）〜ＴＬ（ｐ）のそれぞれは、共通電極と見なすことができる。そのため、本明細書においては、駆動電極ＴＬ（０）〜ＴＬ（ｐ）を共通電極と称する場合もある。
＜本発明者の検討＞
【００３５】
次に、タッチ検出のとき、駆動電極ＴＬ（０）〜ＴＬ（ｐ）のような液晶表示装置１内の信号配線を用いてコイルを形成するようにした場合の課題を、本発明者の検討結果を基にして説明する。図３４〜図３６は、本発明者が検討した液晶表示装置１の構成を示すブロック図である。これらの図には、タッチ検出のときの状態が示されている。
【００３６】
図３４において、ＴＬ（ｎ−３）〜ＴＬ（ｎ＋１３）は、駆動電極を示している。同図において、ＶＬ０１は、電圧配線を示しており、表示のときには、電圧配線ＶＬ０１を介して、駆動電極ＴＬ（ｎ−３）〜ＴＬ（ｎ＋１３）に表示駆動信号が供給される。また、図３４において、ＶＬ０２は、電圧配線を示しており、タッチ検出のとき、例えば接地電圧Ｖｓｓが、電圧配線ＶＬ０２へ供給される。さらに、図３４において、ＬＬ０１は、信号配線を示しており、信号配線ＬＬ０１には、タッチ検出のとき、周期的に電圧が変化するコイルクロック信号が供給される。
【００３７】
図３４において、ＬＬ１１、ＬＬ１２、ＬＬ２１、ＬＬ２２、ＬＬ３１、ＬＬ３２、ＬＬ４０、ＬＬ５０およびＬＬ６０は、信号配線を示しており、ｘ００〜ｘ１６およびｙ００〜ｙ１６は、スイッチを示している。スイッチｘ００〜ｘ１６およびｙ００〜ｙ１６のそれぞれは、共通端子ｃと３個の端子（第１端子ｐ１、第２端子ｐ２および第３端子）とを備えている。図面が複雑になるのを避けるために、図３４には、第３端子は省略されている。スイッチｘ００〜ｘ１６およびｙ００〜ｙ１６のそれぞれの第３端子は、何処にも接続されておらず、フローティング状態となっている。スイッチｘ００〜ｘ１６のそれぞれの第１端子ｐ１は、電圧配線ＶＬ０１に接続され、それぞの第２端子ｐ２は、対応する信号配線ＬＬ１１、ＬＬ１２、ＬＬ２１、ＬＬ２２、ＬＬ３２、ＬＬ３２に接続されている。また、スイッチｙ００〜ｙ１６のそれぞれの第１端子ｐ１は、電圧配線ＶＬ０１に接続され、それぞの第２端子ｐ２は、対応する信号配線ＬＬ４０、ＬＬ５０、ＬＬ６０、電圧配線ＶＬ０２、信号配線ＬＬ０１に接続されている。これらのスイッチｘ００〜ｘ１６およびｙ００〜ｙ１６のそれぞれは、図示しないスイッチ制御信号によって、共通端子ｃは、第１端子ｐ１、第２端子ｐ２または第３端子に選択的に接続される。
【００３８】
先ず、表示のときを説明すると、スイッチｘ００〜ｘ１６およびｙ００〜ｙ１６は、それぞれの共通端子ｃを第１端子ｐ１へ接続するように、スイッチ制御信号により制御される。これにより、スイッチｘ００〜ｘ１６およびｙ００〜ｙ１６を介して、駆動電極ＴＬ（ｎ−３）〜ＴＬ（ｎ＋１３）のそれぞれの端部は、電圧配線ＶＬ０１に接続されることになる。その結果、表示のときには、所望の表示駆動信号が、電圧配線ＶＬ０１を介して、駆動電極ＴＬ（ｎ−３）〜ＴＬ（ｎ＋１３）のそれぞれの端部に供給されることになり、所望の表示を行うことが可能となる。
【００３９】
タッチ検出のときには、スイッチｘ００〜ｘ１６およびｙ００〜ｙ１６のうち、コイルの巻線として機能させる駆動電極に接続されたスイッチにおいて、共通端子ｃが第２端子ｐ２に接続されるように、制御され、コイルの巻線として機能させない駆動電極に接続されたスイッチにおいては、共通端子ｃが第３端子に接続されるように、制御される。図２で説明したように、磁界はコイルの内側が強くなる。そのため、磁界を発生させる領域を挟むように配置された駆動電極が、コイルの巻線を構成するように、スイッチｘ００〜ｘ１６およびｙ００〜ｙ１６を制御する。
【００４０】
図３４においては、強い磁界を発生させる領域として、駆動電極ＴＬ（ｎ）〜ＴＬ（ｎ＋３）に相当する領域を指定している場合を示している。そのため、これらの駆動電極ＴＬ（ｎ）〜ＴＬ（ｎ＋３）を挟むように配置されている駆動電極ＴＬ（ｎ−２）、ＴＬ（ｎ−１）、ＴＬ（ｎ＋４）およびＴＬ（ｎ＋５）が、コイルの巻線となるように、スイッチｘ０１、ｘ０２、ｘ０７およびｘ０８とスイッチｙ０１、ｙ０２、ｙ０７およびｙ０８が選択される。選択されたスイッチｘ０１、ｘ０２、ｘ０７、ｘ０８、ｙ０１、ｙ０２、ｙ０７およびｙ０８においては、共通端子ｃが、第２端子ｐ２に接続される。これに対して、選択されていないスイッチのそれぞれにおいては、共通端子ｃは、第３端子に接続される。
【００４１】
第３端子は、フローティング状態であるため、共通端子ｃが第３端子に接続されても、第３端子はハイインピーダンス状態となる。そのため、図３４において、選択されていないスイッチの共通端子ｃは、フローティング状態で描かれている。例えば、スイッチｘ００とｙ００を例にすると、これらのスイッチは選択されていないため、共通端子ｃは、何処にも接続されておらず、図３４では、フローティング状態として描かれている。
【００４２】
スイッチｘ０１とｘ０７において、共通端子ｃが、第２端子ｐ２に接続されることにより、駆動電極ＴＬ（ｎ−２）の一方の端部は、スイッチｘ０１を介して信号配線Ｌ１１に接続され、信号配線Ｌ１１は、スイッチｘ０７を介して駆動電極ＴＬ（ｎ＋４）の一方の端部に接続される。同様に、スイッチｘ０２とｘ０８において、共通端子ｃが、第２端子ｐ２に接続されることにより、駆動電極ＴＬ（ｎ−１）の一方の端部は、スイッチｘ０２を介して信号配線Ｌ１２に接続され、信号配線Ｌ１２は、スイッチｘ０８を介して駆動電極ＴＬ（ｎ＋５）の一方の端部に接続される。
【００４３】
また、スイッチｙ０２とｙ０７において、共通端子ｃが、第２端子ｐ２に接続されることにより、駆動電極ＴＬ（ｎ−１）の他方の端部は、スイッチｙ０２を介して信号配線ＬＬ４０に接続され、信号配線ＬＬ４０は、スイッチｙ０７を介して駆動電極ＴＬ（ｎ＋４）の他方の端部に接続される。さらに、スイッチｙ０１において、共通端子ｃが、第２端子ｐ２に接続されることにより、駆動電極ＴＬ（ｎ−２）の他方の端部は、スイッチｙ０１を介して、電圧配線ＶＬ０２に接続される。また、スイッチｙ０８において、共通端子ｃが、第２端子ｐ２に接続されることにより、駆動電極ＴＬ（ｎ＋５）の他方の端部は、スイッチｙ０８を介して、信号配線ＬＬ０１に接続される。
【００４４】
これにより、信号配線ＬＬ０１と電圧配線ＶＬ０２との間に、駆動電極ＴＬ（ｎ−２）、ＴＬ（ｎ−１）、ＴＬ（ｎ＋４）、ＴＬ（ｎ＋５）および信号配線ＬＬ１１、ＬＬ１２、ＬＬ４０が直列的に接続されることになる。この場合、駆動電極ＴＬ（ｎ−２）、ＴＬ（ｎ−１）、ＴＬ（ｎ＋４）およびＴＬ（ｎ＋５）は、互いに平行に配置されているため、コイルの巻線として機能することになる。電圧配線ＶＬ０２に接地電圧Ｖｓｓを供給し、信号配線ＬＬ０１に、その電圧が周期的に変化するコイルクロック信号を供給することにより、コイルの両端に電圧が供給され、例えば、図３４に矢印Ｉ（ｎ）として示した電流が流れることになる。これにより、駆動電極ＴＬ（ｎ−２）、ＴＬ（ｎ−１）、ＴＬ（ｎ＋４）およびＴＬ（ｎ＋５）を巻線としたコイルによって磁界が発生する。
【００４５】
コイルの内側となる領域（駆動電極ＴＬ（ｎ）〜ＴＬ（ｎ＋３）に相当）に、ペンが近接していれば、磁界発生期間ＴＧＴにおいて、ペン内容量素子Ｃに充電が行われる。磁界検出期間ＴＤＴにおいて、ペン内コイルが発生した磁界によって、駆動電極ＴＬ（ｎ−２）、ＴＬ（ｎ−１）、ＴＬ（ｎ＋４）およびＴＬ（ｎ＋５）を巻線としたコイルに誘起電圧が発生し、信号配線ＬＬ０１に信号の変化が生じる。この変化を検出信号として判定する。一方、ペンが近接していなければ、磁界発生期間ＴＧＴにおいて、容量素子Ｃに充電が行われない。その結果、磁界検出期間ＴＤＴにおいて、信号配線ＬＬ０１に信号の変化は生じない。このように、信号配線ＬＬ０１における信号の変化を判定することにより、ペンによるタッチを検出することが可能となる。
【００４６】
図３５は、図３４で説明したコイルの内側の領域（駆動電極ＴＬ（ｎ）〜ＴＬ（ｎ＋３）に相当）に、ペンが近接したか否かを検出したあと、隣接する領域に、ペンが近接しているか否を検出する場合の状態を示している。
【００４７】
図３５に示す構成は、図３４と同じである。図３４と相違する部分は、コイルの内側の領域、すなわち磁界を発生する領域が、異なることである。すなわち、駆動電極ＴＬ（ｎ）〜ＴＬ（ｎ＋３）の領域に隣接した領域（駆動電極ＴＬ（ｎ＋４）〜ＴＬ（ｎ＋７）に相当）において磁界が発生するように、スイッチｘ００〜ｘ１６およびｙ００〜ｙ１６が制御される。図３５で説明すると、駆動電極ＴＬ（ｎ＋４）〜ＴＬ（ｎ＋７）を挟むように配置されている駆動電極ＴＬ（ｎ＋２）、ＴＬ（ｎ＋３）、ＴＬ（ｎ＋８）およびＴＬ（ｎ＋９）に接続されているスイッチｘ０５、ｘ０６、ｘ１１、ｘ１２およびｙ０５、ｙ０６、ｙ１１およびｙ１２が選択され、選択されたこれらのスイッチにおいて、共通端子ｃが、第２端子ｐ２に接続されるように制御される。
【００４８】
一方、残りの非選択スイッチにおいては、共通端子ｃが、第３端子に接続されるように制御される。これにより、タッチ検出のとき、信号配線ＬＬ０１と電圧配線ＶＬ０２との間には、選択されたスイッチｘ０５、ｘ０６、ｘ１１、ｘ１２およびｙ０５、ｙ０６、ｙ１１およびｙ１２を介して、駆動電極ＴＬ（ｎ＋２）、ＴＬ（ｎ＋３）、ＴＬ（ｎ＋８）、ＴＬ（ｎ＋９）、信号配線ＬＬ２１、ＬＬ２２およびＬＬ５０が直列的に接続される。すなわち、駆動電極ＴＬ（ｎ＋２）、ＴＬ（ｎ＋３）、ＴＬ（ｎ＋８）、ＴＬ（ｎ＋９）を巻線としたコイルが形成される。
【００４９】
図３４で説明したのと同様に、駆動電極ＴＬ（ｎ＋２）、ＴＬ（ｎ＋３）、ＴＬ（ｎ＋８）、ＴＬ（ｎ＋９）を巻線としたコイルに、信号配線ＬＬ０１を介してコイルクロック信号を供給し、電圧配線ＶＬ０２に接地電圧Ｖｓｓを供給することにより、コイルの内側の領域（駆動電極ＴＬ（ｎ＋４）〜ＴＬ（ｎ＋７）に相当）において磁界が発生する。磁界が発生したあとの磁界検出期間ＴＤＴのときに、信号配線ＬＬ０１における信号の変化を検出することにより、コイルの内側の領域（駆動電極ＴＬ（ｎ＋４）〜ＴＬ（ｎ＋７）に相当）にペンが近接しているか否かを検出することができる。なお、磁界発生期間ＴＧＴにおいて、コイルを流れる電流が、図３５では、矢印Ｉ（ｎ＋４）として示されている。
【００５０】
図３６は、図３５で説明したコイルの内側の領域（駆動電極ＴＬ（ｎ＋４）〜ＴＬ（ｎ＋７）に相当）に、ペンが近接したか否かを検出したあと、隣接する領域に、ペンが近接しているか否を検出する場合の状態を示している。
【００５１】
図３６に示す構成も、図３５と同じである。図３５と相違する部分は、コイルの内側の領域、すなわち磁界を発生する領域が、異なることである。すなわち、駆動電極ＴＬ（ｎ＋４）〜ＴＬ（ｎ＋７）の領域に隣接した領域（駆動電極ＴＬ（ｎ＋８）〜ＴＬ（ｎ＋１１）に相当）において磁界が発生するように、スイッチｘ００〜ｘ１６およびｙ００〜ｙ１６が制御される。図３６で説明すると、駆動電極ＴＬ（ｎ＋８）〜ＴＬ（ｎ＋１１）を挟むように配置されている駆動電極ＴＬ（ｎ＋６）、ＴＬ（ｎ＋７）、ＴＬ（ｎ＋１２）およびＴＬ（ｎ＋１３）に接続されているスイッチｘ０９、ｘ１０、ｘ１５、ｘ１６およびｙ０９、ｙ１０、ｙ１５およびｙ１６が選択され、選択されたこれらのスイッチにおいて、共通端子ｃが、第２端子ｐ２に接続されるように制御される。
【００５２】
一方、残りの非選択スイッチにおいては、共通端子ｃが、第３端子に接続されるように制御される。これにより、タッチ検出のとき、信号配線ＬＬ０１と電圧配線ＶＬ０２との間には、選択されたスイッチｘ０９、ｘ１０、ｘ１５、ｘ１６およびｙ０９、ｙ１０、ｙ１５およびｙ１６を介して、駆動電極ＴＬ（ｎ＋６）、ＴＬ（ｎ＋７）、ＴＬ（ｎ＋１２）、ＴＬ（ｎ＋１３）、信号配線ＬＬ３１、ＬＬ３２およびＬＬ６０が直列的に接続される。すなわち、駆動電極ＴＬ（ｎ＋６）、ＴＬ（ｎ＋７）、ＴＬ（ｎ＋１２）、ＴＬ（ｎ＋１３）を巻線としたコイルが形成される。
【００５３】
図３４で説明したのと同様に、駆動電極ＴＬ（ｎ＋６）、ＴＬ（ｎ＋７）、ＴＬ（ｎ＋１２）、ＴＬ（ｎ＋１３）を巻線としたコイルに、信号配線ＬＬ０１を介してコイルクロック信号を供給し、電圧配線ＶＬ０２に接地電圧Ｖｓｓを供給することにより、コイルの内側の領域（駆動電極ＴＬ（ｎ＋８）〜ＴＬ（ｎ＋１１）に相当）において磁界が発生する。そのあとの磁界検出期間ＴＤＴのとき、信号配線ＬＬ０１における信号の変化を検出することにより、コイルの内側の領域（駆動電極ＴＬ（ｎ＋８）〜ＴＬ（ｎ＋１１）に相当）にペンが近接しているか否かを検出することができる。なお、磁界発生期間ＴＧＴにおいて、コイルを流れる電流が、図３６では、矢印Ｉ（ｎ＋８）として示されている。
【００５４】
図３４〜図３６を用いて説明したように、駆動電極ＴＬ（０）〜ＴＬ（ｐ）を用いて、タッチ検出のときコイルを形成することが可能である。図３４〜図３６では、形成するコイルの巻数が、２回の場合を例として示したが、より巻数を増やすことにより、コイルのインダクタンスをより高くすることが可能となり、発生する磁界をより強くすることが可能である。しかしながら、駆動電極は、例えば透明電極により構成される。透明電極のシート抵抗は、通常の金属配線に比べて遙かに高い値である。そのため、コイルの巻数を増やすと、コイルのインピーダンス、すなわち、信号配線ＬＬ０１と電圧配線ＶＬ０２との間に接続されたときのコイルのインピーダンスが、高くなり、コイルを流れる電流が小さくなる。磁界発生期間ＴＧＴにおいて、コイルを流れる電流が小さいと、発生する磁界が弱くなる。その結果として、検出精度の低下が危惧される。
【００５５】
なお、透明電極（第１電極）に、透明電極よりもシート抵抗の低い補助電極（第２電極）を、複数個電気的に接続して、駆動電極のシート抵抗を低くすることが考えられるが、このようにしても、第１電極と複数の第２電極により構成された駆動電極のシート抵抗は、通常の金属配線に比べて、高く、強い磁界を発生するのは困難である。
【００５６】
以上述べた本発明者の検討により、液晶表示装置１に設けられている信号配線（駆動電極）を用いて、タッチ検出のときにコイルを形成することは可能であるとの理解に至った。しかしながら、透明電極等の駆動電極による信号配線は、シート抵抗が高いため、強い磁界を発生することができるようにコイルのインダクタンスを高めると、通常の金属配線では無視することが可能なコイルのインピーダンスが無視できなくなるという課題に到達した。
＜液晶表示装置の全体概要＞
【００５７】
図６は、実施の形態１に係わる液晶表示装置１の構成を示すブロック図である。図６において、液晶表示装置１は、表示パネル（液晶パネル）２、表示制御装置４、ゲートドライバ５およびタッチ制御装置６を備えている。また、液晶表示装置１は、選択制御回路ＳＲ−Ｌ、ＳＲ−Ｒ、ＳＲＸ−Ｄ、切換回路ＤＳＣ、選択駆動回路ＳＤＣおよび切換調整回路ＳＣＸ−Ｕ、ＳＣＸ−Ｄを備えている。液晶表示装置１が備えるこれらの装置および回路については、あとで詳しく説明するので、ここでは全体概要を説明する。
【００５８】
表示パネル２は、後で図１０を用いて説明する、複数の画素が行列状に配置された画素配列ＬＣＤを有している。画素配列ＬＣＤには、複数の信号線、複数の駆動電極および複数の走査線が配置されている。ここで、信号線は、画素配列ＬＣＤのそれぞれの列に配置され、駆動電極は、画素配列ＬＣＤの行に配置され、複数の走査線は、画素配列ＬＣＤのそれぞれの行に配置されている。すなわち、同図において、信号配線は、縦方向（列方向）に延在し、横方向（行方向）に平行に配置されている。また、駆動電極は、横方向に延在し、縦方向に平行に配置されている。さらに、走査線は、横方向に延在し、縦方向に平行に配置されている。この場合、画素は、信号線と走査線とが交差する部分に配置されている。表示の期間（表示期間）においては、信号線と走査線により、画素が選択され、選択された画素には、そのときの信号線の電圧と、駆動電極の電圧（表示駆動信号）が印加され、選択された画素は、信号線と駆動電極との間の電圧差に従った表示を行う。
【００５９】
表示制御装置４は、制御回路Ｄ−ＣＮＴと信号線ドライバＤ−ＤＲＶとを備えている。制御回路Ｄ−ＣＮＴは、外部端子Ｔｔに供給されるタイミング信号と入力端子Ｔｉに供給される画像情報とを受け、入力端子Ｔｉに供給されている画像情報に従った画像信号Ｓｎを形成し、信号線ドライバＤ−ＤＲＶへ供給する。信号線ドライバＤ−ＤＲＶは、供給された画像信号Ｓｎを、表示期間のとき、時分割的に、信号線セレクタ３へ供給する。また、制御回路Ｄ−ＣＮＴは、外部端子Ｔｔに供給されるタイミング信号とタッチ制御装置６からの制御信号ＳＷとを受け、種々の制御信号を形成する。制御回路Ｄ−ＣＮＴが形成する制御信号としては、信号線セレクタ３に供給される選択信号ＳＥＬ１、ＳＥＬ２、同期信号ＴＳＨＤ、クロック信号ＣＬＫ、磁界イネーブル信号ＳＣ＿ＥＮ、表示駆動信号ＶＣＯＭＤＣ、タッチ検出に関する制御信号Ｘ−ＣＮＴ、Ｙ−ＣＮＴ、コイルクロック信号ＣＣＬＫ、ハイインピーダンス制御信号ＨＺ−ＣＴ等がある。
【００６０】
制御回路Ｄ−ＣＮＴにより形成される信号のうち、磁界イネーブル信号ＳＣ＿ＥＮは、タッチ検出（磁界タッチ検出）を実施することを示すイネーブル信号である。また、同期信号ＴＳＨＤは、表示パネル２において表示を行う期間（表示期間）とタッチ検出を行う期間（タッチ検出期間）とを識別する同期信号であり、表示駆動信号ＶＣＯＭＤＣは、表示期間のとき、駆動電極に供給される駆動信号である。
【００６１】
信号線ドライバＤ−ＤＲＶは、表示期間のとき、選択信号ＳＥＬ１、ＳＥＬ２に従って、時分割的に、画像信号Ｓｎを信号線セレクタ３へ、供給する。信号線セレクタ３は、表示パネル２に配置された複数の信号線に接続されており、表示期間のとき、供給されている画像信号を、選択信号ＳＥＬ１、ＳＥＬ２に従って、適切な信号線へ供給する。ケートドライバ５は、表示期間のとき、制御回路Ｄ−ＣＮＴからのタイミング信号に従って走査線信号Ｖｓ０〜Ｖｓｐを形成し、表示パネル２内の走査線に供給する。表示期間においては、ハイレベルの走査線信号が供給されている走査線に接続されている画素が選択され、選択された画素は、そのとき信号線に供給されている画像信号に従った表示を行うことにより、表示か行われる。
【００６２】
また、特に制限されないが、信号線ドライバＤ−ＤＲＶおよびゲートドライバ５には、制御回路Ｄ−ＣＮＴからハイインピーダンス制御信号ＨＺ−ＣＴが供給されている。信号線ドライバＤ−ＤＲＶおよびゲートドライバ５は、特に制限されないが、タッチ検出期間のとき、ハイインピーダンス制御信号ＨＺ−ＣＴによって、その出力が、ハイインピーダンス状態にされる。
【００６３】
タッチ制御装置６は、センス信号Ｓ（０）〜Ｓ（ｐ）を受ける磁界検出回路ＳＥ−ＤＥＴと、磁界検出回路ＳＥ−ＤＥＴからの検出信号ＳＣ−Ｄに対して処理を行い、タッチされた位置の座標を抽出する処理回路ＰＲＳと、制御回路Ｔ−ＣＮＴを備えている。制御回路Ｔ−ＣＮＴは、表示制御装置４から同期信号ＴＳＨＤ、クロック信号ＣＬＫおよび磁界イネーブル信号ＳＣ＿ＥＮと受け、タッチ制御装置６が、表示制御装置４に同期して動作するように制御する。
【００６４】
すなわち、制御回路Ｔ−ＣＮＴは、同期信号ＴＳＨＤおよび磁界イネーブル信号ＳＣ＿ＥＮがタッチ検出を示しているとき、磁界検出回路ＳＥ−ＤＥＴおよび処理回路ＰＲＳが、動作するように制御する。また、制御回路Ｔ−ＣＮＴは、磁界検出回路ＳＥ−ＤＥＴからの検出信号を受け、制御信号ＳＷを形成し、制御回路Ｄ−ＣＮＴへ供給する。処理回路ＰＲＳは、抽出した座標を、座標情報として、外部端子Ｔｏから出力する。
【００６５】
表示パネル２は、画素配列ＬＣＤの行に平行した辺２−Ｕ、２−Ｄと、画素配列ＬＣＤの列に平行した辺２−Ｒ、２−Ｌを有している。ここで、辺２−Ｕと辺２−Ｄは、互いに対向した辺であり、この２辺の間に、画素配列ＬＣＤにおける複数の駆動電極と複数の走査線が挟まれるように配置されている。また、辺２−Ｒと辺２−Ｌも、互いに対向した辺であり、この２辺の間に、画素配列ＬＣＤにおける複数の信号線が挟まれるように配置されている。
【００６６】
切換回路ＤＳＣは、表示パネル２の辺２−Ｒに沿って配置され、選択駆動回路ＳＤＣは、表示パネル２の辺２−Ｌに沿って配置されている。切換回路ＤＳＣは、表示パネル２の辺２−Ｒ側において、表示パネル２に配置されている複数の駆動電極に結合され、選択駆動回路ＳＤＣは、表示パネル２の辺２−Ｌ側において、表示パネル２に配置されている複数の駆動電極に結合されている。すなわち、切換回路ＤＳＣおよび選択駆動回路ＳＤＣは、表示パネル２の外部において、表示パネル２に配置されている駆動電極と接続されている。
【００６７】
選択制御回路ＳＲ−Ｒは、特に制限されないが、表示パネル２の辺２−Ｒに沿って配置されており、同じ辺２−Ｒに沿って配置された切換回路ＤＳＣは、対応する選択制御回路ＳＲ−Ｒからの指示に従って動作する。また、選択制御回路ＳＲ−Ｌは、特に制限されないが、表示パネル２の辺２−Ｌに沿って配置されており、同じ辺２−Ｌに沿って配置された選択駆動回路ＳＤＣは、対応する選択制御回路ＳＲ−Ｌからの指示に従って動作する。
【００６８】
選択制御回路ＳＲ−Ｒは、タッチ検出のときに、複数のコイルが形成されるように、それぞれコイルの巻線となる複数の駆動電極を切換回路ＤＳＣへ指定する。切換回路ＤＳＣは、指定された駆動電極間を電気的に接続することにより、複数のコイルを形成する。また、表示期間のときには、選択制御回路ＳＲ−Ｒは、駆動電極に表示駆動信号ＶＣＯＭＤＣを供給するように、切換回路ＤＳＣを制御する。選択制御回路ＳＲ−Ｌは、タッチ検出のとき、複数のコイルの巻線となる複数の駆動電極を選択駆動回路ＳＤＣに指定する。選択駆動回路ＳＤＣは、指定された複数の駆動電極に対して磁界用の駆動信号（磁界駆動信号）を供給する。また、表示期間のときに、選択制御回路ＳＲ−Ｌは、駆動電極に表示駆動信号ＶＣＯＭＤＣを供給するように、選択駆動回路ＳＤＣを制御する。
【００６９】
すなわち、磁界イネーブル信号ＳＣ＿ＥＮによりタッチ検出が指示されているとき、選択制御回路ＳＲ−Ｒ、ＳＲ−Ｌは、タッチを検出する領域を挟むように配置されている複数の駆動電極を、駆動電極ＴＬ（０）〜ＴＬ（ｐ）から指定する。切換回路ＤＳＣは、指定された複数の駆動電極間を電気的に接続し、選択駆動回路ＳＤＣは、指定された複数の駆動電極に対して、磁界駆動信号を供給する。このときの磁界駆動信号として、選択駆動回路ＳＤＣは、周期的に電圧が変化するコイルクロック信号ＣＣＬＫを供給する。ここで、選択制御回路ＳＲ−Ｒ、ＳＲ−Ｌは、タッチを検出する領域が、複数のコイルの内側に配置されるように、駆動電極を指定する。すなわち、複数のコイル間で重なった領域が、タッチを検出する領域を含むように、選択制御回路ＳＲ−Ｒ、ＳＲ−Ｌは、駆動電極ＴＬ（０）〜ＴＬ（ｐ）から複数の駆動電極を指定する。
【００７０】
これにより、タッチ検出期間であって、磁界発生期間ＴＧＴのとき、タッチを検出する領域においては、複数のコイルによって発生した磁界が重畳されることになり、強い磁界が発生することになる。また、表示期間のときには、駆動電極の両端部から、駆動電極に表示駆動信号が供給されるため、表示期間のとき、駆動電極の電圧を安定化させることが可能となる。
【００７１】
表示パネル２の辺２−Ｕに沿って、切換調整回路ＳＣＸ−Ｕが配置され、辺２−Ｕ側において、切換調整回路ＳＣＸ−Ｕは、表示パネル２に配置された複数の信号線に結合されている。すなわち、切換調整回路ＳＣＸ−Ｕは、表示パネル２の外部において、複数の信号線に接続されている。また、切換調整回路ＳＣＸ−Ｄは、表示パネル２の辺２−Ｄに沿って配置された信号線セレクタ３を介して、表示パネル２に配置された複数の信号線に結合されている。
【００７２】
タッチ検出期間において、磁界イネーブル信号ＳＣ＿ＥＮによりタッチ検出が指定されているとき、切換調整回路ＳＣＸ−Ｕ、ＳＣＸ−Ｄは、表示パネル２に配置されている信号線間を電気的に接続し、信号線を巻線とした複数のコイルを形成する。選択制御回路ＳＲＸ−Ｄは、タッチ検出期間において、信号線により形成された複数のコイルから、タッチを検出する領域を挟むように配置されている信号線により構成されているコイルを選択する。タッチ検出期間であって、磁界検出期間ＴＤＴのとき、選択されたコイルにおける信号の変化が、センス信号Ｓ（０）〜Ｓ（ｐ）として出力され、磁界検出回路ＳＥ−ＤＥＴへ供給される。
【００７３】
図２および図３を用いて説明した電磁誘導方式では、磁界発生に用いるコイルと磁界検出に用いるコイルとが同じであったが、この実施の形態１においては、磁界発生に用いるコイルと磁界検出に用いるコイルとが異なっている。すなわち、磁界発生期間ＴＧＴにおいては、駆動電極により形成されたコイルにより磁界が発生し、磁界検出期間ＴＤＴにおいては、信号線により形成されたコイルにより磁界の検出が行われる。この場合も、電磁誘導方式の基本原理は、図２および図３で説明した基本原理と同じである。すなわち、磁界発生期間ＴＧＴのとき、ペン内コイルＬ１（図２）は、駆動電極により形成されたコイルにより発生した磁界に基づいて、誘起電圧を発生し、容量素子Ｃ（図２）へ充電を行う。また、磁界検出期間ＴＤＴのときには、ペン内コイルＬ１により発生した磁界に基づいて、信号線により形成されたコイルに誘起電圧が発生し、信号線における信号の変化か、タッチ検出の結果を表すセンス信号（以下、検出信号と称する場合もある）となる。
【００７４】
なお、切換調整回路ＳＣＸ−Ｕ、ＳＣＸ−Ｄによって、信号線を巻線としたコイルを形成するとき、信号線セレクタ３は、信号線と切換調整回路ＳＣＸ−Ｄ間を電気的に接続する。
【００７５】
タッチ検出期間においては、磁界イネーブル信号ＳＣ＿ＥＮにより、タッチ制御装置６における磁界検出回路ＳＥ−ＤＥＴが動作する。磁界検出回路ＳＥ−ＤＥＴは、センス信号Ｓ（０）〜Ｓ（ｐ）を増幅し、デジタル信号へ変換して、検出信号ＳＣ−Ｄとして、処理回路ＰＲＳへ供給する。供給された検出信号ＳＣ−Ｄに基づいて、処理回路ＰＲＳは、ペンがタッチした位置の座標を抽出し、位置情報として外部端子Ｔｏから出力する。
【００７６】
磁界検出期間ＴＤＴのとき、選択制御回路ＳＲＸ−Ｄによって、コイルを選択するように説明したが、選択制御回路ＳＲＸ−Ｄは、コイルを選択せずに、信号線により形成されているコイルのそれぞれにおける信号変化を、センス信号Ｓ（０）〜Ｓ（ｐ）として、磁界検出回路ＳＥ−ＤＥＴへ供給するようにしてもよい。この場合、磁界検出回路ＳＥ−ＤＥＴにおいて、センス信号Ｓ（０）〜Ｓ（ｐ）のそれぞれを、時間的に並列に増幅することが可能であり、検出動作の高速化を図ることが可能となる。
【００７７】
タッチ検出期間における、切換回路ＤＳＣ、選択駆動回路ＳＤＣ、切換調整回路ＳＣＸ−Ｕ、ＳＣＸ−Ｄおよび選択制御回路ＳＲ−Ｒ、ＳＲ−Ｌ、ＳＲＸ−Ｄの動作概要を説明したが、表示期間においては、次のように動作する。
【００７８】
すなわち、表示期間において、切換回路ＤＳＣおよび選択駆動回路ＳＤＣは、複数の駆動電極に表示駆動信号を供給する。また、切換調整回路ＳＣＸ−Ｕ、ＳＣＸ−Ｄは、信号線間を電気的に分離する。これにより、表示期間においては、信号線ドライバＤ−ＤＲＶからの画像信号Ｓｎが信号線セレクタ３によって、適切な信号線に供給される。また、駆動電極には、表示駆動信号が供給されるため、走査線がハイレベルになることにより、選択された画素には、信号線に供給されている画像信号と駆動電極に供給されている表示駆動信号との電圧差が与えられることになり、画像信号に従った表示が行われる。
【００７９】
この実施の形態１においては、駆動電極は、磁界を発生するためのコイルの巻線および表示駆動電極を伝達する信号配線として兼用されることになる。また、信号線は、磁界を検出するためのコイルの巻線と画像信号を伝達する信号配線として兼用されることになる。これにより、タッチ検出機能を有する液晶表示装置１を、製造コストの上昇を抑制しながら提供することが可能となる。
【００８０】
実施の形態１において、切換回路ＤＳＣ、選択駆動回路ＳＤＣおよび選択制御回路ＳＲ−Ｒ、ＳＲ−Ｌによって、駆動電極に、表示駆動信号または磁界駆動信号が供給される。そのため、切換回路ＤＳＣ、選択駆動回路ＳＤＣおよび選択制御回路ＳＲ−Ｒ、ＳＲ−Ｌによって、電極駆動回路が構成されていると見なすことができる。
【００８１】
同様に、切換調整回路ＳＣＸ−Ｕ、ＳＣＸ−Ｄおよび選択制御回路ＳＲＸ−Ｄにより、画像信号またはセンス信号の伝達が行われる。そのため、切換調整回路ＳＣＸ−Ｕ、ＳＣＸ−Ｄおよび選択制御回路ＳＲＸ−Ｄによって、信号線駆動回路が構成されていると見なすことができる。この場合、信号線駆動回路は、表示パネル２の辺２−Ｕに沿って配置された第１切換回路ＳＣＸ−Ｕと、表示パネル２の辺２−Ｄ側に沿って配置された第２切換回路ＳＣＸ−Ｄを有する切換回路と、選択制御回路ＳＲＸ−Ｄとにより構成されていると見なすことができる。
＜液晶表示装置１のモジュール構成＞
【００８２】
図７は、液晶表示装置１を実装したモジュール５００の全体構成を示す模式的な平面図である。模式的ではあるが、図７は、実際の配置に合わせて描かれている。同図において、５０１は、図４および図５で示したＴＦＴガラス基板における領域を示しており、５０２は、図４および図５で示したＴＦＴガラス基板とＣＦガラス基板とを有する領域を示している。モジュール５００において、ＴＦＴガラス基板は一体となっている。すなわち、領域５０１と領域５０２とにおいて、ＴＦＴガラス基板は共通であり、領域５０２には、図４および図５に示したように、ＴＦＴガラス基板の上方面に、ＣＦガラス基板等が、さらに形成されている。
【００８３】
図７において、５００−Ｕは、モジュール５００の短辺を示しており、５００−Ｄは、モジュール５００の辺であって、短辺５００−Ｕと対向する短辺を示している。また、５００−Ｌは、モジュール５００の長辺を示しており、５００−Ｒは、モジュールの辺であって、長辺５００−Ｌに対向する長辺を示している。
【００８４】
領域５０２であって、表示パネル２の辺２−Ｌとモジュール５００の長辺５００−Ｌとの間の領域には、図６で示したゲートドライバ５、選択駆動回路ＳＤＣおよび選択制御回路ＳＲ−Ｌが配置されている。また、表示パネル２の辺２−Ｒとモジュール５００の長辺５００−Ｒとの間の領域には、図６で示した切換回路ＤＳＣおよび選択制御回路ＳＲ−Ｒが配置されている。表示パネル２の辺２−Ｕとモジュール５００の短辺５００−Ｕとの間の領域には、図６で示した切換調整回路ＳＣＸ−Ｕが配置されている。
【００８５】
また、表示パネル２の辺２−Ｄとモジュール５００の短辺５００−Ｄとの間の領域には、図６で示した信号線セレクタ３、切換調整回路ＳＣＸ−Ｄ、選択制御回路ＳＲＸ−Ｄおよびドライブ用半導体装置ＤＤＩＣが配置されている。
【００８６】
この実施の形態１においては、図６に示した信号線ドライブＤ−ＤＲＶおよび制御回路Ｄ−ＣＮＴは、１個の半導体装置に内蔵されている。本明細書においては、この１個の半導体装置が、ドライブ用半導体装置ＤＤＩＣとして示されている。また、図６に示したタッチ制御装置６も、１個の半導体装置に内蔵されている。本明細書においては、ドライブ用半導体装置ＤＤＩＣと区別するために、タッチ制御装置６を内蔵した半導体装置をタッチ用半導体装置６と称する。勿論、ドライブ用半導体装置ＤＤＩＣおよびタッチ用半導体装置６のそれぞれは、複数の半導体装置で構成してもよい。また、例えばドライブ用半導体装置ＤＤＩＣに、切換調整回路ＳＣＸ−Ｄおよび選択制御回路ＳＲＸ−Ｄを内蔵させてもよい。
【００８７】
この実施の形態１においては、切換調整回路ＳＣＸ−Ｄおよび選択制御回路ＳＲＸ−Ｄは、領域５０１に配置されており、領域５０１のＴＦＴガラス基板に形成された配線および部品により構成されている。部品としては、スイッチ部品があり、スイッチ部品は例えば薄膜トランジスタ（以下、ＴＦＴトランジスタと称する）である。また、平面視的に、切換調整回路ＳＣＸ−Ｄおよび選択制御回路ＳＲＸ−Ｄを覆うように、ドライブ用半導体装置ＤＤＩＣが、ＴＦＴガラス基板に実装されている。これにより、表示パネル２の下側額縁が大きくなるのを抑制することが可能となる。
【００８８】
また、切換回路ＤＳＣ、選択駆動回路ＳＤＣ、切換調整回路ＳＣＸ−Ｕおよび選択制御回路ＳＲ−Ｒ，ＳＲ−Ｌを構成する部品も、領域５０２におけるＴＦＴガラス基板上に形成されている。
【００８９】
図７において、ＦＢ１、ＦＢ２は、フレキシブルケーブルを示している。特に制限されないが、フレキシブルケーブルＦＢ１には、タッチ用半導体装置６が実装され、フレキシブルケーブルＦＢ２には、コネクタＣＮが実装されている。図６において説明したセンス信号Ｓ（０）〜Ｓ（ｐ）は、このコネクタＣＮを介して、選択制御回路ＳＲＸ−Ｄからタッチ用半導体装置６に供給されている。さらに、コネクタＣＮを介して、タッチ用半導体装置６とドライブ用半導体装置ＤＤＩＣとの間で信号の送受信が行われる。図７には、送受信される信号の例として、同期信号ＴＳＨＤが描かれている。
【００９０】
表示パネル２には、既に述べたように、複数の画素が行列状に配置された画素配列を有しており、画素配列は、配列の行に沿って配置された複数の駆動電極ＴＬ（０）〜ＴＬ（ｐ）および走査線ＧＬ（０）〜ＧＬ（ｐ）と、配列の列に沿って配置された複数の信号線ＳＬ（０）〜ＳＬ（ｐ）とを備えている。図７には、例として、２個の駆動電極ＴＬ（ｎ）、ＴＬ（ｍ）と２個の信号配線ＳＬ（ｋ）、ＳＬ（ｎ）とが示されている。なお、図７では、走査線は、省略されている。信号線ＳＬ（０）〜ＳＬ（ｐ）と走査線あるいは駆動電極ＴＬ（０）〜ＴＬ（ｐ）との交差部分には、画素が配置されている。図７に示した表示パネル２の４辺に明示してあるＲ、Ｇ、Ｂは、３原色に対応した画素を示している。
【００９１】
図８は、表示パネル２が備えている駆動電極と信号線との関係を示す平面図である。表示パネル２は、駆動電極ＴＬ（０）〜ＴＬ（ｐ）および信号線ＳＬ（０）〜ＳＬ（ｐ）を備えているが、図８には、これらの駆動電極および信号線のうちの一部が、駆動電極ＴＬ（ｎ−６）〜ＴＬ（ｎ＋９）および信号線ＳＬ（ｎ−６）〜ＳＬ（ｎ＋９）として例示されている。なお、図８には、走査線は省略されている。
【００９２】
図８に示した駆動電極ＴＬ（ｎ−６）〜ＴＬ（ｎ＋９）を例にして、駆動電極を説明すると、それぞれの駆動電極は、第１電極と、この第１電極に接続された複数の第２電極とを備えている。ここで、第１電極は、例えば透明電極であり、第２電極は、第１電極よりもシート抵抗の低い電極である。図８には、それぞれの駆動電極が備えている複数の第２電極のうち１個の第２電極が、補助電極ＳＭとして示されている。なお、図面が複雑になるのを避けるために、図８では、駆動電極ＴＬ（ｎ−６）およびＴＬ（ｎ＋９）が備えている補助電極についてのみ、符号ＳＭが付されている。
【００９３】
補助電極ＳＭも、駆動電極を構成する第１電極（透明電極）と同様に、配列の行方向に延在し、第１電極と電気的に接続されている。これにより、第１電極と補助電極（第２電極）とを備えている駆動電極の合成抵抗（インピーダンス）の低減が図られている。本明細書においては、特に明示しない限り、第１電極（透明電極）と、この第１電極に接続された第２電極（補助電極ＳＭ）とを合わせて、駆動電極と称している。
【００９４】
なお、図８において、符号Ｕ（−６）〜Ｕ（＋９）およびＤ（−６）〜Ｄ（＋９）は、あとで説明する切換調整回路ＳＣＸ−Ｕ、ＳＣＸ−Ｄとの接続を示すための符号である。
＜表示パネルの構造＞
【００９５】
図９は、実施の形態１に係わる液晶表示装置１に含まれる表示パネル２の構成を示す断面図である。表示という観点で見た場合、表示パネル２の領域（第１領域）は、アクティブな領域（アクティブ領域）であり、表示が行われる表示領域である。これに対して、表示パネル２の外部の領域（第２領域）は、表示が行われない領域で有り、非アクティブな領域（非アクティブ領域）あるいは周辺領域と見なすことができる。図７を例にして説明すると、アクティブ領域は、表示パネル２の辺２−Ｕ、２−Ｄ、２−Ｒおよび２−Ｌによって囲まれた領域である。
【００９６】
図９は、図７に示した表示パネル２のＡ−Ａ’断面を示している。この実施の形態１においては、カラー表示を行うために、Ｒ（赤）、Ｇ（緑）およびＢ（青）の３原色のそれぞれに対応した３個の画素を用いて、１個のカラー画素を表示する。すなわち、１個のカラー画素が、３個の副画素により構成されていると見なすことができる。この場合、表示期間において、カラー画像信号を伝達する信号線は、３個の信号線により構成されることになる。図９には、具体的な表示パネル２の構造を示すために、カラー表示を行う例が示されている。
【００９７】
図９を説明する前に、図９で用いる信号線の符号を説明しておく。信号線ＳＬ（０）〜ＳＬ（ｐ）のそれぞれは、表示期間において、カラー画像信号を伝達する信号線を示している。それぞれの信号線は、３個の副画素に画像信号を伝達する３個の信号線を有している。図９においては、信号線の符号の後に対応する副画素の英字を付して、３個の信号線を区別している。信号線ＳＬ（ｎ）を例にすると、信号線ＳＬ（ｎ）は、信号線ＳＬ（ｎ）Ｒ、ＳＬ（ｎ）ＧおよびＳＬ（ｎ）Ｂを有している。ここで、符号ＳＬ（ｎ）の後に付した英字Ｒは、表示期間においては、三原色の赤（Ｒ）に対応する副画素へ画像信号を伝達する信号線を示しており、符号ＳＬ（ｎ）の後に付した英字Ｇは、三原色の緑（Ｇ）に対応する副画素へ画像信号を伝達する信号線を示しており、符号ＳＬ（ｎ）の後に付した英字Ｂは、三原色の青（Ｂ）に対応する副画素へ画像信号を伝達する信号線を示している。
【００９８】
図９において、６００は、ＴＦＴガラス基板を示している。ＴＦＴガラス基板６００には、第１配線層（金属配線層）６０１が形成されている。この第１配線層６０１に形成された配線によって、走査線ＧＬ（ｎ）が構成される。第１配線層６０１の上には、絶縁層６０２が形成されており、絶縁層６０２上には、第２配線層（金属配線層）６０３が形成されている。第２配線層６０３に形成された配線によって、信号線ＳＬ（ｎ）Ｒ、ＳＬ（ｎ）Ｇ、ＳＬ（ｎ）Ｂ、信号線ＳＬ（ｎ＋１）Ｒ、ＳＬ（ｎ＋１）Ｇ、ＳＬ（ｎ＋１）Ｂおよび信号線ＳＬ（ｎ＋２）Ｒ、ＳＬ（ｎ＋２）Ｇが構成される。同図では、これらの信号線が第２配線層６０３によって構成されていることを示すために、信号線の符号の後に、第２配線層を示す符号６０３を［］内に記載している。例えば、信号線ＳＬ（ｎ）Ｇは、ＳＬ（ｎ）Ｇ［６０３］として示されている。
【００９９】
第２配線層６０３上には、絶縁層６０４が形成され、絶縁層６０４上には、第３配線層（金属配線層）６０５が形成されている。第３配線層６０５に形成された配線によって、駆動電極ＴＬ（ｎ）と補助電極ＳＭが構成されている。ここで、駆動電極ＴＬ（ｎ）は、透明電極（第１電極）である。また、補助電極ＳＭ（第２電極）は、駆動電極ＴＬ（ｎ）よりも抵抗値が低く、駆動電極ＴＬ（ｎ）と電気的に接続するように形成されている。透明電極である駆動電極ＴＬ（ｎ）の抵抗値は、比較的高いが、補助電極ＳＭを駆動電極ＴＬ（ｎ）と電気的に接続することにより、合成抵抗を低減することが可能となっている。ここでも、駆動電極および補助電極の符号に付された［６０５］は、第３配線層６０５により構成されていることを示している。
【０１００】
第３配線層６０５上には、絶縁層６０６が形成され、絶縁層６０６の上面には画素電極ＬＤＰが形成されている。図９において、ＣＲ、ＣＢ、ＣＧのそれぞれは、カラーフィルタである。カラーフィルタＣＲ（赤）、ＣＧ（緑）、ＣＢ（青）と絶縁層６０６との間には液晶層６０７が挟まれている。ここで、画素電極ＬＤＰは、走査線と信号線との交点に設けられており、各画素電極ＬＤＰの上方に、それぞれの画素電極ＬＤＰに対応したカラーフィルタＣＲ、ＣＧあるいはＣＢが設けられている。各カラーフィルタＣＲ、ＣＧ、ＣＢ間にはブラックマトリクスＢＭが設けられている。
【０１０１】
また、図９では、省略されているが、カラーフィルタＣＲ、ＣＧ、ＣＢ上には、図４および図５に示したように、ＣＦガラス基板が形成されている。さらに、ＣＦガラス基板の上には、図５に示すように、偏光板が配置されている。
＜画素配列＞
【０１０２】
次に、表示パネル２の回路構成を説明しておく。図１０は、図７に示した表示パネル２の回路構成を示す回路図である。図１０においても、信号線は、図９と同じ表示形式で表されている。同図において、一点鎖線で示した複数個のＳＰｉｘのそれぞれは、１個の液晶表示素子（副画素）を示している。副画素ＳＰｉｘは、表示パネル２において、行列状に配置され、液晶素子配列（画素配列）ＬＣＤを構成している。画素配列ＬＣＤは、各行に配置され、行方向に延在する複数の走査線ＧＬ（０）〜ＧＬ（ｐ）と、各列に配置され、列方向に延在する信号線ＳＬ（０）Ｒ、ＳＬ（０）Ｇ、ＳＬ（０）Ｂ〜ＳＬ（ｐ）Ｒ、ＳＬ（ｐ）Ｇ、ＳＬ（ｐ）Ｂとを具備している。また、画素配列ＬＣＤは、各行に配置され、行方向に延在する駆動電極ＴＬ（０）〜ＴＬ（ｐ）を有している。
【０１０３】
図１０には、走査線ＧＬ（ｎ−１）〜ＧＬ（ｎ＋１）と、信号線ＳＬ（ｎ）Ｒ、ＳＬ（ｎ）Ｇ、ＳＬ（ｎ）Ｂ〜ＳＬ（ｎ＋１）Ｒ、ＳＬ（ｎ＋１）Ｇ、ＳＬ（ｎ＋１）Ｂと、駆動電極ＴＬ（ｎ−１）〜ＴＬ（ｎ＋１）に関する画素配列の部分のみが示されている。図１０においては、説明を容易にするために、駆動電極ＴＬ（ｎ−１）〜ＴＬ（ｎ＋１）が、それぞれの行に配置されているように、示されているが、複数の行に対して１個の駆動電極を配置するようにしてもよい。
【０１０４】
画素配列ＬＣＤの行と列の交点に配置されたそれぞれの副画素ＳＰｉｘは、ＴＦＴガラス基板６００に形成されたＴＦＴトランジスタＴｒと、ＴＦＴトランジスタＴｒのソースに一方の端子が接続された液晶素子ＬＣとを具備している。画素配列ＬＣＤにおいて、同じ行に配置された複数の副画素ＳＰｉｘのＴＦＴトランジスタＴｒのゲートは、同じ行に配置されている走査線に接続され、同じ列に配置された複数の副画素ＳＰｉｘのＴＦＴトランジスタＴｒのドレインは、同じ列に配置された信号線に接続されている。言い換えるならば、複数の副画素ＳＰｉｘが、行列状に配置され、各行には、走査線が配置され、走査線には、対応する行に配置された複数の副画素ＳＰｉｘが接続されている。また、各列には信号線が配置され、信号線には、対応する列に配置された画素ＳＰｉｘが接続されている。また、同じ行に配置された複数の副画素ＳＰｉｘの液晶素子ＬＣの他端は、行に配置された駆動電極に接続されている。
【０１０５】
図１０に示した例で説明すれば、同図において、最上段の行に配置された複数の副画素ＳＰｉｘのそれぞれのＴＦＴトランジスタＴｒのゲートは、最上段の行に配置された走査線ＧＬ（ｎ−１）に接続されている。また、同図において、最も左側の列に配置された複数の副画素ＳＰｉｘのそれぞれのＴＦＴトランジスタＴｒのドレインは、最も左側の列に配置された信号線ＳＬ（ｎ）Ｒに接続されている。さらに、最上段の行に配置された複数の副画素ＳＰｉｘのそれぞれの液晶素子ＬＣの他端は、図１０においては、最上段の行に配置された駆動電極ＴＬ（ｎ−１）に接続されている。
【０１０６】
１個の副画素ＳＰｉｘが、先に述べたように、３原色の１つに対応する。従って、３個の副画素ＳＰｉｘによって、Ｒ、Ｇ、Ｂの３原色が構成される。図１０では、同じ行に、連続的に配置された３個の副画素ＳＰｉｘによって、１つのカラー画素Ｐｉｘが形成され、当該画素Ｐｉｘにてカラーが表現される。すなわち、図１０において、７００Ｒとして示されている副画素ＳＰｉｘが、Ｒ（赤）の副画素ＳＰｉｘ（Ｒ）とされ、７００Ｇとして示されている副画素ＳＰｉｘが、Ｇ（緑）の副画素ＳＰｉｘ（Ｇ）とされ、７００Ｂとして示されている副画素ＳＰｉｘが、Ｂ（青）の副画素ＳＰｉｘ（Ｂ）とされる。そのために、７００Ｒとして示されている副画素ＳＰｉｘ（Ｒ）には、カラーフィルタとして赤色のカラーフィルタＣＲが設けられており、７００Ｇの副画素ＳＰｉｘ（Ｇ）には、カラーフィルタとして緑色のカラーフィルタＣＧが設けられており、７００Ｂの副画素ＳＰｉｘ（Ｂ）には、カラーフィルタとして青色のカラーフィルタＣＢが設けられている。
【０１０７】
また、１つの画素を表す信号のうち、Ｒに対応する画像信号が、信号線セレクタ３から、信号線ＳＬ（ｎ）Ｒに供給され、Ｇに対応する画像信号が、信号線セレクタ３から、信号線ＳＬ（ｎ）Ｇに供給され、Ｂに対応する画像信号が、信号線セレクタ３から、信号線ＳＬ（ｎ）Ｂに供給される。
【０１０８】
各副画素ＳＰｉｘにおけるＴＦＴトランジスタＴｒは、特に制限されないが、Ｎチャンネル型ＴＦＴトランジスタである。走査線ＧＬ（０）〜ＧＬ（ｐ）には、例えばこの順番で順次ハイレベルとなるパルス状の走査線信号が、ゲートドライバ５（図６および図７）から供給される。すなわち、画素配列ＬＣＤにおいて、上段の行に配置された走査線ＧＬ（０）から下段の行に配置された走査線ＧＬ（ｐ）に向かって、走査線の電圧が、順次ハイレベルとなる。これにより、画素配列ＬＣＤにおいて、上段の行に配置された副画素ＳＰｉｘから下段の行に配置された副画素ＳＰｉｘに向かって、副画素ＳＰｉｘにおけるＴＦＴトランジスタＴｒが、順次導通状態となる。
【０１０９】
ＴＦＴトランジスタＴｒが導通状態となることにより、そのとき信号線に供給されている画像信号が、導通状態のＴＦＴトランジスタを介して、液晶素子ＬＣに供給される。液晶素子ＬＣは、駆動電極ＴＬ（０）〜ＴＬ（ｐ）に供給されている表示駆動信号の電圧と、供給された画像信号の電圧との間の差電圧に従って、電界が変化し、その液晶素子ＬＣを透過する光の変調が変わる。これにより、走査線ＧＬ（０）〜ＧＬ（ｐ）に供給する走査線信号に同期して、信号線ＳＬ（０）Ｒ、ＳＬ（０）Ｇ、ＳＬ（ｎ）Ｂ〜ＳＬ（ｐ）Ｒ、ＳＬ（ｐ）Ｇ、ＳＬ（ｐ）Ｂに供給した画像信号に応じたカラー画像が、表示パネル２に表示されることになる。
【０１１０】
複数の副画素ＳＰｉｘのそれぞれは、選択端子と１対の端子とを有していると見なすことができる。この場合、副画素ＳＰｉｘを構成するＴＦＴトランジスタＴｒのゲートが、副画素ＳＰｉｘの選択端子であり、ＴＦＴトランジスタＴｒのドレインが、１対の端子のうちの一方の端子であり、液晶素子ＬＣの他端が、副画素ＳＰｉｘの他方の端子である。
【０１１１】
ここで、図６および図７に示した表示パネル２の配置と、図１０に示した回路図との対応を述べておくと、次のようになる。
【０１１２】
画素配列ＬＣＤは、その配列の行と実質的に平行な１対の辺と、その配列の列と実質的に平行な１対の辺とを有している。画素配列ＬＣＤの行と平行な１対の辺が、図６および図７に示した表示パネル２の短辺２−Ｕ、２−Ｄに対応した第１辺、第２辺であり、画素ＬＣＤの列と平行な１対の辺が、表示パネル２の長辺２−Ｌ、２−Ｒに対応した第３辺、第４辺である。
【０１１３】
画素配列ＬＣＤにおいて、行と平行な１対の辺のうちの第２辺、すなわち、表示パネル２の一方の短辺２−Ｄに沿って、図７に示されているように、信号セレクタ３、切換調整回路ＳＣＸ−Ｄ、選択制御回路ＳＲＸ−Ｄ、ドライブ用半導体装置ＤＤＩＣが配置されている。画素配列ＬＣＤにおいては、この第２辺（液晶パネル２の短辺２−Ｄ）において、信号線セレクタ３を介して、ドライブ用半導体装置ＤＤＩＣからの画像信号が、信号線ＳＬ（０）Ｒ、ＳＬ（０）Ｇ、ＳＬ（０）Ｂ〜ＳＬ（ｐ）Ｒ、ＳＬ（ｐ）Ｇ、ＳＬ（ｐ）Ｂに供給される。
【０１１４】
また、画素配列ＬＣＤの第１辺、すなわち、表示パネル２の他方の辺（短辺２−Ｕ）に沿って、図７に示したように、切換調整回路ＳＣＸ−Ｕが配置されている。
【０１１５】
画素配列ＬＣＤにおいて、列と平行な１対の辺（第３辺、第４辺）のうち第３辺、すなわち、表示パネル２の長辺２−Ｌに沿って、ゲートドライバ５、選択制御回路ＳＲ−Ｌ、選択駆動回路ＳＤＣが配置されている。画素配列ＬＣＤにおいては、この第３辺において、走査線ＧＬ（０）〜ＧＬ（ｐ）にゲートドライバ５からの走査線信号が供給される。図７では、ゲートドライバ５が、表示パネル２の長辺２−Ｌに沿って配置されていたが、ゲートドライバ５を、２個に分け、長辺２−Ｌ（画素配列ＬＣＤの第３辺）と長辺２−Ｒ（画素配列ＬＣＤの第４辺）のそれぞれに沿って配置するようにしてもよい。また、画素配列ＬＣＤにおいては、表示期間のとき、第３辺において、選択駆動回路ＳＤＣから、駆動電極に表示駆動信号が供給され、タッチ検出期間の磁界発生期間ＴＧＴのとき、第３辺において、選択駆動回路ＳＤＣから、磁界駆動信号が、指定された複数の駆動電極へ供給される。
【０１１６】
また、画素配列ＬＣＤの第４辺、すなわち表示パネル２の長辺２−Ｒに沿って、図７に示したように、切換回路ＤＳＣ、選択制御回路ＳＲ−Ｒが配置されている。表示期間においては、この第４辺において、切換回路ＤＳＣから表示駆動信号が、共通電極へ供給される。タッチ検出期間においては、第４辺側において、複数の駆動電極間が電気的に接続される。
【０１１７】
表示パネル２においてカラー表示を行う場合の画素配列ＬＣＤを具体的に説明したが、それぞれ３個の副画素ＳＰｉｘにより構成された複数のカラー画素Ｐｉｘ（画素）により、画素配列ＬＣＤが構成されていると見なしてもよい。このように見なした場合、複数の画素Ｐｉｘが、行列状に配置され、画素配列ＬＣＤが構成される。画素Ｐｉｘにより構成された画素配列ＬＣＤのそれぞれの行には、対応する走査線ＧＬ（０）〜ＧＬ（ｐ）と、対応する駆動電極ＴＬ（０）〜ＴＬ（ｐ）が配置され、それぞれの列には、信号線ＳＬ（０）〜ＳＬ（ｐ）が配置される。
【０１１８】
この場合、３個の副画素ＳＰｉｘを、１個の画素Ｐｉｘと見なし、画素Ｐｉｘは、副画素ＳＰｉｘと同様な構成を有していると見なす。画素配列ＬＣＤに行列状に配置された画素Ｐｉｘのそれぞれの選択端子は、画素Ｐｉｘと同じ行に配置された走査線ＧＬ（０）〜ＧＬ（ｐ）に接続され、画素Ｐｉｘのそれぞれの一方の端子は、同じ列に配置された信号線ＳＬ（０）〜ＳＬ（ｐ）に接続され、画素Ｐｉｘのそれぞれの他方の端子は、同じ列に配置された駆動電極ＴＬ（０）〜ＴＬ（ｐ）に接続されることになる。勿論、１個の駆動電極が、画素配列ＬＣＤの複数の行に対応していてもよい。この場合には、複数の行に配置された画素Ｐｉｘの他方の端子が、共通の駆動電極に接続されることになる。
【０１１９】
このように、画素配列ＬＣＤが、複数の画素Ｐｉｘにより構成されていると見なした場合においても、図６および図７に示した表示パネル２の配置と、図１０に示した回路図との対応は、先に説明した内容と同じである。
【０１２０】
１個のカラー画素Ｐｉｘを構成する副画素ＳＰｉｘの数が、３個の場合を説明したが、これに限定されるものではなく、例えば上記Ｒ、Ｇ、Ｂに加えて白（Ｗ）や黄色（Ｙ）、または上記Ｒ、Ｇ、Ｂの補色（シアン（Ｃ）、マゼンタ（Ｍ）、イエロー（Ｙ））のいずれか１色又は複数色を加えた副画素で１つのカラー画素としてもよい。
＜電極駆動回路＞
【０１２１】
次に、実施の形態１に係わる液晶表示装置１における電極駆動回路（選択制御回路ＳＲ−Ｒ、ＳＲ−Ｌ、切換回路ＤＳＣおよび選択駆動回路ＳＤＣ）を、図１１〜図１５を用いて説明する。
＜＜電極駆動回路の動作概要＞＞
【０１２２】
電極駆動回路の理解を容易にするために、先ず、動作概要を述べておく。実施の形態１においては、磁界発生期間ＴＧＴのとき、複数の駆動電極ＴＬ（０）〜ＴＬ（ｐ）のなかから、４個の駆動電極が指定される。指定された４個の駆動電極は、それぞれ２個が１つの束（ペア−）とされ、２個の束が構成される。それぞれの束において、一方の駆動電極の端部と、他方の駆動電極の端部とが、互いに電気的に接続される。駆動電極は、互いに平行して配置されているため、端部間を電気的に接続することにより、それぞれの束において駆動電極を巻線としたコイルが形成される。１個の束により、１個のコイルが形成されるため、４個の駆動電極により、２個のコイルが形成されることになる。
【０１２３】
４個の駆動電極を指定するとき、形成される２個のコイル間で、コイルの内側が互いに重なるようにように指定される。言い換えるならば、２個の束を第１束と第２束とした場合、第１束を構成する２個の駆動電極によって挟まれる領域（駆動電極）と第２束を構成する２個の駆動電極によって挟まれる領域（駆動電極）とが、重なるような、駆動電極を指定する。
【０１２４】
形成された２個のコイルには、互いに同期したコイルクロック信号が、実質的に同時に、磁界駆動信号として供給される。これにより、重なった領域（駆動電極に相当する領域）においては、第１束の駆動電極により形成されたコイルにより発生する磁界と、第２束の駆動電極により形成されたコイルにより発生する磁界とが重畳されることになる。第１束および第２束により形成されるコイルのそれぞれは、１回巻線のコイルとなるため、駆動電極のシート抵抗が比較的高くても、形成されるコイルの長さが比較的短くなるため、コイルのインピーダンスが高くなるのを抑制することが可能となり、コイルクロック信号に同期して、コイルを流れる駆動電流が小さくなるのを抑制することが可能となる。その結果、コイル１個当たりが発生する磁界が弱くなるのを抑制しつつ、磁界の重畳によって、重なった領域における磁界を強くすることが可能となる。
【０１２５】
また、実施の形態１においては、コイルが互いに重なる領域として、互いに隣接した２個の駆動電極に対応する領域が設定される。所定の磁界発生期間ＴＧＴにおいては、この互いに隣接した２個の駆動電極の領域を挟むように配置されている４個の駆動電極によって、２個のコイルを形成し、互いに隣接した２個の駆動電極の領域において磁界を発生する。次の磁界発生期間ＴＧＴにおいては、この互いに隣接した２個の駆動電極を、２個の束を構成する駆動電極として指定し、次の磁界発生期間ＴＧＴにおいては、この指定した駆動電極を含む２個の束によって、２個のコイルを形成し、磁界を発生する。これにより、重なった領域に相当する駆動電極が、次の磁界発生期間ＴＧＴにおいては、磁界を発生するためのコイルの巻線として用いられることになる。このように、重なった領域に対応する駆動電極を、次の磁界発生期間ＴＧＴにおいては、コイルの巻線として用いように、順次駆動電極を指定することにより、表示パネル２がタッチされているか、あるいはタッチされている表示パネル２の位置をスキャンすることが可能となる。
【０１２６】
このようなスキャンを行うことにより、タッチを検出する領域（重なった領域）と、スキャンにおいて、コイルをずらす領域とを同じ大きさにすることが可能となり、スキャンにおいて磁界が発生しない領域が生じるのを防ぐことが可能となり、タッチの検出精度が低下するような領域が生じるのを防ぐことが可能となる。実施の形態１に沿って説明すると、スキャンにおいては、重なった領域は、２個の駆動電極に相当し、２束を単位としてコイルがずれる（移動する）。
＜＜電極駆動回路の構成＞＞
【０１２７】
図１１は、実施の形態１に係わる液晶表示装置１の構成を示すブロック図である。同図には、駆動電極ＴＬ（０）〜ＴＬ（ｐ）と、これらの駆動電極のうち駆動電極ＴＬ（ｎ−２）〜ＴＬ（ｎ＋７）に対応する電極駆動回路（選択制御回路ＳＲ−Ｒ、ＳＲ−Ｌ、切換回路ＤＳＣ、選択駆動回路ＳＤＣ）の部分の構成が示されている。なお、先に説明したように、それぞれの駆動電極は、第１電極（透明電極）と第２電極（補助電極）とを備えている。図１１では、このことを明示するために、補助電極ＳＭの符号を付した実線が、代表として、駆動電極ＴＬ（０）およびＴＬ（ｐ）に描かれている。
＜＜選択制御回路ＳＲ−Ｒおよび切換回路ＤＳＣ＞＞
【０１２８】
選択制御回路ＳＲ−Ｒは、特に制限されないが、実施の形態１においては、シフトレジスタを有している。このシフトレジスタは、磁界イネーブル信号ＳＣ＿ＥＮによって、タッチ検出の動作が指示され、制御信号Ｙ−ＣＮＴが例えばハイレベルになることにより、クロック信号ＣＬＫの変化に同期してシフト動作を行う。選択制御回路ＳＲ−Ｒは、シフトレジスタの各段に対応する複数の単位選択回路を備えている。タッチ検出の動作が指定されると、クロック信号ＣＬＫの変化に同期して、複数の単位選択回路から順次、論理値“１”に相当するハイレベルの選択信号が出力される。実施の形態１においては、複数の単位選択回路のそれぞれは、強い磁界を発生する領域に１対１に対応している。実施の形態１において、それぞれ強い磁界を発生する領域は、互いに近接して配置された２個の駆動電極に相当している。そのため、選択制御回路ＳＲ−Ｒは、それぞれ２個の駆動電極に対して１対１に対応した複数の単位選択回路を備えていることになる。
【０１２９】
図１１においては、駆動電極ＴＬ（ｎ）と駆動電極ＴＬ（ｎ＋１）が、強い磁界を発生する１個の領域に相当している。同様に、駆動電極ＴＬ（ｎ＋２）と駆動電極ＴＬ（ｎ＋３）が、強い磁界を発生する１個の領域に相当し、駆動電極ＴＬ（ｎ＋４）と駆動電極ＴＬ（ｎ＋５）が、強い磁界を発生する１個の領域に相当し、駆動電極ＴＬ（ｎ＋６）と駆動電極ＴＬ（ｎ＋７）が、強い磁界を発生する１個の領域に相当し、駆動電極ＴＬ（ｎ−２）と駆動電極ＴＬ（ｎ−１）が、強い磁界を発生する１個の領域に相当している。
【０１３０】
図１１には、選択制御回路ＳＲ−Ｒを構成する複数の単位選択回路のうち、これらの強い磁界を発生する領域に対応する単位選択回路ＵＳＲ（ｎ−２）〜ＵＳＲ（ｎ＋６）が示されている。すなわち、単位選択回路ＵＳＲ（ｎ）は、駆動電極ＴＬ（ｎ）と駆動電極ＴＬ（ｎ＋１）に相当する領域に対応している。同様に、単位選択回路ＵＳＲ（ｎ＋２）は、駆動電極ＴＬ（ｎ＋２）と駆動電極ＴＬ（ｎ＋３）に相当する領域に対応しており、単位選択回路ＵＳＲ（ｎ＋４）は、駆動電極ＴＬ（ｎ＋４）と駆動電極ＴＬ（ｎ＋５）に相当する領域に対応している。また、単位選択回路ＵＳＲ（ｎ＋６）は、駆動電極ＴＬ（ｎ＋６）と駆動電極ＴＬ（ｎ＋７）に相当する領域に対応しており、単位選択回路ＵＳＲ（ｎ−２）は、駆動電極ＴＬ（ｎ−２）と駆動電極ＴＬ（ｎ−１）に相当する領域に対応している。
【０１３１】
単位選択回路ＵＳＲ（ｎ−２）、ＵＳＲ（ｎ）、ＵＳＲ（ｎ＋２）、ＵＳＲ（ｎ＋４）、ＵＳＲ（ｎ＋６）は、タッチ検出期間のとき、クロック信号ＣＬＫに同期して、選択信号Ｔｙ（ｎ−２）Ｒ、Ｔｙ（ｎ）Ｒ、Ｔｙ（ｎ＋２）Ｒ、Ｔｙ（ｎ＋４）Ｒ、Ｔｙ（ｎ＋６）Ｒを出力する。単位選択回路ＵＳＲ（ｎ−２）〜ＵＳＲ（ｎ＋６）からの選択信号Ｔｙ（ｎ−２）Ｒ〜Ｔｙ（ｎ＋６）は、切換回路ＤＳＣに供給される。
【０１３２】
切換回路ＤＳＣは、信号配線ＬＬ１、ＬＬ２、電圧配線ＶＬ１および第１スイッチａ００〜ａ０９を備えている。ここで、信号配線ＬＬ１およびＬＬ２は、タッチ検出期間のとき、駆動電極間を電気的に接続するための信号配線として用いられる。また、電圧配線ＶＬ１には、表示期間のとき、表示駆動信号ＶＣＯＭＤＣが供給される。表示駆動信号ＶＣＯＭＤＣの値は、例えば接地電圧Ｖｓｓである。
【０１３３】
第１スイッチａ００〜ａ０９のそれぞれは、共通端子ｃと、第１端子ｐ１と、第２端子Ｐ２と、第３端子とを備えており、単位選択回路ＵＳＲ（ｎ−２）〜ＵＳＲ（ｎ＋６）からの選択信号Ｔｙ（ｎ−２）Ｒ〜Ｔｙ（ｎ＋６）に従って、共通端子ｃが、第１端子ｐ１、第２端子ｐ２および第３端子のいずれかに接続される。第１スイッチａ００〜ａ０９のそれぞれの第３端子は、何処にも接続されておらず、フローティング状態となっている。そのため、図１１では、第１スイッチａ００〜ａ０９のそれぞれの第３端子は、省略されている。
【０１３４】
第１スイッチａ００〜ａ０９のそれぞれの第１端子ｐ１は、電圧配線ＶＬ１に接続されている。また、第１スイッチａ００、ａ０２、ａ０４、ａ０６およびａ０８の第２端子ｐ２は、信号配線ＬＬ１に接続され、第１スイッチａ０１、ａ０３、ａ０５、ａ０７およびａ０９の第２端子ｐ２は、信号配線ＬＬ２に接続されている。
【０１３５】
第１スイッチａ００の共通端子ｃは、対応する駆動電極ＴＬ（ｎ−２）の一方の端部に接続され、第１スイッチａ０１の共通端子ｃは、対応する駆動電極ＴＬ（ｎ−１）の一方の端部に接続され、第１スイッチａ０２の共通端子ｃは、対応する駆動電極ＴＬ（ｎ）の一方の端部に接続され、第１スイッチａ０３の共通端子ｃは、対応する駆動電極ＴＬ（ｎ＋１）の一方の端部に接続され、第１スイッチａ０４の共通端子ｃは、対応する駆動電極ＴＬ（ｎ＋２）の一方の端部に接続されている。同様に、第１スイッチａ０５の共通端子ｃは、対応する駆動電極ＴＬ（ｎ＋３）の一方の端部に接続され、第１スイッチａ０６の共通端子ｃは、対応する駆動電極ＴＬ（ｎ＋４）の一方の端部に接続され、第１スイッチａ０７の共通端子ｃは、対応する駆動電極ＴＬ（ｎ＋５）の一方の端部に接続され、第１スイッチａ０８の共通端子ｃは、対応する駆動電極ＴＬ（ｎ＋６）の一方の端部に接続され、第１スイッチａ０９の共通端子ｃは、対応する駆動電極ＴＬ（ｎ＋７）の一方の端部に接続されている。
【０１３６】
第１スイッチａ００と第１スイッチａ０１は、１組として制御される。すなわち、第１スイッチａ０１およびａ０２は、単位選択回路ＵＳＲ（ｎ）からの選択信号Ｔｙ（ｎ）Ｒと図示しない単位選択回路ＵＳＲ（ｎ−４）からの選択信号Ｔｙ（ｎ−４）Ｒによって制御される。また、第１スイッチａ０２、ａ０３は、１組とされ、単位選択回路ＵＳＲ（ｎ−２）からの選択信号Ｔｙ（ｎ−２）Ｒと単位選択回路ＵＳＲ（ｎ＋２）からの選択信号Ｔｙ（ｎ＋２）Ｒによって制御され、第１スイッチａ０４、ａ０５は、１組とされ、単位選択回路ＵＳＲ（ｎ）からの選択信号Ｔｙ（ｎ）Ｒと単位選択回路ＵＳＲ（ｎ＋４）からの選択信号Ｔｙ（ｎ＋４）Ｒによって制御される。同様に、第１スイッチａ０６、ａ０７は、１組とされ、単位選択回路ＵＳＲ（ｎ＋２）からの選択信号Ｔｙ（ｎ＋２）Ｒと単位選択回路ＵＳＲ（ｎ＋６）からの選択信号Ｔｙ（ｎ＋６）Ｒによって制御され、第１スイッチａ０８、ａ０９は、１組とされ、単位選択回路ＵＳＲ（ｎ＋４）からの選択信号Ｔｙ（ｎ＋４）Ｒと図示しない単位選択回路ＵＳＲ（ｎ＋８）からの選択信号Ｔｙ（ｎ＋８）Ｒによって制御される。
【０１３７】
磁界発生期間ＴＧＴにおいて、コイルに磁界駆動信号を供給すると、そのコイルの内側に強い磁界が発生する。そのため、２個の駆動電極に対応した単位選択回路により形成される選択信号は、この２個の駆動電極を挟むように配置されている駆動電極間を電気的に接続する選択信号として用いられる。駆動電極ＴＬ（ｎ）と駆動電極ＴＬ（ｎ＋１）に対応した単位選択回路ＵＳＲ（ｎ）を例にして説明すると、単位選択回路ＵＳＲ（ｎ）により形成される選択信号Ｔｙ（ｎ）Ｒは、磁界発生期間ＴＧＴのとき、対応する駆動電極ＴＬ（ｎ）、ＴＬ（ｎ＋１）の領域において強い磁界が発生するように、駆動電極ＴＬ（ｎ）およびＴＬ（ｎ＋１）を挟むように配置されている駆動電極ＴＬ（ｎ−２）、ＴＬ（ｎ−１）と、駆動電極ＴＬ（ｎ＋２）、ＴＬ（ｎ＋３）との間を電気的に接続する選択信号として用いられる。
【０１３８】
この実施の形態１では、先に概要で述べたように、磁界発生期間ＴＧＴにおいては、４個の駆動電極を指定し、指定した駆動電極のうちのそれぞれ２個の駆動電極によって１個の束が構成され、２個の束を単位として、磁界を発生する。単位選択回路ＵＳＲ（ｎ）が形成する選択信号Ｔｙ（ｎ）Ｒは、駆動電極ＴＬ（ｎ）、ＴＬ（ｎ＋１）の領域において強い磁界を発生するとき、駆動電極ＴＬ（ｎ−２）、ＴＬ（ｎ−１）、ＴＬ（ｎ＋２）およびＴＬ（ｎ＋３）を指定する。指定された駆動電極ＴＬ（ｎ−２）とＴＬ（ｎ＋２）とによって１個の束（第１束）が構成され、駆動電極ＴＬ（ｎ−１）とＴＬ（ｎ＋３）とによって１個の束（第２束）が構成されように、選択信号Ｔｙ（ｎ）Ｒが、第１スイッチａ００、ａ０１、ａ０４およびａ０５を制御する。すなわち、選択信号Ｔｙ（ｎ）によって、第１スイッチａ００、ａ０１、ａ０４およびａ０５のそれぞれの共通端子ｃが、第２端子ｐ２に接続されるように制御する。
【０１３９】
これにより、駆動電極ＴＬ（ｎ−２）は、第１スイッチａ００を介して信号配線ＬＬ１に接続され、駆動電極ＴＬ（ｎ＋２）は、第１スイッチａ０４を介して信号配線ＬＬ１に接続される。その結果、駆動電極ＴＬ（ｎ−２）とＴＬ（ｎ＋２）とが電気的に接続され、これらの駆動電極を巻線としたコイルＣＹ（ｎ）が形成されることになる。同様に、駆動電極ＴＬ（ｎ−１）は、第１スイッチａ０１を介して信号配線ＬＬ２に接続され、駆動電極ＴＬ（ｎ＋３）は、第１スイッチａ０５を介して信号配線ＬＬ２に接続される。その結果、駆動電極ＴＬ（ｎ−１）とＴＬ（ｎ＋３）とが電気的に接続され、これらの駆動電極を巻線としたコイルＣＹ（ｎ＋１）が形成されることになる。
【０１４０】
この場合、コイルＣＹ（ｎ）によって発生する磁界の領域、すなわちコイルの領域は、駆動電極ＴＬ（ｎ−２）と駆動電極ＴＬ（ｎ＋２）とによって挟まれた領域となり、駆動電極ＴＬ（ｎ−１）〜ＴＬ（ｎ＋１）に相当する領域となる。一方、コイルＣＹ（ｎ＋１）によって発生する磁界の領域、すなわちコイルの領域は、駆動電極ＴＬ（ｎ−１）と駆動電極ＴＬ（ｎ＋３）とによって挟まれた領域となり、駆動電極ＴＬ（ｎ）〜ＴＬ（ｎ＋２）に相当する領域となる。従って、コイルＣＹ（ｎ）の領域とコイルＣＹ（ｎ＋１）の領域とは、駆動電極ＴＬ（ｎ）、ＴＬ（ｎ＋１）に相当する領域において、互いに重なっていることになる。
【０１４１】
また、駆動電極ＴＬ（ｎ＋２）、ＴＬ（ｎ＋３）の領域において磁界を発生するときには、この駆動電極ＴＬ（ｎ＋２）、ＴＬ（ｎ＋３）に対応した単位選択回路ＵＳＣ（ｎ＋２）が形成する選択信号Ｔｙ（ｎ＋２）Ｒによって、４個の駆動電極ＴＬ（ｎ）、ＴＬ（ｎ＋１）、ＴＬ（ｎ＋４）およびＴＬ（ｎ＋５）が指定され、第１スイッチａ０２、ａ０３、ａ０６、ａ０７のそれぞれの共通端子ｃが、第２端子ｐ２に接続される。これにより、駆動電極ＴＬ（ｎ）とＴＬ（ｎ＋４）とが電気的に接続され、コイルＣＹ（ｎ＋２）が形成され、駆動電極ＴＬ（ｎ＋１）とＴＬ（ｎ＋５）とが電気的に接続され、コイルＣＹ（ｎ＋３）が形成される。この場合、コイルＣＹ（ｎ＋２）の領域とコイルＣＹ（ｎ＋３）の領域とが、互いに重なっている領域が、駆動電極ＴＬ（ｎ＋２）、ＴＬ（ｎ＋３）に相当する領域となる。
【０１４２】
同様に、駆動電極ＴＬ（ｎ＋４）、ＴＬ（ｎ＋５）の領域において強い磁界を発生するときには、この駆動電極ＴＬ（ｎ＋４）、ＴＬ（ｎ＋５）に対応した単位選択回路ＵＳＣ（ｎ＋４）が形成する選択信号Ｔｙ（ｎ＋４）Ｒによって、４個の駆動電極ＴＬ（ｎ＋２）、ＴＬ（ｎ＋３）、ＴＬ（ｎ＋６）およびＴＬ（ｎ＋７）が指定され、第１スイッチａ０４、ａ０５、ａ０８、ａ０９のそれぞれの共通端子ｃが、第２端子ｐ２に接続される。これにより、駆動電極ＴＬ（ｎ＋２）とＴＬ（ｎ＋６）とが電気的に接続され、コイルＣＹ（ｎ＋４）が形成され、駆動電極ＴＬ（ｎ＋３）とＴＬ（ｎ＋７）とが電気的に接続され、コイルＣＹ（ｎ＋５）が形成される。この場合、コイルＣＹ（ｎ＋４）の領域とコイルＣＹ（ｎ＋５）の領域とが、互いに重なっている領域が、駆動電極ＴＬ（ｎ＋４）、ＴＬ（ｎ＋５）に相当する領域となる。
【０１４３】
他の駆動電極についても同様である。すなわち、単位選択回路が形成する選択信号によって指定された駆動電極により２個のコイルが形成される。この場合、形成された２個のコイルは、互いに重なった領域を有している。この実施の形態１において、単位選択回路は、形成した２個のコイルが互いに重なっている領域を指定していると見なすこともできる。
【０１４４】
図１１においては、図面が複雑になるのを避けるために、選択信号Ｔｙ（ｎ−２）Ｒ、Ｔｙ（ｎ）Ｒ、Ｔｙ（ｎ＋２）Ｒ、Ｔｙ（ｎ＋４）ＲおよびＴｙ（ｎ＋６）Ｒのそれぞれが、１本の信号で示されているが、それぞれの選択信号は、複数の選択信号によって構成されている。選択信号Ｔｙ（ｎ）Ｒを例にして説明すると、選択信号Ｔｙ（ｎ）Ｒは、第１スイッチａ００、ａ０１、ａ０４、ａ０５の共通端子ｃを第１端子ｐ１へ接続するか否かを選択する表示選択信号Ｔｙ（ｎ）Ｒ−１と、第１スイッチａ００、ａ０１、ａ０４、ａ０５の共通端子ｃを第２端子ｐ２または第３端子へ接続するかを選択するタッチ選択信号Ｔｙ（ｎ）Ｒ−２とを有している。
【０１４５】
他の選択信号Ｔｙ（ｎ−２）Ｒ、Ｔｙ（ｎ＋２）Ｒ、Ｔｙ（ｎ＋４）ＲおよびＴｙ（ｎ＋６）Ｒのそれぞれについても同様に、選択信号は、表示選択信号（選択信号の符号に−１の符号を付す）とタッチ選択信号（選択信号の符号に−２の符号を付す）を有している。選択信号Ｔｙ（ｎ＋２）Ｒを、さらに例にして述べておくと、選択信号Ｔｙ（ｎ＋２）Ｒは、第１スイッチａ０２、ａ０３、ａ０６、ａ０７の共通端子ｃを第１端子ｐ１へ接続するか否かを選択する表示選択信号Ｔｙ（ｎ＋２）Ｒ−１と、第１スイッチａ０２、ａ０３、ａ０６、ａ０７の共通端子ｃを第２端子ｐ２または第３端子へ接続するかを選択するタッチ選択信号Ｔｙ（ｎ＋２）Ｒ−２とを有している。
【０１４６】
ドライブ用半導体装置ＤＤＩＣ内の制御回路Ｄ−ＣＮＴは、タッチ検出のとき、磁界イネーブル信号ＳＣ＿ＥＮを、例えばハイレベルにし、制御信号Ｙ−ＣＮＴをハイレベルにする。クロック信号ＣＬＫが周期的に変化することにより、選択制御回路ＳＲ−Ｒから出力されるタッチ選択信号は、例えば順次、ハイレベルとなる。
【０１４７】
図１１を例にして説明すると、単位選択回路ＵＳＲ（ｎ−２）から出力されるタッチ選択信号Ｔｙ（ｎ−２）Ｒ−２が、先ずハイレベルになる。このとき、他のタッチ選択信号Ｔｙ（ｎ）Ｒ−２、Ｔｙ（ｎ＋２）Ｒ−２、Ｔｙ（ｎ＋４）Ｒ−２およびＴｙ（ｎ＋６）Ｒ−２は、ロウレベルである。クロック信号ＣＬＫが変化すると、単位選択回路ＵＳＲ（ｎ）から出力されるタッチ選択信号Ｔｙ（ｎ）Ｒ−２がハイレベルへ変化し、他のタッチ選択信号Ｔｙ（ｎ−２）Ｒ−２、Ｔｙ（ｎ＋２）Ｒ−２、Ｔｙ（ｎ＋４）Ｒ−２およびＴｙ（ｎ＋６）Ｒ−２は、ロウレベルとなる。以降、クロック信号ＣＬＫが変化するごとに、タッチ選択信号Ｔｙ（ｎ＋２）Ｒ−２、Ｔｙ（ｎ＋４）Ｒ−２およびＴｙ（ｎ＋６）Ｒ−２の順にハイレベルとなり、ハイレベルとなるタッチ選択信号を除いたタッチ選択信号はロウレベルとなる。
【０１４８】
また、磁界イネーブル信号ＳＣ＿ＥＮがロウレベルとなることにより、単位選択回路ＵＳＲ（ｎ−２）、ＵＳＲ（ｎ）、ＵＳＲ（ｎ＋２）、ＵＳＲ（ｎ＋４）およびＵＳＲ（ｎ＋６）は、タッチ選択信号Ｔｙ（ｎ−２）Ｒ−２、Ｔｙ（ｎ）Ｒ−２、Ｔｙ（ｎ＋２）Ｒ−２、Ｔｙ（ｎ＋４）Ｒ−２およびＴｙ（ｎ＋６）Ｒ−２のそれぞれをロウレベルとし、表示選択信号Ｔｙ（ｎ−２）Ｒ−１、Ｔｙ（ｎ）Ｒ−１、Ｔｙ（ｎ＋２）Ｒ−１、Ｔｙ（ｎ＋４）Ｒ−１およびＴｙ（ｎ＋６）Ｒ−１のそれぞれを、ロウレベルからハイレベルへ変化させる。
【０１４９】
第１スイッチａ００〜ａ０９のそれぞれは、供給されているタッチ選択信号が、ハイレベルとなることにより、共通端子ｃを第２端子ｐ２へ接続し、タッチ選択信号が、ロウレベルとなることにより、共通端子ｃを第３端子へ接続する。また、第１スイッチａ００〜ａ０９のそれぞれは、供給されている表示選択信号が、ハイレベルのとき、共通端子ｃを第１端子ｐ１へ接続し、表示選択信号が、ロウレベルのとき、共通端子ｃと第１端子ｐ１との間を非導通にする。
【０１５０】
タッチ検出のときには、磁界イネーブル信号ＳＣ＿ＥＮがロウレベルとなり、タッチ選択信号Ｔｙ（ｎ）Ｒ−２からＴｙ（ｎ＋６）−Ｒへ向かって順に、タッチ選択信号はハイレベルとなる。これにより、上記したように、コイルＣＹ（ｎ）、ＣＹ（ｎ＋１）が形成され、次に、コイルＣＹ（ｎ＋２）、ＣＹ（ｎ＋３）が形成される。コイルＣＹ（ｎ＋２）、ＣＹ（ｎ＋３）のあとに、コイルＣＹ（ｎ＋４）、ＣＹ（ｎ＋５）が形成される。すなわち、２個単位で、順番にコイルが形成されることになる。
【０１５１】
図１５は、磁界発生期間ＴＧＴにおいて形成されるコイルＣＹ（ｎ）〜ＣＹ（ｎ＋６）を模式的に示した平面図である。図１５には、コイルＣＹ（ｎ）〜ＣＹ（ｎ＋６）の全てが、描かれているが、コイルＣＹ（ｎ）とＣＹ（ｎ＋１）、コイルＣＹ（ｎ＋２）とＣＹ（ｎ＋３）、コイルＣＹ（ｎ＋４）とＣＹ（ｎ＋５）の順番で、２個のコイル単位で、時間の経過に伴って順次形成される。また、図面を見易くするために、駆動電極間を接続する配線を別々に描いているが、駆動電極間を接続する配線は、図１１に示した信号配線ＬＬ１とＬＬ２とが用いられている。また、駆動電極ＴＬ（ｎ＋６）、ＴＬ（ｎ＋７）およびこれらの駆動電極と駆動電極ＴＬ（ｎ＋２）、ＴＬ（ｎ＋３）間を接続する配線は、図面を見易くするために、破線で描かれている。
【０１５２】
図１５において、ＰＴＬ（ｎ−２）〜ＰＴＬ（ｎ＋７）は、駆動電極ＴＬ（ｎ−２）〜ＴＬ（ｎ＋７）のそれぞれの他方の端部を示している。
【０１５３】
また、図１５において、ＣＸ（ｎ）〜ＣＸ（ｎ＋５）は、駆動電極ＴＬ（ｎ−２）〜ＴＬ（ｎ＋７）の代わりに、信号線ＳＬ（ｎ−２）〜ＳＬ（ｎ＋７）を用いてコイルを形成した場合のコイルを示している。駆動電極の代わりに、信号線を用いることによっても、コイルＣＸ（ｎ）とＣＸ（ｎ＋１）、コイルＣＸ（ｎ＋２）とＣＸ（ｎ＋３）、コイルＣＸ（ｎ＋４）とＣＸ（ｎ＋５）の順番で、２個のコイル単位で、時間の経過に伴って順次形成することが可能である。なお、図１５において、ＰＳＬ（ｎ−２）〜ＰＳＬ（ｎ＋７）は、信号線ＳＬ（ｎ−２）〜ＳＬ（ｎ＋７）の端部を示している。
【０１５４】
タッチ検出のときを説明したが、表示期間のときには、磁界イネーブル信号ＳＣ＿ＥＮがロウレベルとなるため、表示選択信号がハイレベルとなり、第１スイッチａ００〜Ｓ０９のそれぞれにおいて、共通端子ｃが、第１端子ｐ１へ接続される。表示期間においては、電圧配線ＶＬ１に表示駆動信号ＶＣＯＭＤＣが供給されているため、駆動電極ＴＬ（ｎ−２）〜ＴＬ（ｎ＋７）のそれぞれの一方の端部に、第１スイッチａ００〜ａ０９を介して、表示駆動信号ＶＣＯＭＤＣが供給されることになる。
【０１５５】
例えば、第１スイッチａ０２において、共通端子ｃと、第２端子ｐ２または第３端子との間の接続は、タッチ選択信号Ｔｙ（ｎ）Ｒ−２と、タッチ選択信号Ｔｙ（ｎ＋２）Ｒ−２の両方によって制御されることになるが、ハイレベル優先で、共通端子ｃと第２端子ｐ２との間が接続されるようにすればよい。他の第１スイッチも同様である。
＜＜選択制御回路ＳＲ−Ｌおよび選択駆動回路ＳＤＣ＞＞
【０１５６】
次に、選択制御回路ＳＲ−Ｌおよび選択駆動回路ＳＤＣを、図１１を用いて説明する。選択制御回路ＳＲ−Ｌの構成は、選択制御回路ＳＲ−Ｒと類似している。すなわち、選択制御回路ＳＲ−Ｌは、シフトレジスタを有しており、磁界イネーブル信号ＳＣ＿ＥＮがハイレベルにされ、制御信号Ｙ−ＣＮＴがハイレベルにされ、クロック信号ＣＬＫが変化することにより、順次ハイレベルとなる選択信号を出力する。また、選択制御回路ＳＲ−Ｌは、シフトレジスタの各段に対応する複数の単位選択回路を有している。図１１には、複数の単位選択回路のうち、単位選択回路ＵＳＬ（ｎ−２）、ＵＳＬ（ｎ）、ＵＳＬ（ｎ＋２）、ＵＳＬ（ｎ＋４）およびＵＳＬ（ｎ＋６）が示されている。
【０１５７】
選択制御回路ＳＲ−Ｌを構成する複数の単位選択回路のそれぞれは、選択制御回路ＳＲ−Ｒを構成する単位選択回路と同様に、磁界発生期間ＴＧＴにおいて強い磁界を発生する領域に１対１に対応している。図１１に示した単位選択回路を例にして説明すると、単位選択回路ＵＳＬ（ｎ−２）は、駆動電極ＴＬ（ｎ−２）、ＴＬ（ｎ−１）の領域に対応し、単位選択回路ＵＳＬ（ｎ）は、駆動電極ＴＬ（ｎ）、ＴＬ（ｎ＋１）の領域に対応し、単位選択回路ＵＳＬ（ｎ＋２）は、駆動電極ＴＬ（ｎ＋２）、ＴＬ（ｎ＋３）の領域に対応している。同様に、単位選択回路ＵＳＬ（ｎ＋４）は、駆動電極ＴＬ（ｎ＋４）、ＴＬ（ｎ＋５）の領域に対応し、単位選択回路ＵＳＬ（ｎ＋６）は、駆動電極ＴＬ（ｎ＋６）、ＴＬ（ｎ＋７）の領域に対応している。単位選択回路ＵＳＬ（ｎ−２）、ＵＳＬ（ｎ）、ＵＳＬ（ｎ＋２）、ＵＳＬ（ｎ＋４）およびＵＳＬ（ｎ＋６）は、磁界発生期間ＴＧＴにおいて、対応する領域において磁界を発生するとき、選択信号Ｔｙ（ｎ−２）Ｌ、Ｔｙ（ｎ）Ｌ、ＴＹ（ｎ＋２）Ｌ、Ｔｙ（ｎ＋４）ＬおよびＴｙ（ｎ＋６）Ｌを形成して、出力する。
【０１５８】
選択駆動回路ＳＤＣは、信号配線ＬＬ３、電圧配線ＶＬ１、ＶＬ２および第２スイッチｂ００〜ｂ０９を備えている。信号配線ＬＬ３には、タッチ検出のとき、制御回路Ｄ−ＣＮＴ（図６）からコイルクロック信号ＣＣＬＫが供給される。このコイルクロック信号ＣＣＬＫは、所定の周期で変化するクロック信号である。電圧配線ＶＬ１には、表示期間のとき、表示駆動信号ＶＣＯＭＤＣが供給される。また、電圧配線ＶＬ２には、タッチ検出のとき、所定の電圧、例えば接地電圧Ｖｓｓが供給される。
【０１５９】
第２スイッチｂ００〜ｂ０９のそれぞれは、共通端子ｃ、第１端子ｐ１、第２端子ｐ２、第３端子ｐ３および第４端子を備えており、供給される選択信号に従って、共通端子ｃが、第１端子ｐ１、第２端子ｐ２、第３端子ｐ３または第４端子に接続される。第２スイッチｂ００〜ｂ０９のそれぞれにおける第４端子は、第１スイッチの第３端子と同様に、何処にも接続されておらず、フローティング状態となっている。そのため、第２スイッチｂ００〜ｂ０９のそれぞれにおける第４端子は省略されている。第２スイッチｂ００〜ｂ０９のそれぞれの第１端子ｐ１は、電圧配線ＶＬ１に接続され、第２端子ｐ２は、信号配線ＬＬ３に接続され、第３端子ｐ３は、電圧配線ＶＬ２に接続されている。
【０１６０】
第２スイッチｂ００の共通端子ｃは、対応する駆動電極ＴＬ（ｎ−２）の他方の端部ＰＴＬ（ｎ−２）に接続され、第２スイッチｂ０１の共通端子ｃは、駆動電極ＴＬ（ｎ−１）の他方の端部ＰＴＬ（ｎ−１）に接続され、第２スイッチｂ０２の共通端子ｃは、駆動電極ＴＬ（ｎ）の他方の端部ＰＴＬ（ｎ）に接続され、第２スイッチｂ０３の共通端子ｃは、駆動電極ＴＬ（ｎ＋１）の他方の端部ＰＴＬ（ｎ＋１）に接続されている。また、第２スイッチｂ０４の共通端子ｃは、駆動電極ＴＬ（ｎ＋２）の他方の端部ＰＴＬ（ｎ＋２）に接続され、第２スイッチｂ０５の共通端子ｃは、駆動電極ＴＬ（ｎ＋３）の他方の端部ＰＴＬ（ｎ＋３）に接続され、第２スイッチｂ０６の共通端子ｃは、駆動電極ＴＬ（ｎ＋４）の他方の端部ＰＴＬ（ｎ＋４）に接続され、第２スイッチｂ０７の共通端子ｃは、駆動電極ＴＬ（ｎ＋５）の他方の端部ＰＴＬ（ｎ＋５）に接続されている。同様に、第２スイッチｂ０８の共通端子ｃは、駆動電極ＴＬ（ｎ＋６）の他方の端部ＰＴＬ（ｎ＋６）に接続され、第２スイッチｂ０９の共通端子ｃは、駆動電極ＴＬ（ｎ＋７）の他方の端部ＰＴＬ（ｎ＋７）に接続されている。
【０１６１】
第２スイッチｂ００、ｂ０１のそれぞれにおける共通端子ｃを、第１端子ｐ１、第２端子ｐ２、第３端子ｐ３および第４端子のいずれに接続するかは、単位選択回路ＵＳＬ（ｎ）からの選択信号Ｔｙ（ｎ）Ｌと図示しない単位選択回路ＵＳＬ（ｎ−４）からの選択信号Ｔｙ（ｎ−４）Ｌとによって決定される。また、第２スイッチｂ０２、ｂ０３のそれぞれにおける共通端子ｃを、第１端子ｐ１、第２端子ｐ２、第３端子ｐ３および第４端子のいずれに接続するかは、単位選択回路ＵＳＬ（ｎ−２）からの選択信号Ｔｙ（ｎ−２）Ｌと単位選択回路ＵＳＬ（ｎ＋２）からの選択信号Ｔｙ（ｎ＋２）Ｌとによって決定される。第２スイッチｂ０４、ｂ０５のそれぞれにおける共通端子ｃを、第１端子ｐ１、第２端子ｐ２、第３端子ｐ３および第４端子のいずれに接続するかは、単位選択回路ＵＳＬ（ｎ）からの選択信号Ｔｙ（ｎ）Ｌと単位選択回路ＵＳＬ（ｎ＋４）からの選択信号Ｔｙ（ｎ＋４）Ｌとによって決定される。
【０１６２】
また、第２スイッチｂ０６、ｂ０７のそれぞれにおける共通端子ｃを、第１端子ｐ１、第２端子ｐ２、第３端子ｐ３および第４端子のいずれに接続するかは、単位選択回路ＵＳＬ（ｎ＋２）からの選択信号Ｔｙ（ｎ＋２）Ｌと単位選択回路ＵＳＬ（ｎ＋６）からの選択信号Ｔｙ（ｎ＋６）Ｌとによって決定される。同様に、第２スイッチｂ０８、ｂ０９のそれぞれにおける共通端子ｃを、第１端子ｐ１、第２端子ｐ２、第３端子ｐ３および第４端子のいずれに接続するかは、単位選択回路ＵＳＬ（ｎ＋４）からの選択信号Ｔｙ（ｎ＋４）Ｌと図示しない単位選択回路ＵＳＬ（ｎ＋８）からの選択信号Ｔｙ（ｎ＋８）Ｌとによって決定される。
【０１６３】
タッチ検出のとき、選択制御回路ＳＲ−Ｌは、強い磁界を発生する領域を挟むように配置された４個の駆動電極を指定する選択信号を形成する。図１１を例にして説明すると、駆動電極ＴＬ（ｎ）、ＴＬ（ｎ＋１）に相当する領域において強い磁界を発生する場合、この領域に対応する単位選択回路ＵＳＬ（ｎ）が、選択信号Ｔｙ（ｎ）Ｌを形成する。形成された選択信号Ｔｙ（ｎ）Ｌによって、第２スイッチｂ００およびｂ０１においては、共通端子ｃのそれぞれが、第２端子ｐ２に接続され、第２スイッチｂ０４およびｂ０５においては、共通端子ｃのそれぞれが、第３端子ｐ３に接続される。これにより、駆動電極ＴＬ（ｎ−２）の端部ＰＴＬ（ｎ−２）には、第２スイッチｂ００を介してコイルクロック信号ＣＣＬＫが、磁界駆動信号として供給され、駆動電極ＴＬ（ｎ−２）の端部ＰＴＬ（ｎ−２）にも、第２スイッチｂ０１を介してコイルクロック信号ＣＣＬＫが、磁界駆動信号として供給される。このとき、駆動電極ＴＬ（ｎ＋２）の端部ＰＴＬ（ｎ＋２）には、第２スイッチｂ０４を介して、接地電圧Ｖｓｓが供給され、駆動電極ＴＬ（ｎ＋３）の端部ＰＴＬ（ｎ＋３）にも、第２スイッチｂ０５を介して、接地電圧Ｖｓｓが供給される。
【０１６４】
同じコイルクロック信号ＣＣＬＫが、駆動電極ＴＬ（ｎ−２）およびＴＬ（ｎ−１）に磁界駆動信号として供給されるため、駆動電極ＴＬ（ｎ−２）に供給される磁界駆動信号と駆動電極ＴＬ（ｎ−１）に供給される磁界駆動信号は、実質的に位相が同じクロック信号となる。また、同じ選択信号によって、第２スイッチｂ００とｂ０１は制御され、また第２スイッチｂ０４とｂ０５も、同じ選択信号によって制御される。そのため、駆動電極ＴＬ（ｎ−２）の端部ＰＴＬ（ｎ−２）と駆動電極ＴＬ（ｎ−１）の端部ＰＴＬ（ｎ−１）には、実質的に同じタイミングで、同位相の磁界駆動信号が供給されることになる。また、駆動電極ＴＬ（ｎ＋２）の端部ＰＴＬ（ｎ＋２）と駆動電極ＴＬ（ｎ＋３）の端部ＰＴＬ（ｎ＋３）の端部ＰＴＬ（ｎ＋３）には、実質的に同じタイミングで、接地電圧Ｖｓｓが供給されることになる。
【０１６５】
駆動電極ＴＬ（ｎ−２）と駆動電極ＴＬ（ｎ＋２）とによって、コイルＣＹ（ｎ）が形成されるため、駆動電極ＴＬ（ｎ−２）の端部ＰＴＬ（ｎ−２）と駆動電極ＴＬ（ｎ＋２）の端部ＰＴＬ（ｎ＋２）は、コイルＣＹ（ｎ）の端部あるいは端子と見なすことができる。同様に、端部ＰＴＬ（ｎ−１）と端部ＰＴＬ（ｎ＋３）は、コイルＣＹ（ｎ＋１）の端部あるいは端子と見なすことができる。以下、端部ＰＴＬ（ｎ−２）〜ＰＴＬ（ｎ＋７）は、コイルの端部あるいは端子とも称する場合がある。
【０１６６】
コイルＣＹ（ｎ）の端部ＰＴＬ（ｎ＋２）に接地電圧Ｖｓｓが供給され、コイルＣＹ（ｎ）の端部ＰＴＬ（ｎ−２）には、周期的に変化する磁界駆動信号が供給されるため、コイルＣＹ（ｎ）は、磁界駆動信号に従って変化する磁界を発生する。この場合、磁界は、コイルＣＹ（ｎ）の内側の領域、すなわち駆動電極ＴＬ（ｎ−１）〜ＴＬ（ｎ＋１）の領域において強くなる。同様に、コイルＣＹ（ｎ＋１）も、磁界駆動信号に従って変化する磁界を発生する。この場合、磁界は、コイルＣＹ（ｎ＋１）の内側の領域、すなわち駆動電極ＴＬ（ｎ）〜ＴＬ（ｎ＋２）の領域において強くなる。
【０１６７】
コイルＣＹ（ｎ）とコイルＣＹ（ｎ＋１）に供給される磁界駆動信号は、実質的に同じタイミングであり、同じ位相であるため、コイルＣＹ（ｎ）が発生する磁界の変化と、コイルＣＹ（ｎ＋１）が発生する磁界の変化とは同じになる。その結果、コイルＣＹ（ｎ）とコイルＣＹ（ｎ＋１）とが重なった領域、すなわち駆動電極ＴＬ（ｎ）とＴＬ（ｎ＋１）に相当する領域においては、磁界が重畳されることになり、強い磁界が形成されることになる。
【０１６８】
以上、駆動電極ＴＬ（ｎ）、ＴＬ（ｎ＋１）に相当する領域において磁界を発生する場合を説明したが、他の領域において磁界を発生する場合も同様である。
【０１６９】
すなわち、駆動電極ＴＬ（ｎ＋２）、ＴＬ（ｎ＋３）に相当する領域において磁界を発生させる場合、単位選択回路ＵＳＬ（ｎ＋２）からの選択信号Ｔｙ（ｎ＋２）Ｌによって、第２スイッチｂ０２およびｂ０３における共通端子ｃが、第２端子ｐ２に接続され、第２スイッチｂ０６およびｂ０７における共通端子ｃが、第３端子ｐ３に接続される。これにより、駆動電極ＴＬ（ｎ）、ＴＬ（ｎ＋１）の端部ＰＴＬ（ｎ）、ＰＴＬ（ｎ＋１）に、コイルクロック信号ＣＣＬＫが、実質的に同じタイミングで、同位相の磁界駆動信号として供給され、駆動電極ＴＬ（ｎ＋４）、ＴＬ（ｎ＋５）の端部ＰＴＬ（ｎ＋４）、ＰＴＬ（ｎ＋５）には、接地電圧Ｖｓｓが供給される。その結果、コイルＣＹ（ｎ＋１）とコイルＣＹ（ｎ＋２）は、供給されている磁界駆動信号に従って、互いに同じように変化する磁界を発生する。コイルＣＹ（ｎ＋２）とコイルＣＹ（ｎ＋３）とが重なっている領域は、駆動電極ＴＬ（ｎ＋２）、ＴＬ（ｎ＋３）に相当する領域であるため、この領域において、コイルＣＹ（ｎ＋２）とコイルＣＹ（ｎ＋３）によって発生した磁界が重畳され、強い磁界となる。
【０１７０】
同様に、駆動電極ＴＬ（ｎ＋４）、ＴＬ（ｎ＋５）に相当する領域において磁界を発生させる場合、単位選択回路ＵＳＬ（ｎ＋４）からの選択信号Ｔｙ（ｎ＋４）Ｌによって、第２スイッチｂ０４およびｂ０５における共通端子ｃが、第２端子ｐ２に接続され、第２スイッチｂ０８およびｂ０９における共通端子ｃが、第３端子ｐ３に接続される。これにより、駆動電極ＴＬ（ｎ＋２）、ＴＬ（ｎ＋３）の端部ＰＴＬ（ｎ＋２）、ＰＴＬ（ｎ＋３）に、コイルクロック信号ＣＣＬＫが、実質的に同じタイミングで、同位相の磁界駆動信号として供給され、駆動電極ＴＬ（ｎ＋６）、ＴＬ（ｎ＋７）の端部ＰＴＬ（ｎ＋６）、ＰＴＬ（ｎ＋７）には、接地電圧Ｖｓｓが供給される。その結果、コイルＣＹ（ｎ＋４）とコイルＣＹ（ｎ＋５）は、供給されている磁界駆動信号に従って、互いに同じように変化する磁界を発生する。コイルＣＹ（ｎ＋４）とコイルＣＹ（ｎ＋５）とが重なっている領域は、駆動電極ＴＬ（ｎ＋４）、ＴＬ（ｎ＋５）に相当する領域であるため、この領域において、コイルＣＹ（ｎ＋４）とコイルＣＹ（ｎ＋５）によって発生した磁界が重畳され、強い磁界となる。
【０１７１】
図面が複雑になるのをさけるために、選択信号Ｔｙ（ｎ−２）Ｌ〜Ｔｙ（ｎ＋６）Ｌは、図１１では、１個の信号として示しているが、それぞれの選択信号は、複数の選択信号を有している。
【０１７２】
選択信号Ｔｙ（ｎ）Ｌを例にして説明すると、選択信号Ｔｙ（ｎ）Ｌは、第２スイッチｂ００、ｂ０１、ｂ０４、ｂ０５の共通端子ｃを第１端子ｐ１へ接続するか否かを選択する表示選択信号Ｔｙ（ｎ）Ｌ−１と、第２スイッチｂ００、ｂ０１の共通端子ｃを第２端子ｐ２または第４端子へ接続するかを選択する第１タッチ選択信号Ｔｙ（ｎ）Ｌ−２と、第２スイッチｂ０４、ｂ０５の共通端子ｃを第３端子ｐ３または第４端子へ接続するかを選択する第２タッチ選択信号Ｔｙ（ｎ）Ｌ−３を有している。
【０１７３】
他の選択信号Ｔｙ（ｎ−２）Ｌ、Ｔｙ（ｎ＋２）Ｌ、Ｔｙ（ｎ＋４）ＬおよびＴｙ（ｎ＋６）Ｌのそれぞれについても同様に、選択信号は、表示選択信号（選択信号の符号に−１の符号を付す）と第１タッチ選択信号（選択信号の符号に−２の符号を付す）と第２タッチ選択信号（選択信号の符号に−３の符号を付す）を有している。
【０１７４】
例えば、選択信号Ｔｙ（ｎ＋２）Ｌは、第２スイッチｂ０２、ｂ０３、ｂ０６、ｂ０７の共通端子ｃを第１端子ｐ１へ接続するか否かを選択する表示選択信号Ｔｙ（ｎ＋２）Ｌ−１と、第２スイッチｂ０２、ｂ０３の共通端子ｃを第２端子ｐ２または第４端子へ接続するかを選択する第１タッチ選択信号Ｔｙ（ｎ＋２）Ｌ−２と、第２スイッチｂ０６、ｂ０７の共通端子ｃを第３端子ｐ３または第４端子へ接続するかを選択する第２タッチ選択信号Ｔｙ（ｎ＋２）Ｌ−３を有している。選択信号Ｔｙ（ｎ＋４）Ｌは、第２スイッチｂ０４、ｂ０５、ｂ０８、ｂ０９の共通端子ｃを第１端子ｐ１へ接続するか否かを選択する表示選択信号Ｔｙ（ｎ＋４）Ｌ−１と、第２スイッチｂ０４、ｂ０５の共通端子ｃを第２端子ｐ２または第４端子へ接続するかを選択する第１タッチ選択信号Ｔｙ（ｎ＋４）Ｌ−２と、第２スイッチｂ０８、ｂ０９の共通端子ｃを第３端子ｐ３または第４端子へ接続するかを選択する第２タッチ選択信号Ｔｙ（ｎ＋４）Ｌ−３を有している。
【０１７５】
選択制御回路ＳＲ−Ｌは、選択制御回路ＳＲ−Ｒと同様に、磁界イネーブル信号ＳＣ＿ＥＮがハイレベルで、制御信号Ｙ−ＣＮＴがハイレベルのとき、クロック信号ＣＬＫの変化に同期して動作する。すなわち、選択制御回路ＳＲ−Ｒから出力される第１タッチ選択信号および第２タッチ選択信号は、例えば順次、ハイレベルとなる。
【０１７６】
図１１を例にして説明すると、単位選択回路ＵＳＬ（ｎ−２）から出力される第１タッチ選択信号Ｔｙ（ｎ−２）Ｌ−２と第２タッチ選択信号Ｔｙ（ｎ−２）Ｌ−３が、先ずハイレベルになる。このとき、他の第１タッチ選択信号Ｔｙ（ｎ）Ｌ−２、Ｔｙ（ｎ＋２）Ｌ−２、Ｔｙ（ｎ＋４）Ｌ−２およびＴｙ（ｎ＋６）Ｌ−２および他の第２タッチ選択信号Ｔｙ（ｎ）Ｌ−３、Ｔｙ（ｎ＋２）Ｌ−３、Ｔｙ（ｎ＋４）Ｌ−３およびＴｙ（ｎ＋６）Ｌ−３は、ロウレベルである。
【０１７７】
クロック信号ＣＬＫが変化すると、単位選択回路ＵＳＬ（ｎ）から出力される第１タッチ選択信号Ｔｙ（ｎ）Ｌ−２と、第２タッチ選択信号Ｔｙ（ｎ）Ｌ−３がハイレベルへ変化し、他の第１タッチ選択信号Ｔｙ（ｎ−２）Ｌ−２、Ｔｙ（ｎ＋２）Ｌ−２、Ｔｙ（ｎ＋４）Ｌ−２およびＴｙ（ｎ＋６）Ｌ−２は、ロウレベルとなる。また、他の第２タッチ選択信号Ｔｙ（ｎ−２）Ｌ−３、Ｔｙ（ｎ＋２）Ｌ−３、Ｔｙ（ｎ＋４）Ｌ−３およびＴｙ（ｎ＋６）Ｌ−３も、ロウレベルとなる。以降、クロック信号ＣＬＫが変化するごとに、第１タッチ選択信号は、第１タッチ選択信号Ｔｙ（ｎ＋２）Ｌ−２、Ｔｙ（ｎ＋４）Ｌ−２およびＴｙ（ｎ＋６）Ｌ−２の順にハイレベルとなり、ハイレベルとなる第１タッチ選択信号を除いた第１タッチ選択信号はロウレベルとなる。同様に、第２タッチ選択信号も、第２タッチ選択信号Ｔｙ（ｎ＋２）Ｌ−３、Ｔｙ（ｎ＋４）Ｌ−３およびＴｙ（ｎ＋６）Ｌ−３の順にハイレベルとなり、ハイレベルとなる第２タッチ選択信号を除いた第２タッチ選択信号はロウレベルとなる。
【０１７８】
また、磁界イネーブル信号ＳＣ＿ＥＮがロウレベルとなると、単位選択回路ＵＳＬ（ｎ−２）、ＵＳＬ（ｎ）、ＵＳＬ（ｎ＋２）、ＵＳＬ（ｎ＋４）およびＵＳＬ（ｎ＋６）は、第１タッチ選択信号Ｔｙ（ｎ−２）Ｌ−２、Ｔｙ（ｎ）Ｌ−２、Ｔｙ（ｎ＋２）Ｌ−２、Ｔｙ（ｎ＋４）Ｌ−２およびＴｙ（ｎ＋６）Ｌ−２をロウレベルとし、第２タッチ選択信号Ｔｙ（ｎ−２）Ｌ−３、Ｔｙ（ｎ）Ｌ−３、Ｔｙ（ｎ＋２）Ｌ−３、Ｔｙ（ｎ＋４）Ｌ−３およびＴｙ（ｎ＋６）Ｌ−３もロウレベルとする。このとき、単位選択回路ＵＳＬ（ｎ−２）、ＵＳＬ（ｎ）、ＵＳＬ（ｎ＋２）、ＵＳＬ（ｎ＋４）およびＵＳＬ（ｎ＋６）は、ロウレベルの磁界イネーブル信号ＳＣ＿ＥＮに応答して、表示選択信号Ｔｙ（ｎ−２）Ｌ−１、Ｔｙ（ｎ）Ｌ−１、Ｔｙ（ｎ＋２）Ｌ−１、Ｔｙ（ｎ＋４）Ｌ−１およびＴｙ（ｎ＋６）Ｌ−１のそれぞれを、ロウレベルからハイレベルへ変化させる。
【０１７９】
第２スイッチｂ００〜ｂ０９のそれぞれは、供給されている第１タッチ選択信号が、ハイレベルとなることにより、共通端子ｃを第２端子ｐ２へ接続し、第１タッチ選択信号が、ロウレベルとなることにより、共通端子ｃを第４端子へ接続する。また、第２スイッチｂ００〜ｂ０９のそれぞれは、供給されている第２タッチ選択信号が、ハイレベルとなることにより、共通端子ｃを第３端子ｐ３へ接続し、第２タッチ選択信号が、ロウレベルとなることにより、共通端子ｃを第４端子へ接続する。さらに、第２スイッチｂ００〜ｂ０９のそれぞれは、供給されている表示選択信号が、ハイレベルのとき、共通端子ｃを第１端子ｐ１へ接続し、表示選択信号が、ロウレベルのとき、共通端子ｃと第１端子ｐ１との間を非導通にする。
【０１８０】
タッチ検出のときには、磁界イネーブル信号ＳＣ＿ＥＮがロウレベルとなり、クロック信号ＣＬＫの変化に伴って、第１タッチ選択信号は、第１タッチ選択信号Ｔｙ（ｎ）Ｌ−２からＴｙ（ｎ＋６）Ｌ−２へ向かって順に、ハイレベルとなる。これに同期して、第２タッチ選択信号も、第２タッチ選択信号Ｔｙ（ｎ）Ｌ−３からＴｙ（ｎ＋６）Ｌ−３へ向かって順に、ハイレベルとなる。これにより、上記したように、コイルＣＹ（ｎ）、ＣＹ（ｎ＋１）の端部ＰＴＬ（ｎ−２）、ＰＴＬ（ｎ−１）には、磁界駆動信号が供給され、端部ＰＴＬ（ｎ＋２）、ＰＴＬ（ｎ＋３）には、接地電圧Ｖｓｓが供給される。次に、コイルＣＹ（ｎ＋２）、ＣＹ（ｎ＋３）の端部ＰＴＬ（ｎ）、ＰＴＬ（ｎ＋１）に、磁界駆動信号が供給され、端部ＰＴＬ（ｎ＋４）、ＰＴＬ（ｎ＋５）に、接地電圧Ｖｓｓが供給される。そのあと、コイルＣＹ（ｎ＋４）、ＣＹ（ｎ＋５）の端部ＰＴＬ（ｎ＋２）、ＰＴＬ（ｎ＋３）に、磁界駆動信号が供給され、端部ＰＴＬ（ｎ＋６）、ＰＴＬ（ｎ＋７）に、接地電圧Ｖｓｓが供給される。すなわち、２個単位で、順番に、コイルに磁界駆動信号と接地電圧Ｖｓｓとが供給されることになる。
【０１８１】
第２スイッチｂ００〜ｂ０９のそれぞれは、例えば３個のスイッチによって構成してもよい、この場合、第１のスイッチは、共通端子ｃと第１端子ｐ１との間に接続され、表示選択信号がハイレベルのとき、導通状態となり、ロウレベルのとき、非導通状態となるようにする。第２のスイッチは、共通端子ｃと第２端子ｐ２との間に接続され、第１タッチ選択信号がハイレベルのとき、導通状態となり、ロウレベルのとき、非導通状態となるようにする。また、第３のスイッチは、共通端子ｃと第３端子ｐ３との間に接続され、第２タッチ選択信号がハイレベルのとき、導通状態となり、ロウレベルのとき、非導通状態となるようにする。
【０１８２】
選択制御回路ＳＲ−Ｒと選択制御回路ＳＲ−Ｌとは互いに同期して動作する。すなわち、単位選択回路ＵＳＲ（ｎ−２）〜ＵＳＲ（ｎ＋６）と単位選択回路ＵＳＬ（ｎ−２）〜ＵＳＬ（ｎ＋６）とは、同期して選択信号を出力する。例えば、単位選択回路ＵＳＲ（ｎ）がハイレベルのタッチ選択信号を出力するとき、単位選択回路ＵＳＬ（ｎ）もハイレベルの第１タッチ選択信号と第２タッチ選択信号を出力する。また、表示期間においては、選択制御回路ＳＲ−Ｒと選択制御回路ＳＲ−Ｌのそれぞれから、ハイレベルの表示選択信号が出力される。これにより、タッチ検出の際には、発生する磁界を強くすることが可能であり、表示期間においては、表示駆動信号が、駆動電極の両端部から供給されるため、駆動電極の電圧の安定化を図ることが可能となる。
＜スキャン動作＞
【０１８３】
図１２〜図１４は、実施の形態１に係わる液晶表示装置１の動作を示すブロック図である。図１２〜図１４には、タッチ検出のときの液晶表示装置１の動作が示されており、表示のときの動作は省略されている。
【０１８４】
図１２〜図１４において、ＴＬ（ｎ−２）〜ＴＬ（ｎ＋７）は、駆動電極を示している。ここで、駆動電極ＴＬ（ｎ−２）〜ＴＬ（ｎ＋７）は、この順番で、表示パネル２（図６、図７）の辺２−Ｕ側から辺２−Ｄ側に配置された駆動電極を示している。すなわち、駆動電極ＴＬ（ｎ−２）は、駆動電極ＴＬ（ｎ−１）〜ＴＬ（ｎ＋７）に比べて、表示パネル２の辺２−Ｕに近く配置された駆動電極であり、駆動電極ＴＬ（ｎ＋７）は、駆動電極ＴＬ（ｎ−２）〜ＴＬ（ｎ＋６）に比べて、表示パネル２の辺２−Ｄに近く配置された駆動電極である。
【０１８５】
表示パネル２の辺２−Ｕ、２−Ｄは、図１０に示した画素配列ＬＣＤの辺（行と平行な辺）に対応しているため、駆動電極ＴＬ（ｎ−２）〜ＴＬ（ｎ＋７）は、画素配列ＬＣＤの一方の辺（辺２−Ｕに対応）から画素配列ＬＣＤの他方の辺（辺２−Ｄに対応）に向かって、この順番で配置された駆動電極であると見なすことができる。この場合にも、駆動電極ＴＬ（ｎ−２）は、駆動電極ＴＬ（ｎ−１）〜ＴＬ（ｎ＋７）に比べて、画素配列ＬＣＤの一方の辺（辺２−Ｕに対応）に近く配置された駆動電極であり、駆動電極ＴＬ（ｎ＋７）は、駆動電極ＴＬ（ｎ−２）〜ＴＬ（ｎ＋６）に比べて、画素配列ＬＣＤの他方の辺（辺２−Ｄに対応）に近く配置された駆動電極である。
【０１８６】
図１２〜図１４を用いて、表示パネル２のいずれかの部分がペンによってタッチされているか否か、あるいはタッチしている表示パネル２における位置を検出するためのスキャンの動作を説明する。ここでは、表示パネル２の辺２−Ｕ（画素配列ＬＣＤの一方の辺）側から辺２−Ｄ（画素配列ＬＣＤの他方の辺）に向かって、順次、タッチ検出を実施して、スキャンする場合を説明する。勿論、逆の方向（辺２−Ｄから辺２−Ｕ）に、順次、タッチ検出を実施し、逆方向へスキャンしてもよい。
【０１８７】
図１２〜図１４のそれぞれは、図１１に示した構成と類似しているので、相違点を主に説明する。先ず、図１２〜図１４には、図１１で説明した選択制御回路ＳＲ−Ｒ、ＳＲ−Ｌおよび選択信号Ｔｙ（ｎ−２）Ｒ〜Ｔｙ（ｎ＋６）Ｒ、Ｔｙ（ｎ−２）Ｌ〜Ｔｙ（ｎ＋６）Ｌは省略されている。しかしながら、図１２〜図１４に示している第１スイッチａ００〜ａ０９および第２スイッチｂ００〜ｂ０９は、図１１で説明したのと同様に、選択制御回路ＳＲ−Ｒ、ＳＲ−Ｌから出力される選択信号Ｔｙ（ｎ−２）Ｒ〜Ｔｙ（ｎ＋６）Ｒ、Ｔｙ（ｎ−２）Ｌ〜Ｔｙ（ｎ＋６）Ｌによって制御されている。
【０１８８】
図１２は、表示パネル２の辺２−Ｕ側の近くに配置された駆動電極ＴＬ（ｎ）、ＴＬ（ｎ＋１）に相当する領域において、タッチを検出する場合の状態を示している。タッチの検出は、図３から理解されるように、磁界発生期間ＴＧＴと磁界検出期間ＴＤＴとを有している。磁界発生期間ＴＧＴのとき、駆動電極ＴＬ（ｎ）、ＴＬ（ｎ＋１）に相当する領域において強い磁界を発生するために、選択制御回路ＳＲ−Ｒ、ＳＲ−Ｌは、これらの駆動電極ＴＬ（ｎ）、ＴＬ（ｎ＋１）を指定する選択信号Ｔｙ（ｎ）Ｒ、Ｔｙ（ｎ）Ｌをハイレベルにする。すなわち、駆動電極ＴＬ（ｎ）、ＴＬ（ｎ＋１）に対応する単位選択回路ＵＳＲ（ｎ）、ＵＳＬ（ｎ）が、これらの駆動電極を挟むように配置された４個の駆動電極を指定する選択信号Ｔｙ（ｎ）Ｒ、Ｔｙ（ｎ）Ｌをハイレベルにする。より具体的に述べるならば、タッチ選択信号Ｔｙ（ｎ）Ｒ−２、第１タッチ選択信号Ｔｙ（ｎ）Ｌ−２および第２タッチ選択信号Ｔｙ（ｎ）Ｌ−３がハイレベルにされる。これにより、図１１で説明したように、第１スイッチと第２スイッチは次のように制御される。
【０１８９】
すなわち、選択信号Ｔｙ（ｎ）Ｒによって、第１スイッチａ００、ａ０１、ａ０４、ａ０５のそれぞれにおける共通端子ｃが、第２端子ｐ２に接続される。また、選択信号Ｔｙ（ｎ）Ｌによって、第２スイッチｂ００、ｂ０１のそれぞれにおける共通端子ｃが、第２端子ｐ２に接続され、第２スイッチｂ０４、ｂ０５のそれぞれにおける共通端子ｃが、第３端子ｐ３に接続される。これにより、駆動電極ＴＬ（ｎ−２）の一方の端部とＴＬ（ｎ＋２）の一方の端部とが、第１スイッチａ００、ａ０４を介して電気的に接続される。同様に、駆動電極ＴＬ（ｎ−１）の端部とＴＬ（ｎ＋３）の端部とが、第１スイッチａ０１、ａ０５を介して電気的に接続される。また、駆動電極ＴＬ（ｎ−２）の他方の端部は、第２スイッチｂ００を介して信号配線ＬＬ３に接続され、駆動電極ＴＬ（ｎ−１）の他方の端部も、第２スイッチｂ０１を介して信号配線ＬＬ３に接続される。さらに、駆動電極ＴＬ（ｎ＋２）の他方の端部は、第２スイッチｂ０３を介して電圧配線ＶＬ２に接続され、駆動電極ＴＬ（ｎ＋３）の他方の端部も、第２スイッチｂ０４を介して電圧配線ＶＬ２に接続される。
【０１９０】
これによって、駆動電極ＴＬ（ｎ−２）、ＴＬ（ｎ＋２）を巻線とした１回巻のコイルＣＹ（ｎ）と、駆動電極ＴＬ（ｎ−１）、ＴＬ（ｎ＋３）を巻線とした１回巻のコイルＣＹ（ｎ＋１）とが形成されることになる。磁界発生期間ＴＧＴにおいては、コイルクロック信号ＣＣＬＫが、信号配線ＬＬ３に供給され、接地電圧Ｖｓｓが、電圧配線ＶＬ２に供給される。その結果、これらのコイルＣＹ（ｎ）、ＣＹ（ｎ＋１）のそれぞれが、コイルクロック信号ＣＣＬＫの変化に従って変化する磁界を発生する。これらのコイルＣＹ（ｎ）、ＣＹ（ｎ＋１）は、駆動電極ＴＬ（ｎ）、ＴＬ（ｎ＋１）に相当する領域において重なっているため、磁界発生期間ＴＧＴのとき、重なった領域において、それぞれのコイルによって発生された磁界が重畳され、強い磁界が発生する。
【０１９１】
図１２において、Ｉ１は、磁界発生期間ＴＧＴのとき、コイルＣＹ（ｎ）の巻線となる駆動電極ＴＬ（ｎ−２）、ＴＬ（ｎ＋２）を流れる駆動電流を示しており、Ｉ２は、磁界発生期間ＴＧＴのとき、コイルＣＹ（ｎ＋１）の巻線となる駆動電極ＴＬ（ｎ−１）、ＴＬ（ｎ＋３）を流れる駆動電流を示している。この実施の形態１においては、コイルＣＹ（ｎ）、ＣＹ（ｎ＋１）のそれぞれが、１回巻線のコイルである。そのため、コイルＣＹ（ｎ）の端子間（ＰＴＬ（ｎ−２）とＰＴＬ（ｎ＋２）間）の長さを、比較的短く抑制することが可能である。同様に、コイルＣＹ（ｎ＋１）の端子間（ＰＴＬ（ｎ−１）とＰＴＬ（ｎ＋３）間）の長さも、比較的短く抑制することが可能である。その結果、駆動電極のシート抵抗が比較的高くても、それぞれのコイルのインピーダンスを低く抑制することが可能となり、駆動電流Ｉ１、Ｉ２を高い値にすることができる。
【０１９２】
駆動電流Ｉ１、Ｉ２を高くすることにより、それぞれのコイルにおいて発生する磁界が弱くなるのが抑制され、タッチを検出する領域において、それぞれのコイルにより発生する磁界が重畳されるため、磁界発生期間ＴＧＴのときに、タッチを検出する領域において強い磁界を発生することが可能となる。
【０１９３】
ペンが、タッチを検出する領域、すなわちコイルが重なった領域（駆動電極ＴＬ（ｎ）、ＴＬ（ｎ＋１）に相当）に近接しているか否かによって、図２および図３で説明したように、ペン内の容量素子Ｃに充電される電荷量が変わる。
【０１９４】
磁界発生期間ＴＧＴに続く、磁界検出期間ＴＤＴにおいては、信号線ＳＬ（０）〜ＳＬ（ｐ）を巻線としたコイルが形成される。磁界発生期間ＴＧＴのときに容量素子Ｃに充電された電荷によって、ペン内コイルＬ１が磁界を発生していれば、信号線を巻線としたコイルに誘起電圧が発生し、センサ信号Ｓ（０）〜Ｓ（ｐ）として、磁界検出回路ＳＥ−ＤＥＴに供給され、検出される。
【０１９５】
実施の形態１においては、磁界発生期間ＴＧＴにおいて、発生する磁界を強くすることが可能であるため、ペン内の容量素子Ｃに充電される電荷量を大きくすることが可能となり、検出精度の向上を図ることが可能となる。
【０１９６】
選択制御回路ＳＲ−Ｒ、ＳＲ−Ｌは、タッチを検出する領域に対応する選択信号Ｔｙ（ｎ）Ｒ、Ｔｙ（ｎ）Ｌをハイレベルにしたとき、選択信号Ｔｙ（ｎ）Ｒ、Ｔｙ（ｎ）Ｌを除いた全ての選択信号をロウレベルにする。図１１を例にして述べると、選択信号Ｔｙ（ｎ−２）Ｒ、Ｔｙ（ｎ＋２）Ｒ、Ｔｙ（ｎ＋４）Ｒ、Ｔｙ（ｎ＋６）ＲおよびＴｙ（ｎ−２）Ｌ、Ｔｙ（ｎ＋２）Ｌ、Ｔｙ（ｎ＋４）Ｌ、Ｔｙ（ｎ＋６）Ｌのそれぞれがロウレベルにされる。これにより、第１スイッチａ００、ａ０１、ａ０４、ａ０５を除く第１スイッチにおいては、共通端子ｃが第３端子に接続される。また、第２スイッチｂ００、ｂ０１、ｂ０４、ｂ０５を除く第２スイッチにおいては、共通端子ｃが第４端子に接続される。
【０１９７】
第１スイッチにおける第３端子および第２スイッチにおける第４端子は、フローティング状態にされているため、コイルＣＹ（ｎ）およびＣＹ（ｎ＋１）の巻線となる駆動電極ＴＬ（ｎ−２）、ＴＬ（ｎ−１）、ＴＬ（ｎ＋２）およびＴＬ（ｎ＋３）を除く駆動電極は、フローティング状態となる。これらの駆動電極がフローティング状態であることを明示するために、図１２には、第１スイッチａ００、ａ０１、ａ０４、ａ０５を除く第１スイッチおよび第２スイッチｂ００、ｂ０１、ｂ０４、ｂ０５を除く第２スイッチの共通端子ｃが何処にも接続されていないように描かれている。
【０１９８】
図１３は、図１２に続いたタッチ検出の状態を示している。すなわち、図１２で述べたタッチを検出する領域（駆動電極ＴＬ（ｎ）、ＴＬ（ｎ＋１）に相当）の隣の領域を、タッチを検出する領域として指定した場合の状態が、図１３に示されている。この場合、図１２で述べたタッチを検出する領域に対して、表示パネル２の辺２−Ｄ側に近づいた領域が、タッチを検出する領域（駆動電極ＴＬ（ｎ＋２）、ＴＬ（ｎ＋３）に相当）となっている。
【０１９９】
図１３の場合、選択制御回路ＳＲ−ＲおよびＳＲ−Ｌは、タッチを検出する領域を指定する選択信号として、選択信号Ｔｙ（ｎ＋２）Ｒ、Ｔｙ（ｎ＋２）Ｌをハイレベルにする。すなわち、単位選択回路ＵＳＲ（ｎ＋２）、ＵＳＬ（ｎ＋２）から出力される選択信号Ｔｙ（ｎ＋２）Ｒ、Ｔｙ（ｎ＋２）Ｌがハイレベルとなる。より具体的に述べるならば、単位選択回路ＵＳＲ（ｎ＋２）から、ハイレベルのタッチ選択信号Ｔｙ（ｎ＋２）Ｒ−２が出力され、単位選択回路ＵＳＬ（ｎ＋２）からハイレベルの第１タッチ選択信号Ｔｙ（ｎ＋２）Ｒ−２とハイレベルの第２タッチ選択信号Ｔｙ（ｎ＋２）Ｒ−３が出力される。
【０２００】
これにより、駆動電極ＴＬ（ｎ＋２）、ＴＬ（ｎ＋３）に相当する領域に対してタッチを検出するとき、磁界発生期間ＴＧＴでは、第１スイッチａ０２、ａ０３、ａ０６，ａ０７の共通端子ｃが、第２端子ｐ２に接続され、第２スイッチｂ０２、ｂ０３の共通端子ｃが、第２端子ｐ２に接続され、第２スイッチｂ０６、ｂ０７の共通端子ｃが、第３端子ｐ３に接続される。その結果、磁界発生期間ＴＧＴにおいて、タッチを検出する領域（駆動電極ＴＫ（ｎ＋２）、ＴＬ（ｎ＋３）に相当）において、互いに重なったコイルＣＹ（ｎ＋２）、ＣＹ（ｎ＋３）が、駆動電極ＴＬ（ｎ）、ＴＬ（ｎ＋１）、ＴＬ（ｎ＋４）、ＴＬ（ｎ＋５）によって形成される。
【０２０１】
タッチを検出する領域において、互いに重なったコイルＣＹ（ｎ＋２）、ＣＹ（ｎ＋３）が形成され、これらのコイルが、コイルクロック信号ＣＣＬＫの変化に従った磁界を発生するため、図１２で述べたのと同様に、磁界発生期間ＴＧＴにおいて、強い磁界を、タッチを検出する領域において発生することが可能となる。
【０２０２】
図１３の場合も、図１２と同様に、磁界発生期間ＴＧＴに続く磁界検出期間ＴＤＴにおいて、信号線によってコイルを形成し、形成したコイルにおける信号が、センサ信号Ｓ（０）〜Ｓ（ｐ）として、磁界検出回路ＳＥ−ＤＥＴに供給され、タッチの検出が行われる。
【０２０３】
なお、図１２と同様に、選択制御回路ＳＲ−Ｒ、ＳＲ−Ｌは、タッチを検出する領域を指定する選択信号Ｔｙ（ｎ＋２）Ｒ、Ｔｙ（ｎ＋２）Ｌを除いた選択信号をロウレベルにする。これにより、コイルの巻線となる駆動電極ＴＬ（ｎ）、ＴＬ（ｎ＋１）、ＴＬ（ｎ＋４）、ＴＬ（ｎ＋５）を除いた駆動電極は、フローティング状態となる。これらの駆動電極がフローティング状態になっていることを明示するために、図１３においても、図１２と同様に、第１スイッチａ０２、ａ０３、ａ０６，ａ０７および第２スイッチｂ０２、ｂ０３、ｂ０６、ｂ０７を除く第１スイッチおよび第２スイッチの共通端子ｃは、何処にも接続されていないように描かれている。
【０２０４】
図１４は、図１３に続いたタッチ検出の状態を示している。すなわち、図１３で述べたタッチを検出する領域（駆動電極ＴＬ（ｎ＋２）、ＴＬ（ｎ＋３）に相当）の隣の領域を、タッチを検出する領域として指定した場合の状態が、図１４に示されている。この場合、図１３で述べたタッチを検出する領域に対して、表示パネル２の辺２−Ｄ側に近づいた領域が、タッチを検出する領域（駆動電極ＴＬ（ｎ＋４）、ＴＬ（ｎ＋５）に相当）となっている。
【０２０５】
図１４の場合、選択制御回路ＳＲ−ＲおよびＳＲ−Ｌは、タッチを検出する領域を指定する選択信号として、選択信号Ｔｙ（ｎ＋４）Ｒ、Ｔｙ（ｎ＋４）Ｌをハイレベルにする。すなわち、単位選択回路ＵＳＲ（ｎ＋４）、ＵＳＬ（ｎ＋４）から出力される選択信号Ｔｙ（ｎ＋４）Ｒ、Ｔｙ（ｎ＋４）Ｌがハイレベルとなる。より具体的に述べるならば、単位選択回路ＵＳＲ（ｎ＋４）から、ハイレベルのタッチ選択信号Ｔｙ（ｎ＋４）Ｒ−２が出力され、単位選択回路ＵＳＬ（ｎ＋４）からハイレベルの第１タッチ選択信号Ｔｙ（ｎ＋４）Ｒ−２とハイレベルの第２タッチ選択信号Ｔｙ（ｎ＋４）Ｒ−３が出力される。
【０２０６】
これにより、駆動電極ＴＬ（ｎ＋４）、ＴＬ（ｎ＋５）に相当する領域に対してタッチを検出するとき、磁界発生期間ＴＧＴでは、第１スイッチａ０４、ａ０５、ａ０８，ａ０９の共通端子ｃが、第２端子ｐ２に接続され、第２スイッチｂ０４、ｂ０５の共通端子ｃが、第２端子ｐ２に接続され、第２スイッチｂ０８、ｂ０９の共通端子ｃが、第３端子ｐ３に接続される。その結果、磁界発生期間ＴＧＴにおいて、タッチを検出する領域（駆動電極ＴＫ（ｎ＋４）、ＴＬ（ｎ＋５）に相当）において、互いに重なったコイルＣＹ（ｎ＋４）、ＣＹ（ｎ＋５）が、駆動電極ＴＬ（ｎ＋２）、ＴＬ（ｎ＋３）、ＴＬ（ｎ＋６）、ＴＬ（ｎ＋７）によって形成される。
【０２０７】
タッチを検出する領域において、互いに重なったコイルＣＹ（ｎ＋４）、ＣＹ（ｎ＋５）が形成され、これらのコイルが、コイルクロック信号ＣＣＬＫの変化に従った磁界を発生するため、図１２で述べたのと同様に、磁界発生期間ＴＧＴにおいて、強い磁界を、タッチを検出する領域において発生することが可能となる。
【０２０８】
図１４の場合も、図１２と同様に、磁界発生期間ＴＧＴに続く磁界検出期間ＴＤＴにおいて、信号線によってコイルを形成し、形成したコイルにおける信号が、センサ信号Ｓ（０）〜Ｓ（ｐ）として、磁界検出回路ＳＥ−ＤＥＴに供給され、タッチの検出が行われる。
【０２０９】
なお、図１２と同様に、選択制御回路ＳＲ−Ｒ、ＳＲ−Ｌは、タッチを検出する領域を指定する選択信号Ｔｙ（ｎ＋４）Ｒ、Ｔｙ（ｎ＋４）Ｌを除いた選択信号をロウレベルにする。これにより、コイルの巻線となる駆動電極ＴＬ（ｎ＋２）、ＴＬ（ｎ＋３）、ＴＬ（ｎ＋６）、ＴＬ（ｎ＋７）を除いた駆動電極は、フローティング状態となる。これらの駆動電極がフローティング状態になっていることを明示するために、図１４においても、図１３と同様に、第１スイッチａ０４、ａ０５、ａ０８、ａ０９および第２スイッチｂ０４、ｂ０５、ｂ０８、ｂ０９を除く第１スイッチおよび第２スイッチの共通端子ｃは、何処にも接続されていないように描かれている。
【０２１０】
以上のようにして、表示パネル２の辺２−Ｕから辺２−Ｄに向かって、順次、タッチ検出を実施することにより、辺２−Ｕから辺２−Ｄに向けたスキャン動作を実施することが可能である。スキャン動作を行うことにより、表示パネル２のいずれかの場所が、ペンによってタッチされているか、あるいはタッチされている位置を検出すること可能となる。
【０２１１】
この実施の形態１においては、スキャン動作のとき、選択制御回路ＳＲ−Ｒ、ＳＲ−Ｌから出力される選択信号によって、表示パネル２の辺２−Ｕから辺２−Ｄ間に配置されている駆動電極ＴＬ（ｎ−２）〜ＴＬ（ｎ＋７）から、順次、駆動電極が指定され、指定された駆動電極によって１回巻線のコイルが２個形成される。形成される２個のコイル間で重なっている領域で強い磁界が形成され、重なっている領域でのタッチ検出が行われる。これにより、表示パネル２上をスキャンするように、順次タッチ検出を行うことができる。
【０２１２】
見方を変えると、それぞれ１回巻線の２個のコイルが、選択制御回路ＳＲ−Ｒ、ＳＲ−Ｌからの選択信号に従って、表示パネル２の辺２−Ｕから辺２−Ｄに向かって、順次、ずれながら、タッチ検出を実施していると見なすことができる。この場合、それぞれ１回巻線の２個のコイルを１単位として、ずれる領域の値は、タッチを検出する領域の値と実質的に同じになる。すなわち、実施の形態１では、ずれる領域の値と、タッチを検出する領域の値は、２個の隣接（近接）した駆動電極（例えば、ＴＬ（ｎ）とＴＬ（ｎ＋１））に相当する。１回巻線のコイルを形成する２個の駆動電極を束として見なした場合には、スキャン動作は、選択制御回路ＳＲ−Ｒ、ＳＲ−Ｌからの選択信号に従って。２個の束（第１束と、第２束）が、２個束ね分ずつずれながら、タッチ検出を実施することにより達成されることになる。
【０２１３】
実施の形態１においては、磁界発生期間ＴＧＴにとき、互いに近接して配置された駆動電極を用いて、２個のコイルが形成される。図１１を例にして述べると、駆動電極ＴＬ（ｎ）、ＴＬ（ｎ＋１）に相当する領域において強い磁界を発生するとき、互いに近接して配置された駆動電極ＴＬ（ｎ−２）と駆動電極ＴＬ（ｎ−１）が、２個のコイルのそれぞれの一方の巻線として用いられる。また、互いに近接して配置された駆動電極ＴＬ（ｎ＋２）と駆動電極ＴＬ（ｎ＋３）が、２個のコイルのそれぞれの他方の巻線として用いられる。駆動電極のそれぞれの幅、すなわち、駆動電極の延在方向と直交する方向の長さは、実質的に同じである。そのため、実施の形態１では、２個のコイルが重なっている領域（タッチを検出する領域）の幅は、２個のコイルの一方（または他方）の巻線として用いられる駆動電極の幅の合計と、実質的に同じになる。
＜切換調整回路ＳＣＸ−Ｕ、ＳＣＸ−Ｄおよび選択制御回路ＳＲＸ−Ｄ＞
【０２１４】
図１６は、実施の形態１に係わる液晶表示装置１における切換調整回路ＳＣＸ−Ｄおよび選択制御回路ＳＲＸ−Ｄの構成を示すブロック図である。また、図１７は、実施の形態１に係わる液晶表示装置１における切換調整回路ＳＣＸ−Ｕの構成を示すブロック図である。
【０２１５】
図１６には、図８に示した信号線ＳＬ（ｎ−６）〜ＳＬ（ｎ＋９）に対応する切換調整回路ＳＣＸ−Ｄの部分と、信号線ＳＬ（ｎ−６）〜ＳＬ（ｎ＋９）に対応する選択制御回路ＳＲＸ−Ｄの部分が示されている。図８に示した符号Ｄ（−６）〜Ｄ（＋９）が、図１６に示した符号Ｄ（−６）〜Ｄ（＋９）にそれぞれ接続される。同様に、図１７には、図８に示した信号線ＳＬ（ｎ−６）〜ＳＬ（ｎ＋９）に対応する切換調整回路ＳＣＸ−Ｕの部分が示されている。図８に示した符号Ｕ（−６）〜Ｕ（＋９）が、図１７に示した符号Ｕ（−６）〜Ｕ（＋９）にそれぞれ接続される。
＜＜信号線により構成されるコイル＞＞
【０２１６】
切換調整回路ＳＣＸ−Ｄ、ＳＣＸ−Ｕおよび切換調整回路ＳＲＸ−Ｄを説明する前に、実施の形態１において、信号線により形成されるコイル（検出コイル）を説明しておく。
【０２１７】
特に制限されないが、実施の形態１においては、タッチ検出のとき、信号線ＳＬ（０）〜ＳＬ（ｐ）によって、２回巻線のコイルが複数個形成される。ここでは、図８に示した信号線ＳＬ（ｎ−６）〜ＳＬ（ｎ＋９）によって、タッチ検出のときに形成されるコイルＣＸ（ｎ−２）〜ＣＸ（ｎ＋１）を例にして説明する。
【０２１８】
図１８は、信号線ＳＬ（ｎ−６）〜ＳＬ（ｎ−３）、ＳＬ（ｎ）〜ＳＬ（ｎ＋３）およびＳＬ（ｎ＋６）〜ＳＬ（ｎ＋９）を巻線としたコイルの模式的な平面図である。タッチ検出のとき、これらの信号線と、これらの信号線の端部間を接続する信号配線とによって、コイルＣＸ（ｎ−２）〜ＣＸ（ｎ＋１）が形成される。
【０２１９】
あとで図１６および図１７を用いて説明するが、タッチ検出のとき、次に述べる信号線の端部は信号配線を介して電気的に接続される。
【０２２０】
信号線ＳＬ（ｎ−５）の一方の端部は、信号配線６５１１を介して、信号線ＳＬ（ｎ＋２）の一方の端部に電気的に接続される。また、信号線ＳＬ（ｎ−６）、ＳＬ（ｎ−５）のそれぞれの他方の端部は、信号配線６５２１、６５３１を介して、信号線ＳＬ（ｎ＋２）、ＳＬ（ｎ＋３）の他方の端部に接続される。さらに、信号線ＳＬ（ｎ＋３）の一方の端部には、接地電圧Ｖｓｓが供給され、信号線ＳＬ（ｎ−６）の一方の端部は、出力端子Ｘｐ１（ｎ−１）に接続される。これにより、タッチ検出のときには、接地電圧Ｖｓｓと出力端子Ｘｐ（ｎ−１）との間に、信号線ＳＬ（ｎ−６）、ＳＬ（ｎ−５）、ＳＬ（ｎ＋５）およびＳＬ（ｎ＋３）が、直列的に接続されることになる。また、信号線ＳＬ（ｎ−６）〜ＳＬ（ｎ＋９）は、互いに平行するように延在している。そのため、タッチ検出のときには、信号線ＳＬ（ｎ−６）、ＳＬ（ｎ−５）、ＳＬ（ｎ＋５）およびＳＬ（ｎ＋３）を巻線としたコイルＣＸ（ｎ−１）が形成されることになる。
【０２２１】
また、信号線ＳＬ（ｎ＋１）の一方の端部は、信号配線６５１２を介して、信号線ＳＬ（ｎ＋８）の一方の端部に電気的に接続される。また、信号線ＳＬ（ｎ）、ＳＬ（ｎ＋１）のそれぞれの他方の端部は、信号配線６５２２、６５３２を介して、信号線ＳＬ（ｎ＋８）、ＳＬ（ｎ＋９）の他方の端部に接続される。さらに、信号線ＳＬ（ｎ＋９）の一方の端部には、接地電圧Ｖｓｓが供給され、信号線ＳＬ（ｎ）の一方の端部は、出力端子Ｘｐ１（ｎ）に接続される。これにより、タッチ検出のときには、接地電圧Ｖｓｓと出力端子Ｘｐ（ｎ）との間に、信号線ＳＬ（ｎ−６）、ＳＬ（ｎ−５）、ＳＬ（ｎ＋５）およびＳＬ（ｎ＋３）が、直列的に接続されることになり、タッチ検出のときには、信号線ＳＬ（ｎ）、ＳＬ（ｎ＋１）、ＳＬ（ｎ＋８）およびＳＬ（ｎ＋９）を巻線としたコイルＣＸ（ｎ）が形成されることになる。
【０２２２】
同様に、信号線ＳＬ（ｎ＋６）、ＳＬ（ｎ＋７）と図示しない信号線の間が、信号配線６５１３、６５２３、６５３３を介して接続されることにより、出力端子Ｘｐ１（ｎ＋１）と接地電圧Ｖｓｓとの間にコイルＣＸ（ｎ＋１）が形成される。さらに、信号線ＳＬ（ｎ−４）、ＳＬ（ｎ−３）と図示しない信号線の間が、信号配線６５１０、６５２０、６５３０を介して接続されることにより、コイルＣＸ（ｎ−２）が形成される。
【０２２３】
タッチ検出のとき、信号線ＳＬ（０）〜ＳＬ（ｐ）を巻線として形成されるコイルは、信号線の延在方向に、延在する。これに対して、図１１〜図１４に示したコイル、すなわち駆動電極を巻線としたコイルは、駆動電極の延在方向に延在することになる。そのため、信号線を巻線としたコイルと駆動電極を巻線としたコイルは、互いに直交することになる。図１５に示したコイルＣＹ（ｎ）〜ＣＹ（ｎ＋５）と図１８に示したコイルＣＸ（ｎ−２）〜ＣＸ（ｎ＋１）を例にすると、コイルＣＹ（ｎ）〜ＣＹ（ｎ＋５）とコイルＣＸ（ｎ−２）〜ＣＸ（ｎ＋１）は、電気的に分離された状態で、直交している。
【０２２４】
実施の形態１では、タッチ検出のときに形成されるコイルＣＸ（ｎ−２）〜ＣＸ（ｎ＋１）は、互いに重なるようにされている。コイルＣＸ（ｎ）とＣＸ（ｎ−１）を例にすると、コイルＣＸ（ｎ）の内側に、コイルＣＸ（ｎ−１）の巻線である信号線ＳＬ（ｎ＋２）、ＳＬ（ｎ＋３）が配置されるようになっている。同様に、コイルＣＸ（ｎ−１）の内側に、コイルＣＸ（ｎ）の巻線である信号線ＳＬ（ｎ）、ＳＬ（ｎ＋１）が配置されるようになっている。このように、タッチ検出のとき、コイルが重なるようにすることにより、磁界の検出精度が低下する領域が発生するのを防ぐことが可能となる。
＜＜切換調整回路ＳＣＸ−Ｄおよび選択制御回路ＳＲＸ−Ｄの構成＞＞
【０２２５】
次に、図１６および図８を用いて、切換調整回路ＳＣＸ−Ｄおよび選択制御回路ＳＲＸ−Ｄの構成を説明する。図１６には、信号線ＳＬ（ｎ−６）〜ＳＬ（ｎ＋９）に対応する部分の構成と、模式的な信号線セレクタ３の構成が示されている。
【０２２６】
表示期間のときには、表示制御装置４（図６）から、時分割的に、画像信号が端子ＳＰのそれぞれに供給される。なお、図面が複雑になるのを避けるために、図１４では、最も右側に配置された端子と最も左側に配置された端子にのみ、符号ＳＰが付されている。
【０２２７】
信号線セレクタ３は、選択信号ＳＥＬ１、ＳＥＬ２に従ってスイッチ制御される複数のスイッチを有しており、端子ＳＰに供給された画像信号を適切な信号線に供給する。信号線セレクタ３におけるスイッチは、表示期間においては、選択的に端子ＳＰと信号線との間を接続するが、タッチ検出期間においては、全ての信号線と端子ＳＰとを実質的に同時に接続する。表示期間とタッチ検出期間とで、信号線と端子ＳＰとの接続が変わることを示すために、信号線セレクタ３に含まれるスイッチとして、図１６には、模式的なスイッチＳＷ１１（符号ＳＷ１１は、最も右側と最も左側のみに付している）が示されている。すなわち、図１６に示したスイッチＳＷ１１は、タッチ検出期間において、信号線ＳＬ（０）〜ＳＬ（ｐ）と端子ＳＰとを接続することを表すために、描かれている。
【０２２８】
切換調整回路ＳＣＸ−Ｄは、磁界イネーブル信号ＳＣ＿ＥＮによってスイッチ制御される第３スイッチｃ００〜ｃ０５と、選択制御回路ＳＲＸ−Ｄからの選択信号Ｘ−Ｏｕｔ（ｎ−１）〜Ｘ−Ｏｕｔ（ｎ＋１）によってスイッチ制御される第４スイッチｄ００〜ｄ０２と、信号配線６５１０〜６５１３を備えている。
【０２２９】
制御回路Ｄ−ＣＮＴ（図６）は、タッチ検出が指定されると、磁界イネーブル信号ＳＣ＿ＥＮをハイレベルにする。タッチ検出が指定されていないとき、および表示期間においては、制御回路Ｄ−ＣＮＴは、磁界イネーブル信号ＳＣ＿ＥＮをロウレベルにする。磁界イネーブル信号ＳＣ＿ＥＮがハイレベルとなることにより、第３スイッチｃ００〜ｃ０５はオン状態となる。これに対して、磁界イネーブル信号ＳＣ＿ＥＮがロウレベルになると、第３スイッチｃ００〜ｃ０５はオフ状態となる。また、タッチ検出期間においては、信号線セレクタ３内のスイッチＳＷ１１がオン状態となるため、端子ＳＰと信号線ＳＬ（ｎ−６）〜ＳＬ（ｎ＋９）間が電気的に接続される。
【０２３０】
これにより、タッチ検出期間のとき、信号線ＳＬ（ｎ−５）の一方の端部は、第３スイッチｃ００および信号配線６５１１を介して、信号線ＳＬ（ｎ＋２）の一方の端部に接続され、信号線ＳＬ（ｎ＋１）の一方の端部は、第３スイッチｃ０２および信号配線６５１２を介して、信号線ＳＬ（ｎ＋８）の一方の端部に接続される。また、信号線ＳＬ（ｎ−４）は、信号配線６５１０および図示しない第３スイッチを介して図示しない信号線に接続され、信号配線ＳＬ（ｎ＋７）は、第３スイッチｃ０４および信号配線６５１３を介して図示しない信号線に接続される。
【０２３１】
また、タッチ検出期間のとき、信号線ＳＬ（ｎ−３）、ＳＬ（ｎ＋９）のそれぞれの一方の端部は、第３スイッチｃ０１、ｃ０５を介して、それぞれ電圧配線ＶＬ２に接続される。この電圧配線ＶＬ２には、タッチ検出期間のとき、例えば接地電圧Ｖｓｓが供給される。また、タッチ検出期間のとき、第４スイッチｄ００〜ｄ０２は、選択制御回路ＳＲＸ−Ｄからの選択信号Ｘ−Ｏｕｔ（ｎ−１）〜Ｘ−Ｏｕｔ（ｎ＋１）に従ってオン状態となる。
【０２３２】
図６に示した制御回路Ｄ−ＣＮＴは、タッチの検出を開始するとき、制御信号Ｘ−ＣＮＴおよびＹ−ＣＮＴを、例えばハイレベルにする。選択制御回路ＳＲＸ−Ｄは、制御信号Ｘ−ＣＮＴがハイレベルになることにより、クロック信号ＣＬＫの変化に同期してコイルの選択動作を行う。例えば、選択制御回路ＳＲＸ−Ｄは、クロック信号ＣＬＫの変化に同期して、選択信号Ｘ−Ｏｕｔ（０）〜Ｘ−Ｏｕｔ（ｐ）の順に、この選択信号をハイレベルにする。また、選択制御回路ＳＲＸ−Ｄは、それぞれのコイルＣＸ（０）〜ＣＸ（ｐ）に対応した入力端子ＸＩＯ（０）〜ＸＩＯ（ｐ）を有している。選択信号Ｘ−Ｏｕｔ（０）〜Ｘ−Ｏｕｔ（ｐ）が、順次ハイレベルになることにより、第４スイッチが、順次導通し、コイルＣＸ（０）〜ＣＸ（ｐ）からの信号が、入力端子ＸＩＯ（０）〜ＸＩＯ（ｐ）へ供給される。選択制御回路ＳＲＸ−Ｄは、供給された信号を、磁界検出期間ＴＤＴのとき、センス信号Ｓ（０）〜Ｓ（ｐ）として出力する。なお、図１６には、コイルＣＸ（ｎ−１）〜ＣＸ（ｎ＋１）の出力端子Ｘｐ１（ｎ−１）〜Ｘｐ１（ｎ＋１）にそれぞれ接続される入力端子ＸＩＯ（ｎ−１）〜ＸＩＯ（ｎ＋１）と、これらの入力端子に対応した選択信号Ｘ−Ｏｕｔ（ｎ−１）〜Ｘ−Ｏｕｔ（ｎ＋１）のみが示されている。
【０２３３】
なお、図１６において、破線で示したＤＤＩＣは、ドライブ用半導体装置を示している。ドライブ用半導体装置ＤＤＩＣは、上記した切換調整回路ＳＣＸ−Ｄおよび選択制御回路ＳＲＸ−Ｄを覆うように配置されており、ドライブ用半導体装置ＤＤＩＣの外部端子が、端子ＳＰに接続されている。端子ＳＰに接続されているドライブ用半導体装置ＤＤＩＣの外部端子から、表示期間においては、画像信号が、端子ＳＰへ供給される。また、タッチ検出期間においては、ドライブ用半導体装置ＤＤＩＣの外部端子は、ハイインピーダンス状態となる。
【０２３４】
なお、第４スイッチは設けずに、選択制御回路ＳＲＸ−Ｄの入力端子ＸＩＯ（０）〜ＸＩＯ（ｐ）のそれぞれに、コイルＣＸ（０）〜ＣＸ（ｐ）の出力端子Ｘｐ１（０）〜Ｘｐ１（ｐ）が接続されるようにしてもよい。このようにすることにより、それぞれのコイルＣＸ（０）〜ＣＸ（ｐ）からの信号を、センス信号Ｓ（０）〜Ｓ（ｐ）として、選択制御回路ＳＲＸ−Ｄから出力することが、可能となる。
＜＜切換調整回路ＳＣＸ−Ｕの構成＞＞
【０２３５】
図１７は、切換調整回路ＳＣＸ−Ｕの構成を示す回路図である。図１７には、信号線ＳＬ（ｎ−６）〜ＳＬ（ｎ＋９）に対応する切換調整回路ＳＣＸ−Ｕの部分が示されている。切換調整回路ＳＣＸ−Ｕは、磁界イネーブル信号ＳＣ＿ＥＮによってスイッチ制御される第５スイッチｅ００〜ｅ０５と、信号配線６５２０〜６５２３、６５３０〜６５３３を有している。第５スイッチｅ００〜ｅ０５は、タッチ検出のとき、ハイレベルの磁界イネーブル信号ＳＣ＿ＥＮが供給されるため、オン状態となる。一方、タッチ検出が指定されていないとき、および表示期間においては、第５スイッチｅ００〜ｅ０５は、オフ状態となる。
【０２３６】
タッチ検出のとき、切換調整回路ＳＣＸ−Ｕにおいて、信号線ＳＬ（ｎ−６）の他方の端部は、第５スイッチｅ００および信号配線６５２１を介して、信号線ＳＬ（ｎ＋２）の他方の端部に接続され、信号線ＳＬ（ｎ−５）の他方の端部は、第５スイッチｅ０１および信号配線６５３１を介して、信号線ＳＬ（ｎ＋３）の他方の端部に接続される。このとき、切換調整回路ＳＣＸ−Ｕにおいて、信号線ＳＬ（ｎ）の他方の端部は、第５スイッチｅ０２および信号配線６５２２を介して、信号線ＳＬ（ｎ＋８）の他方の端部に接続され、信号線ＳＬ（ｎ＋１）の他方の端部は、第５スイッチｅ０３および信号配線６５３２を介して、信号線ＳＬ（ｎ＋９）の他方の端部に接続される。また、このとき、図示しない第５スイッチおよび信号配線６５２０を介して、図示しない信号線に信号線ＳＬ（ｎ−４）は接続され、図示しない第５スイッチおよび信号配線６５２０を介して、図示しない信号線に信号線ＳＬ（ｎ−３）は接続される。さらに、信号線ＳＬ（ｎ＋６）は第５スイッチｅ０４および信号配線６５２３を介して、図示しない信号線に接続され、信号線ＳＬ（ｎ＋７）は、第５スイッチｅ０５および信号配線６５３３を介して、図示しない信号線に接続される。
＜＜切換調整回路ＳＣＸ−Ｄ、ＳＣＸ−Ｄ、選択制御回路ＳＲＸ−Ｄの動作＞＞
【０２３７】
タッチ検出が指定されると、切換調整回路ＳＣＸ−Ｄにおいて、信号線ＳＬ（ｎ−５）と信号線ＳＬ（ｎ＋２）とが接続され、信号線ＳＬ（ｎ＋１）と信号線ＳＬ（ｎ＋８）とが接続され、信号線ＳＬ（ｎ＋３）およびＳＬ（ｎ＋９）は電圧配線ＶＬ２に接続されることになる。また、タッチ検出が指定されると、切換調整回路ＳＣＸ−Ｕにおいて、信号線ＳＬ（ｎ−６）と信号線ＳＬ（ｎ＋２）とが接続され、信号線ＳＬ（ｎ−５）と信号線ＳＬ（ｎ＋３）が接続され、信号線ＳＬ（ｎ）と信号線ＳＬ（ｎ＋８）が接続され、信号線ＳＬ（ｎ＋１）と信号線ＳＬ（ｎ＋９）とが接続されることになる。これにより、タッチ検出が指定されると、表示パネル２において、互いに平行に配置された信号線ＳＬ（ｎ−６）、ＳＬ（ｎ−５）、ＳＬ（ｎ＋２）およびＳＬ（ｎ＋３）が直列的に接続され、これらの信号線を巻線としたコイルＸ（ｎ−１）が形成される。同様に、磁界タッチ検出が指定されると、信号線ＳＬ（ｎ）、ＳＬ（ｎ＋１）、ＳＬ（ｎ＋８）およびＳＬ（ｎ＋９）が直列的に接続され、これらの信号線を巻線としたコイルＸ（ｎ）が形成される。
【０２３８】
このとき、コイルＸ（ｎ−１）およびＸ（ｎ）のそれぞれの一方の端部は、電圧配線ＶＬ２に接続され、接地電圧Ｖｓｓが供給されることになる。選択制御回路ＳＲＸ−Ｄによって、コイルＸ（ｎ−１）または／およびＸ（ｎ）が選択されると、選択信号Ｘ−Ｏｕｔ（ｎ−１）または／およびＸ−Ｏｕｔ（ｎ）がハイレベルとなる。これにより、選択されたコイルＸ（ｎ−１）または／およびＸ（ｎ）の他方の端部は、第４スイッチｄ００または／およびｄ０１を介して、選択制御回路ＳＲＸ−Ｄの入力端子ＸＩＯ（ｎ−１）または／およびＸＩＯ（ｎ）に接続される。
【０２３９】
タッチ検出の磁界発生期間ＴＧＴにおいては、図１１〜図１４を用いて説明したように、駆動電極を巻線としたコイル（例えばコイルＣＹ（ｎ）、ＣＹ（ｎ＋１））によって、タッチを検出する領域において強い磁界が発生している。このとき、ペンが、タッチを検出する領域に近接しているが否かにより、ペン内の容量素子Ｃに充電される電荷量が定まる。
【０２４０】
磁界発生期間ＴＧＴに続く磁界検出期間ＴＤＴにおいて、選択制御回路ＳＲＸ−Ｄは、選択するコイルＸ（ｎ−１）またはＸ（ｎ）に対応する選択信号Ｘ−Ｏｕｔ（ｎ−１）またはＸ−Ｏｕｔ（ｎ）のみをハイレベルにし、非選択とするコイルＸ（ｎ）またはＸ（ｎ−１）に対応する選択信号をロウレベルにする。これにより、選択するコイルＸ（ｎ−１）またはＸ（ｎ）の出力端子が、選択制御回路ＳＲＸ−Ｄの入力端子に接続され、非選択とするコイルの出力端子は、選択制御回路ＳＲＸ−Ｄの入力端子に接続されない。
【０２４１】
タッチ検出のときに、タッチ検出をする領域であって、選択したコイルの近傍に、ペンが存在していれば、ペン内の容量素子Ｃに充電された電荷によって、ペン内コイルＬ１が磁界を発生し、発生した磁界によって、選択したコイルに誘起電圧が発生する。その結果、選択したコイルの出力端子に信号の変化が発生する。この信号の変化が、選択制御回路ＳＲＸ−Ｄの入力端子に伝達され、センス信号Ｓ（ｎ）として、選択制御回路ＳＲＸ−Ｄから出力される。一方、タッチ検出のときに、タッチ検出をする領域あるいは選択したコイルの近傍に、ペンが存在しない場合には、選択したコイルの出力端子に信号の変化は発生せず、これが、センス信号Ｓ（ｎ）として出力される。
【０２４２】
一方、表示期間においては、第３スイッチｃ００〜ｃ０５、第４スイッチｄ００〜ｄ０２および第５スイッチｅ００〜ｅ０５は、オフ状態となる。これにより、信号線ＳＬ（ｎ−６）〜ＳＬ（ｎ＋９）は、互いに電気的に分離される。表示期間においては、表示制御装置４から端子ＳＰに画像信号が供給され、信号線ＳＬ（ｎ−６）〜ＳＬ（ｎ＋９）は、画像信号を伝達することが可能となる。
＜信号配線の構造＞
【０２４３】
実施の形態１において、切換回路ＤＳＣおよび選択駆動回路ＳＤＣは、表示パネル２（画素配列ＬＣＤ）の外部に配置されている。すなわち、切換回路ＤＳＣおよび選択駆動回路ＳＤＣに含まれる信号配線ＬＬ１、ＬＬ２は、表示パネル２の外部に配置された配線により構成されている。ここでは、図１１に示した信号配線ＬＬ１を例にして、表示パネル２の外部に配置された配線を用いた信号配線の構造を説明する。図１９は、図１１において、Ｂ１−Ｂ１’の断面およびＢ２−Ｂ２’の断面を示す断面図である。なお、表示パネル２内における断面の構造は、図９に示しているので、説明は省略する。
【０２４４】
図１９において、［６０３］は、第２配線層６０３の配線を示しており、［６０５］は、第３配線層６０５の配線を示している。駆動電極ＴＬ（０）〜ＴＬ（ｐ）および補助電極ＳＭは、第３配線層に形成された配線により構成されている。表示パネル２に形成された駆動電極ＴＬ（０）〜ＴＬ（ｐ）および補助電極ＳＭは、特に制限されないが、表示パネル２の外部に配置された切換回路ＤＳＣおよび選択駆動回路ＳＤＣまで、延在している。図１９には、切換回路ＤＳＣまで延在している駆動電極ＴＬ（ｎ＋１）、ＴＬ（ｎ＋８）およびこれらの駆動電極上に配置された補助電極ＳＭが示されている。図１９では、駆動電極ＴＬ（ｎ）、ＴＬ（ｎ−２）および補助電極ＳＭが、第３配線層６０５の配線により構成されていることを明示するために、ＴＬ（ｎ）［６０５］、ＴＬ（ｎ−２）およびＳＭ［６０５］として示されている。
【０２４５】
この実施の形態１において、切換回路ＤＳＣおよび選択駆動回路ＳＤＣに含まれている信号配線は、第２配線層の配線により構成されている。すなわち、信号配線ＬＬ１は、第２配線層６０３に形成された配線ＬＬ１［６０３］により構成されている。この配線ＬＬ１［６０３］は、第１スイッチａ０２を介して、駆動電極ＴＬ（ｎ）［６０５］および補助電極ＳＭ［６０５］に接続され、さらに第１スイッチａ００を介して、駆動電極ＴＬ（ｎ−２）［６０５］および補助電極ＳＭ［６０５］に接続されている。なお、切換回路ＤＳＣおよび選択駆動回路ＳＤＣは、表示パネル２の外部であるため、図１９に示した絶縁層６０６の上には、液晶層６０７は形成されていない。
【０２４６】
この実施の形態１においては、コイルを形成するために、駆動電極間を接続する信号配線ＬＬ１、ＬＬ２として、第２配線層６０３の配線が用いられている。すなわち、信号線ＳＬ（０）〜ＳＬ（ｐ）と同じ配線層の配線を、信号配線ＬＬ１、ＬＬ２として用いている。また、コイルの巻線として、駆動電極および補助電極を用いている。そのため、配線層を増加させることなく、コイルを形成することが可能となり、価格の上昇を抑制することが可能となる。
【０２４７】
信号線ＳＬ（０）〜ＳＬ（ｐ）を形成するとき、表示パネル２の外側にも、信号線ＳＬ（０）〜ＳＬ（ｐ）と平行な配線を形成し、表示パネル２の外側に形成した配線を、上記した信号配線ＬＬ１、ＬＬ２として用いてもよい。
【０２４８】
図２０は、図１１において、破線で囲んだ領域ＰＰ１を詳しく示した平面図である。図２０において、Ｒ、Ｇ、Ｂは、三原色の画素を示しており、ＴＬ（ｎ−１）〜ＴＬ（ｎ＋１）は、駆動電極を示している。また、ＳＭは、補助電極を示しており、駆動電極と電気的に接続されている。さらに、同図において、ＧＬ（ｎ−２）〜ＧＬ（ｎ＋３）は、走査線を示している。
【０２４９】
図２０に示されているように、１個の駆動電極ＴＬ（ｎ）に対して複数個の補助電極ＳＭが接続されている。例えば、数十本の補助電極ＳＭが、駆動電極ＴＬ（ｎ）と平行に延在し、駆動電極ＴＬ（ｎ）に接続されている。これにより、駆動電極および補助電極ＳＭによってコイルを形成するとき、コイルの抵抗を低減することが可能となる。
【０２５０】
信号配線ＬＬ１、ＬＬ２として、第２配線層６０３における配線を用いる例を説明したが、これに限定されるものではない。例えば、第１配線層６０１における配線を信号配線として用いてもよいし、第３配線層６０５における配線を信号配線として用いてもよい。
【０２５１】
実施の形態１において、切換調整回路ＳＣＸ−Ｕ、ＳＣＸ−Ｄは、表示パネル２（画素配列ＬＣＤ）の外部に配置されている。すなわち、切換調整回路ＳＣＸ−Ｕ、ＳＣＸ−Ｄに含まれる信号配線は、表示パネル２の外部に配置された配線により構成されている。図１６および図１７に示した例で述べると、信号配線６５１０〜６５１３、６５２０〜６５２３および６５３０〜６５３３は、表示パネル２の外部に配置された配線により構成されている。ここでは、切換調整回路ＳＣＸ−Ｄに含まれる信号配線６５１２を例にして、表示パネル２の外部に配置された配線を用いた信号配線の構造を説明する。図２１は、図１６において、Ｂ１−Ｂ１’の断面およびＢ２−Ｂ２’の断面を示す断面図である。なお、表示パネル２内の断面の構造は、図９に示しているので、説明は省略する。
【０２５２】
図２１において、［６０３］は、第２配線層の配線を示しており、［６０５］は、第３配線層の配線を示している。信号線ＳＬ（０）〜ＳＬ（ｐ）は、第２配線層に形成された配線により構成されている。表示パネル２に形成された信号線は、切換調整回路ＳＣＸ−Ｕ、ＳＣＸ−Ｄおいて、第２配線層の配線に接続される。図２１において、ＳＬ（ｎ＋１）［６０３］〜ＳＬ（ｎ＋３）［６０３］およびＳＬ（ｎ＋８）［６０３］は、切換調整回路ＳＣＸ−Ｄにおいて、信号線ＳＬ（ｎ＋１）〜ＳＬ（ｎ＋３）およびＳＬ（ｎ＋８）が接続された第２配線層の配線を示している。図１６に示した信号配線６５１２は、第３配線層６０５に形成された配線６５１２［６０５］により構成されている。この配線６５１２［６０５］は、層間配線ＳＬＣによって、配線ＳＬ（ｎ＋１）［６０３］およびＳＬ（ｎ＋８）［６０３］に接続されている。この場合、配線６５１２［６０５］は、補助電極ＳＭに対応する配線と、駆動電極に対応する配線とを含んでいる。なお、切換調整回路ＳＣＸ−Ｕ、ＳＣＸ−Ｄは、表示パネル２の外部であるため、図２１に示した絶縁層６０６の上には、液晶層６０７は形成されていない。
【０２５３】
この実施の形態１においては、コイルを形成するために、信号線間を接続する信号配線として、第３配線層６０５の配線が用いられている。すなわち、駆動電極ＴＬおよび補助電極ＳＭと同じ配線層の配線を、信号配線６５１０〜６５１３、６５２０〜６５２３および６５３０〜６５３３として用いている。また、コイルの巻線として、信号線を用いている。そのため、配線層を増加させることなく、コイルを形成することが可能となり、価格の上昇を抑制することが可能となる。例えば、駆動電極ＴＬおよび補助電極を、表示パネル２のアクティブエリアに形成するとき、表示パネル２の外側（アクティブエリア外）にも、配線を形成し、表示パネル２の外側に形成した配線を、上記した信号配線として用いればよい。
【０２５４】
また、駆動電極ＴＬおよび補助電極を形成するとき、表示パネル２の外側にも、駆動電極ＴＬおよび補助電極と平行な配線を形成し、表示パネル２の外側に形成した配線を、上記した信号配線として用いてもよい。この場合には、信号配線と接続しない部分を切断すればよい。切断して不要となった配線は残しておいても、除去してもよい。
【０２５５】
図２２は、図１８において、一点鎖線で囲んだ領域ＰＰ２を詳しく示した平面図である。図２２において、Ｒ、Ｇ、Ｂは、三原色の画素を示しており、ＴＬは、駆動電極を示している。また、ＳＬ（ｎ＋６）１（Ｇ）〜ＳＬ（ｎ＋８）０（Ｇ）、ＳＬ（ｎ＋６）１（Ｂ）〜ＳＬ（ｎ＋８）０（Ｂ）およびＳＬ（ｎ＋７）０（Ｒ）〜ＳＬ（ｎ＋８）０（Ｒ）は、信号線を示している。
【０２５６】
この実施の形態１においては、図８に示した信号線ＳＬ（ｎ＋８）として、図２２に示した信号線ＳＬ（ｎ＋６）１（Ｇ）〜ＳＬ（ｎ＋８）０（Ｇ）、ＳＬ（ｎ＋６）１（Ｂ）〜ＳＬ（ｎ＋８）０（Ｂ）およびＳＬ（ｎ＋７）０（Ｒ）〜ＳＬ（ｎ＋８）０（Ｒ）のうちの複数の信号線が用いられる。すなわち、信号線によってコイルを形成するとき、複数の信号線が互いに接続され、１本の信号線とされ、コイルの巻線とされる。これにより、コイルの抵抗を低減することが可能となる。この場合、例えば数十本の信号線を、互いに電気的に接続して、コイルの巻線として用いることが望ましい。
【０２５７】
図１５〜図１７では、信号線により形成されるコイルの巻数が２の場合を説明したが、これに限定されるものではない。切換調整回路ＳＣＸ−Ｕ、ＳＣＸ−Ｄにおける信号線と信号配線との接続の数を変更することにより、コイルの巻数を増減すことが可能である。また、信号線と信号配線との接続を変更することにより、任意の信号線をコイルの巻線として用いることが可能である。さらに、切換調整回路ＳＣＸ−Ｕ、ＳＣＸ−Ｄにおける接続を変更することにより、互いに隣接するコイル間での重なる量を変更することが可能である。すなわち、調整部によって、タッチ検出期間に用いられるコイルを調整することが可能となる。
【０２５８】
信号配線として、第３配線層６０５における配線を用いる例を説明したが、これに限定されるものではない。例えば、第１配線層における配線を信号配線６５１０〜６５１３、６５２０〜６５２３および６５３０〜６５３３として用いてもよい。この場合には、走査線ＧＬ（０）〜ＧＬ（ｐ）を形成するときに、信号配線６５１０〜６５１３、６５２０〜６５２３および６５３０〜６５３３として用いる配線が形成されることになり、この場合にも価格の上昇を抑制することが可能である。
（実施の形態２）
【０２５９】
図２３および図２４は、実施の形態２に係わる液晶表示装置１の構成を示すブロック図である。図２４は、図２３に連続している。すなわち、図２３において符号ＤＤで示されている部分が、図２４において符号ＤＤで示されている部分と連続している。図２３および図２４には、図１１と同様に、駆動電極ＴＬ（０）〜ＴＬ（ｐ）（第１駆動電極）と、切換回路ＤＳＣ１と、選択駆動回路ＳＤＣ１と、選択制御回路ＳＲ１−Ｒ、ＳＲ１−Ｌが示されている。図２３および図２４において、ＴＬ（ｄｕ１）〜ＴＬ（ｄｕ３）およびＴＬ（ｄｄ１）〜ＴＬ（ｄｄ３）は、特に制限されないが、磁界発生用の駆動電極（以下、磁界用駆動電極（第２駆動電極）とも称する）である。
【０２６０】
実施の形態１においては、磁界発生期間ＴＧＴのとき、それぞれ１回巻線の２個のコイルが形成され、２個のコイルを単位として、磁界が発生するようにされていた。これに対して、実施の形態２では、磁界発生期間ＴＧＴのとき、それぞれ１回巻線のコイルが、３個形成され、３個のコイルを単位として、磁界が発生する。また、実施の形態１では、２個のコイルの領域が、互いに重なっている領域は、２個の駆動電極に相当する領域であったが、実施の形態２においては、３個のコイルの領域が、互いに重なっている領域は、１個の駆動電極に相当する領域とされる。
【０２６１】
さらに、スキャン動作のとき、実施の形態１では、２個のコイルを単位としてずれ、ずれる量は、２個のコイル分であった。これに対して、実施の形態２では、３個のコイルを単位としてずれるが、ずれる量は、１個のコイル分とされる。
＜磁界用駆動電極＞
【０２６２】
特に制限されないが、この実施の形態２において、駆動電極ＴＬ（０）〜ＴＬ（ｐ）は、表示パネル２（画像配列ＬＣＤ）の辺２−Ｕ側から辺２−Ｄ側に向かって、この順番で配置されている。すなわち、表示パネル２のアクティブ領域内に、駆動電極ＴＬ（０）〜ＴＬ（ｐ）は、配置されている。これに対して、磁界用駆動電極ＴＬ（ｄｕ１）〜ＴＬ（ｄｕ３）は、表示パネル２（画素配列ＬＣＤ）の辺２−Ｕに沿って配置されているが、表示パネル２のアクティブ領域の外部に配置されている。同様に、磁界用駆動電極ＴＬ（ｄｄ１）〜ＴＬ（ｄｄ３）も、表示パネル２（画素配列ＬＣＤ）の辺２−Ｄに沿って配置されているが、表示パネル２のアクティブ領域の外部に配置されている。
【０２６３】
磁界用駆動電極ＴＬ（ｄｕ１）〜ＴＬ（ｄｕ３）のそれぞれは、駆動電極ＴＬ（０）〜ＴＬ（ｐ）と平行するように、延在して配置されており、磁界用駆動電極ＴＬ（ｄｕ３）からＴＬ（ｄｕ１）の順に、表示パネル２の辺２−Ｕから遠ざかるように配置されている。また、特に制限されないが、磁界用駆動電極ＴＬ（ｄｕ１）の幅ｄ１は、磁界用駆動電極ＴＬ（ｄｕ２）の幅ｄ２よりも狭くされ、磁界用駆動電極ＴＬ（ｄｕ２）の幅ｄ２は、磁界用駆動電極ＴＬ（ｄｕ３）の幅ｄ３よりも狭くされている。さらに、磁界用駆動電極ＴＬ（ｄｕ３）の幅ｄ３は、駆動電極ＴＬ（０）〜ＴＬ（ｐ）のそれぞれの幅ｄ４よりも狭くされている。
【０２６４】
同様に、磁界用駆動電極ＴＬ（ｄｄ１）〜ＴＬ（ｄｄ３）のそれぞれは、駆動電極ＴＬ（０）〜ＴＬ（ｐ）と平行するように、延在して配置されており、磁界用駆動電極ＴＬ（ｄｄ３）からＴＬ（ｄｄ１）の順に、表示パネル２の辺２−Ｄから遠ざかるように配置されている。また、特に制限されないが、磁界用駆動電極ＴＬ（ｄｄ１）の幅ｄ５は、磁界用駆動電極ＴＬ（ｄｄ２）の幅ｄ６よりも狭くされ、磁界用駆動電極ＴＬ（ｄｄ２）の幅ｄ６は、磁界用駆動電極ＴＬ（ｄｄ３）の幅ｄ７よりも狭くされている。さらに、磁界用駆動電極ＴＬ（ｄｄ３）の幅ｄ７は、駆動電極ＴＬ（０）〜ＴＬ（ｐ）のそれぞれの幅ｄ４よりも狭くされている。
【０２６５】
画素配列ＬＣＤに対応させて説明すると、磁界用駆動電極ＴＬ（ｄｕ１）〜ＴＬ（ｄｕ３）のそれぞれは、画素配列ＬＣＤの行と平行な辺（表示パネル２の辺２−Ｕに対応）に沿って配置され、それぞれは、画素配列ＬＣＤの行と平行になっている。また、磁界用駆動電極ＴＬ（ｄｕ３）〜ＴＬ（ｄｕ１）の順番で、画素配列ＬＣＤの辺（辺２−Ｕに対応）から遠ざかるように配置されている。同様に、磁界用駆動電極ＴＬ（ｄｄ１）〜ＴＬ（ｄｄ３）のそれぞれは、画素配列ＬＣＤの行と平行な辺（表示パネル２の辺２−Ｄに対応）に沿って配置され、それぞれは、画素配列ＬＣＤの行と平行になっている。また、磁界用駆動電極ＴＬ（ｄｄ３）〜ＴＬ（ｄｄ１）の順番で、画素配列ＬＣＤの辺（辺２−Ｄに対応）から遠ざかるように配置されている。
【０２６６】
磁界用駆動電極ＴＬ（ｄｕ１）〜ＴＬ（ｄｕ３）およびＴＬ（ｄｄ１）〜ＴＬ（ｄｄ３）は、表示パネル２のアクティブ領域の外部に形成されているため、表示の際には機能しない。すなわち、表示のときに、磁界用駆動電極ＴＬ（ｄｕ１）〜ＴＬ（ｄｕ３）およびＴＬ（ｄｄ１）〜ＴＬ（ｄｄ３）に、表示駆動信号が供給されも供給されなくても、表示には影響しない。磁界用駆動電極は（ｄｕ１）〜ＴＬ（ｄｕ３）およびＴＬ（ｄｄ１）〜ＴＬ（ｄｄ３）は、磁界発生期間ＴＧＴのとき、駆動電極と組み合わされる。すなわち、磁界発生期間ＴＧＴのときに、表示パネル２（画素配列ＬＣＤ）の辺２−Ｕまたは辺２−Ｄに近接した駆動電極と磁界用駆動電極とによって、コイルが形成される。この場合、表示パネル２の外部に配置され、磁界発生期間において、駆動電極と組み合わせてコイルを形成する電極が、磁界用駆動電極であると見なすこともできる。
＜選択制御回路ＳＲ１−Ｒ、ＳＲ１−Ｌ＞
【０２６７】
選択制御回路ＳＲ１−Ｒ、ＳＲ１−Ｌは、実施の形態１で説明した選択制御回路ＳＲ−Ｒ、ＳＲ−Ｌと同様な構成を有している。すなわち、選択制御回路ＳＲ１−Ｒ、ＳＲ１−Ｌのそれぞれは、シフトレジスタを有しており、シフトレジスタの各段に対応する複数の単位選択回路を備えている。タッチ検出の動作を指定するように、磁界イネーブル信号ＳＣ＿ＥＮがハイレベルにされ、制御信号Ｙ−ＣＮＴがハイレベルにされることにより、シフトレジスタは、クロック信号ＣＬＫの変化に同期してシフト動作を行う。シフト動作が行われることにより、シフトレジスタの各段に対応する単位選択回路から、順番にハイレベルとなる選択信号Ｔｙ（０）Ｒ〜Ｔｙ（ｐ）ＲおよびＴｙ（０）Ｌ〜Ｔｙ（ｐ）Ｌが出力される。なお、実施の形態１と同様に、選択制御回路ＳＲ１−１と選択制御回路ＳＲ１−Ｌは、互いに同期して動作する。すなわち、例えば、選択制御回路ＳＲ１−Ｒからの選択信号Ｔｙ（ｎ）Ｒがハイレベルへ変化するとき、選択制御回路ＳＲ１−Ｌからの選択信号Ｔｙ（ｎ）Ｌもハイレベルへ変化する。
【０２６８】
選択制御回路ＳＲ１−Ｒ、ＳＲ１−Ｌから出力される選択信号Ｔｙ（０）Ｒ〜Ｔｙ（ｐ）ＲおよびＴｙ（０）Ｌ〜Ｔｙ（ｐ）Ｌは、駆動電極ＴＬ（０）〜ＴＬ（ｐ）に１対１に対応している。例えば、選択信号Ｔｙ（０）Ｒ、Ｔｙ（０）Ｌは、駆動電極ＴＬ（０）に対応し、選択信号Ｔｙ（ｎ）Ｒ、ＴＹ（ｎ）Ｌは、駆動電極ＴＬ（ｎ）に対応し、選択信号Ｔｙ（ｐ）Ｒ、Ｔｙ（ｐ）Ｌは、駆動電極ＴＬ（ｐ）に対応している。選択制御回路ＳＲ１−Ｒ、ＳＲ１−Ｌからの選択信号Ｔｙ（０）Ｒ〜Ｔｙ（ｐ）ＲおよびＴｙ（０）Ｌ〜Ｔｙ（ｐ）Ｌによって、強い磁界を発生する領域（駆動電極に相当）が指定される。すなわち、ハイレベルとなった選択信号に対応する駆動電極に相当する領域において、強い磁界が発生するように、切換回路ＤＳＣ１および選択駆動回路ＳＤＣ１が制御される。例えば、選択信号Ｔｙ（ｎ）がハイレベルの場合、この選択信号Ｔｙ（ｎ）に対応する駆動電極ＴＬ（ｎ）に相当する領域において強い磁界が発生するように、切換回路ＤＳＣ１および選択駆動回路ＳＤＣ１が制御される。
【０２６９】
この実施の形態２においては、特に制限されないが、選択制御回路Ｒ１−Ｒ、ＳＲ１−Ｌから出力される選択信号Ｔｙ（０）Ｒ〜Ｔｙ（ｐ）ＲおよびＴｙ（０）Ｌ〜Ｔｙ（ｐ）Ｌは、この順番で、ハイレベルへ変化する。すなわち、タッチ検出のときに、選択信号Ｔｙ（０）Ｒ、Ｔｙ（０）Ｌが、ロウレベルからハイレベルになり、その後、選択信号Ｔｙ（０）Ｒ、Ｔｙ（０）Ｌは、ハイレベルからロウレベルへ変化し、選択信号Ｔｙ（１）Ｒ、Ｔｙ（１）Ｌが、ロウレベルからハイレベルへ変化する。
【０２７０】
このようにして、ハイレベルが、選択信号Ｔｙ（０）Ｒ、Ｔｙ（０）ＬからＴｙ（ｐ）Ｒ、Ｔｙ（ｐ）Ｌへと、順次移動する。これにより、タッチ検出のときには、表示パネル２（画素配列ＬＣＤ）の辺２−Ｕから辺２−Ｄへ向けて、順次、磁界が発生する。すなわち、タッチ検出のとき、駆動電極ＴＬ（０）に相当する領域で、強い磁界が発生し、次に隣接した駆動電極ＴＬ（１）に相当する領域で、強い磁界が発生する。以降、順次、１個の駆動電極に相当する領域で、強い磁界が発生する。これにより、表示パネル２において、タッチをスキャンすることが可能となる。
＜切換回路ＤＳＣ１＞
【０２７１】
切換回路ＤＳＣ１は、信号配線ＬＬ４、ＬＬ５、ＬＬ６と、第６スイッチｆ００〜ｆ０５と、第７スイッチｇ００〜ｇ０ｐを備えている。ここで、信号配線ＬＬ４〜ＬＬ５は、磁界発生期間ＴＧＴのとき、駆動電極間を接続する信号配線である、この実施の形態２においては、磁界発生期間ＴＧＴのとき、実質的に同時に３個のコイルを形成するため、駆動電極間を接続する信号配線として、３個の信号配線ＬＬ４〜ＬＬ６が設けられている。
【０２７２】
第６スイッチｆ００は、磁界用駆動電極ＴＬ（ｄｕ１）と信号配線ＬＬ４との間に接続され、第６スイッチｆ０１は、磁界用駆動電極ＴＬ（ｄｕ２）と信号配線ＬＬ５との間に接続され、第６スイッチｆ０３は、磁界用駆動電極ＴＬ（ｄｕ３）と信号配線ＬＬ６との間に接続されている。ここで、第６スイッチｆ００〜ｆ０２は、選択制御回路ＳＲ１−Ｒからの選択信号Ｔｙ（０）Ｒ〜Ｔｙ（２）Ｒによりスイッチ制御される。
【０２７３】
また、第６スイッチｆ０３は、磁界用駆動電極ＴＬ（ｄｄ１）と信号配線ＬＬ４との間に接続され、第６スイッチｆ０４は、磁界用駆動電極ＴＬ（ｄｄ２）と信号配線ＬＬ５との間に接続され、第６スイッチｆ０５は、磁界用駆動電極ＴＬ（ｄｄ３）と信号配線ＬＬ６との間に接続されている。ここで、第６スイッチｆ０３〜ｆ０５は、選択制御回路ＳＲ１−Ｒからの選択信号Ｔｙ（ｐ−２）Ｒ〜Ｔｙ（ｐ）Ｒによりスイッチ制御される。
【０２７４】
第７スイッチｇ００〜ｇ０ｐのそれぞれは、第６スイッチｆ００〜ｆ０５と異なり、共通端子ｃと、第１端子ｐ１と、第２端子ｐ２と、第３端子とを備えている。第７スイッチｇ００〜ｇ０ｐには、選択制御回路ＳＲ１−Ｒから選択信号Ｔｙ（０）Ｒ〜Ｔｙ（ｐ）Ｒが供給される。第６スイッチｇ００〜ｇ０ｐのそれぞれは、供給される選択信号に従って、共通端子ｃを、第１端子ｐ１、第２端子ｐ２または第３端子に接続する。第６スイッチｇ００〜ｇ０ｐのそれぞれの第３端子は、何処にも接続されておらず、フローティング状態となっている。そのため、図１１の第１スイッチａ００〜ａ０９と同様に、第３端子は、図２３および図２４では省略されている。
【０２７５】
第７スイッチｇ００〜ｇ０ｐのそれぞれの共通端子ｃは、対応する駆動電極ＴＬ（０）〜ＴＬ（ｐ）の端部に接続されている。例えば、第７スイッチｇ００は、駆動電極ＴＬ（０）に対応し、駆動電極ＴＬ（０）の端部に、第７スイッチｇ００の共通端子ｃが接続され、第７スイッチｇ０４は、駆動電極ＴＬ（ｎ）に対応し、駆動電極ＴＬ（ｎ）の端部に、第７スイッチｇ０４の共通端子ｃが接続されている。このように、第７スイッチの共通端子は、対応する駆動電極の端部に接続されている。
【０２７６】
第７スイッチｇ０１、ｇ０２、ｇ０５、ｇ０８、ｇ０ｍおよびｇ０ｏのそれぞれの第１端子ｐ１は、信号配線ＬＬ４に接続され、第７スイッチｇ０３、ｇ０６、ｇ０９、ｇ０ｎおよびｇ０ｐのそれぞれの第１端子ｐ１は、信号配線ＬＬ５に接続され、第７スイッチｇ００、ｇ０４およびｇ０７のそれぞれの第１端子ｐ１は、信号配線ＬＬ６に接続されている。
【０２７７】
また、第７スイッチｇ００、ｇ０４およびｇ０７のそれぞれの第２端子ｐ２は、信号配線ＬＬ４に接続され、第７スイッチｇ０１、ｇ０２、ｇ０５、ｇ０８、ｇ０ｍおよびｇ０ｏのそれぞれの第２端子ｐ２は、信号配線ＬＬ５に接続され、第７スイッチｇ０３、ｇ０６、ｇ０９、ｇ０ｎおよびｇ０ｐのそれぞれの第２端子ｐ２は、信号配線ＬＬ６に接続されている。
【０２７８】
磁界発生期間ＴＧＴにおいて、選択制御回路ＳＲ１−Ｒから出力される選択信号Ｔｙ（０）Ｒ〜Ｔｙ（ｐ）Ｒによって、第６スイッチｆ００〜ｆ０５および第７スイッチｇ００〜ｇ０ｐは、次のように制御される。すなわち、選択信号がハイレベルになると、このハイレベルの選択信号に対応した駆動電極から辺２−Ｕ側に隣接して配置された３個の駆動電極のそれぞれに接続された３個の第７スイッチにおいて、共通端子ｃが、第２端子ｐ２に接続される。このとき、ハイレベルの選択信号に対応した駆動電極から辺２−Ｄ側に隣接して配置された３個の駆動電極のそれぞれに接続された３個の第７スイッチにおいて、共通端子ｃが、第１端子ｐ１に接続される。このとき、これらの６個の第７スイッチを除いた第７スイッチにおいては、共通端子ｃは、第３端子に接続される。また、第６スイッチｆ００〜ｆ０５は、オフ状態にされる。
【０２７９】
選択制御回路ＳＲ１−Ｒから出力されている選択信号Ｔｙ（ｎ＋１）Ｒがハイレベルの場合を例にして説明すると次のようになる。選択信号Ｔｙ（ｎ＋１）がハイレベルになることにより、選択信号Ｔｙ（ｎ＋１）に対応する駆動電極ＴＬ（ｎ＋１）から辺２−Ｕ側に隣接して配置された駆動電極ＴＬ（ｎ）、ＴＬ（ｎ−１）、ＴＬ（ｎ−２）のそれぞれに接続された第７スイッチｇ０４、ｇ０３、ｇ０２において、共通端子ｃが、第２端子ｐ２に接続される。また、駆動電極ＴＬ（ｎ＋１）から辺２−Ｄ側に隣接して配置された駆動電極ＴＬ（ｎ＋２）、ＴＬ（ｎ＋３）、ＴＬ（ｎ＋４）のそれぞれに接続された第７スイッチｇ０６、ｇ０７、ｇ０８において、共通端子ｃが、第１端子ｐ１に接続される。このとき、第７スイッチｇ０２〜ｇ０４およびｇ０６〜ｇ０８を除いた第７スイッチ（図２３および図２４では、ｇ０５、ｇ０９〜ｇ０ｐ）においては、共通端子ｃが、第３端子に接続される。このとき、第７スイッチｆ００〜ｆ０５は、オフ状態となる。
【０２８０】
これにより、駆動電極ＴＬ（ｎ−２）の端部は、第７スイッチｇ０２を介して信号配線ＬＬ５に接続され、駆動電極ＴＬ（ｎ−１）の端部は、第７スイッチｇ０３を介して、信号配線ＬＬ６に接続され、駆動電極ＴＬ（ｎ）の端部は、第７スイッチｇ０４を介して、信号配線ＬＬ４に接続される。また、駆動電極ＴＬ（ｎ＋１）を挟んで、駆動電極ＴＬ（ｎ）〜ＴＬ（ｎ−２）の反対側に配置された駆動電極ＴＬ（ｎ＋２）の端部は、第７スイッチｇ０６を介して、信号配線ＬＬ５に接続され、駆動電極ＴＬ（ｎ＋３）の端部は、第７スイッチｇ０７を介して、信号配線ＬＬ６に接続され、駆動電極ＴＬ（ｎ＋４）の端部は、第７スイッチｇ０８を介して、信号配線ＬＬ４に接続される。
【０２８１】
その結果、信号配線ＬＬ５を介して、駆動電極ＴＬ（ｎ−２）と駆動電極ＴＬ（ｎ＋２）とが直列的に接続され、信号配線ＬＬ６を介して、駆動電極ＴＬ（ｎ−１）と駆動電極ＴＬ（ｎ＋３）とが直列的に接続され、信号配線ＬＬ４を介して、駆動電極ＴＬ（ｎ）と駆動電極ＴＬ（ｎ＋４）とが直列的に接続されることになる。これにより、それぞれ１回巻線の３個のコイルが、駆動電極を巻線として形成されることになる。この場合、３個のコイルで重なっている領域が、ハイレベルの選択信号Ｔｙ（ｎ＋１）に対応する駆動電極ＴＬ（ｎ＋１）に相当する領域となる。
【０２８２】
第６スイッチおよび第７スイッチは、選択信号Ｔｙ（３）Ｒ〜Ｔｙ（ｐ−３）Ｒのいずれかが、選択制御回路ＳＲ１−Ｒによってハイレベルにされたとき、上記したように制御され、ハイレベルの選択信号に対応する駆動電極に相当する領域において、互いに重なった３個のコイルが形成される。
【０２８３】
選択制御回路ＳＲ１−Ｒから出力される選択信号Ｔｙ（０）〜Ｔｙ（ｐ）のうち、表示パネル２の辺２−Ｕまたは辺２−Ｄに近接した駆動電極に対応する選択信号がハイレベルとなった場合、コイルを形成する駆動電極が、表示パネル２のアクティブ領域に存在しなくなる。例えば選択信号Ｔｙ（０）Ｒがハイレベルとなった場合、この選択信号Ｔｙ（０）Ｒに対応する駆動電極は、駆動電極ＴＬ（０）となる。この駆動電極ＴＬ（０）は、辺２−Ｄ側には、駆動電極ＴＬ（１）〜ＴＬ（３）が存在するが、辺２−Ｕ側には、駆動電極が存在しない。すなわち、駆動電極ＴＬ（０）に相当する領域を、内側としたコイルを形成することが困難となる。従って、磁界発生期間ＴＧＴのとき、駆動電極ＴＬ（０）に相当する領域において、強い磁界を発生することが困難となる。
【０２８４】
また、選択信号Ｔｙ（１）Ｒまたは選択信号Ｔｙ（２）Ｒがハイレベルになった場合には、駆動電極ＴＬ（１）またはＴＬ（２）に相当する領域において、互いに重なるコイルの数が減少する。そのため、磁界発生期間ＴＧＴにおいて発生する磁界が弱くなる。
【０２８５】
これに対して、実施の形態２においては、表示パネル２のアクティブ領域の外部に磁界用駆動電極を設けることにより、表示パネル２の辺２−Ｕまたは辺２−Ｄに近接した領域においても、強い磁界を発生することが可能とされている。
【０２８６】
すなわち、第６スイッチｆ００は、選択信号Ｔｙ（０）Ｒがハイレベルになったとき、オン状態となるように制御され、第６スイッチｆ０１は、選択信号Ｔｙ（０）ＲおよびＴｙ（１）Ｒのいずれかがハイレベルになったとき、オン状態となるように制御される。さらに第６スイッチｆ０２は、選択信号Ｔｙ（０）Ｒ〜Ｔｙ（２）Ｒのいずれかがハイレベルとなったとき、オン状態となるように制御される。選択信号Ｔｙ（０）Ｒ〜Ｔｙ（２）Ｒのいずれかがハイレベルとなったとき、駆動電極ＴＬ（１）〜ＴＬ（３）における共通端子ｃは、上記した選択信号Ｔｙ（ｎ−１）Ｒのときと同様に、第１端子ｐ１に接続するように制御する。
【０２８７】
これにより、磁界発生期間ＴＧＴにおいて、選択信号Ｔｙ（０）がハイレベルの場合には、第６スイッチｆ００を介して、磁界用駆動電極ＴＬ（ｄｕ１）が信号配線ＬＬ４に接続され、第６スイッチｆ０１を介して、磁界用駆動電極ＴＬ（ｄｕ２）が、信号配線ＬＬ５に接続され、第６スイッチｆ０２を介して、磁界用駆動電極ＴＬ（ｄｕ３）が、信号配線ＬＬ６に接続されることになる。このとき、駆動電極ＴＬ（１）の端部は、第７スイッチｇ０１を介して、信号配線ＬＬ４に接続される。図２３には示していないが、駆動電極ＴＬ（２）は、第７スイッチを介して、信号配線ＬＬ５に接続され、駆動電極ＴＬ（３）は、第７スイッチを介して、信号配線ＬＬ６に接続される。すなわち、駆動電極と磁界用駆動電極とを組み合わせて、３個のコイルが形成される。これにより、磁界発生期間ＴＧＴのとき、駆動電極ＴＬ（０）に相当する領域において、互い領域が重なった３個のコイルを形成することが可能となり、駆動電極ＴＬ（０）に相当する領域で、強い磁界を発生することが可能となる。
【０２８８】
また、選択信号Ｔｙ（１）Ｒがハイレベルの場合には、図示しない駆動電極ＴＬ（２）と磁界用駆動電極ＴＬ（ｄｕ２）によって１個のコイルが形成され、図示しない駆動電極ＴＬ（３）と磁界用駆動電極ＴＬ（ｄｕ３）によって１個のコイルが形成され、駆動電極ＴＬ（０）と図示しない駆動電極ＴＬ（４）によって１個のコイルが形成されることになる。さらに、選択信号Ｔｙ（２）Ｒがハイレベルの場合には、図示しない駆動電極ＴＬ（３）と磁界用駆動電極ＴＬ（ｄｕ３）によって１個のコイルが形成され、図示しない駆動電極ＴＬ（４）と駆動電極ＴＬ（０）によって１個のコイルが形成され、駆動電極ＴＬ（１）と図示しない駆動電極ＴＬ（５）によって１個のコイルが形成されることになる。
【０２８９】
これにより、表示パネル２の辺２−Ｕの近辺の領域をタッチ検出の領域として指定しても、タッチ検出を行うことが可能となる。
【０２９０】
実施の形態２では、磁界用駆動電極ＴＬ（ｄｕ１）〜ＴＬ（ｄｕ３）の幅が、互いに異なっているが、互いに同じ幅であってもよい。また、磁界用駆動電極ＴＬ（ｄｕ１）〜ＴＬ（ｄｕ３）の順に、幅が狭くなるようにしてもよい。磁界用駆動電極は、表示に影響しないため、表示パネル２の周辺（額縁）が広くなるのを抑制するために、磁界用駆動電極ＴＬ（ｄｕ１）〜ＴＬ（ｄｕ３）の幅は、駆動電極ＴＬの幅ｄ４よりも狭いことが望ましい。
【０２９１】
図２４に示すように、表示パネル２の辺２−Ｄに沿って、表示パネル２のアクティブ領域の外部に、磁界用駆動電極ＴＬ（ｄｄ１）〜ＴＬ（ｄｄ３）が配置されている。この磁界用駆動電極ＴＬ（ｄｄ１）〜ＴＬ（ｄｄ３）および第６スイッチｆ０３〜ｆ０５は、上記した磁界用駆動電極ＴＬ（ｄｕ１）〜ＴＬ（ｄｕ３）および第６スイッチｆ００〜ｆ０２と同様な動作を行う。
【０２９２】
そのため、詳細な説明は省略するが、選択信号Ｔｙ（ｐ）Ｒがハイレベルになったとき、磁界用駆動電極ＴＬ（ｄｄ１）と駆動電極ＴＬ（ｐ−１）によりコイルが形成され、磁界用駆動電極ＴＬ（ｄｄ２）と図示しない駆動電極ＴＬ（ｐ−２）によりコイルが形成され、磁界用駆動電極ＴＬ（ｄｄ３）と図示しない駆動電極ＴＬ（ｐ−３）によりコイルが形成される。また、選択信号Ｔｙ（ｐ−１）Ｒがハイレベルになったとき、磁界用駆動電極ＴＬ（ｄｄ２）と図示しない駆動電極ＴＬ（ｐ−２）によりコイルが形成され、磁界用駆動電極ＴＬ（ｄｄ３）と図示しない駆動電極ＴＬ（ｐ−３）によりコイルが形成され、駆動電極ＴＬ（ｐ）と図示しない駆動電極ＴＬ（ｐ−４）によりコイルが形成される。さらに、選択信号Ｔｙ（ｐ−２）Ｒがハイレベルになったとき、磁界用駆動電極ＴＬ（ｄｄ３）と駆動電極ＴＬ（ｐ−３）によりコイルが形成され、駆動電極ＴＬ（ｐ）と図示しない駆動電極ＴＬ（ｐ−４）によりコイルが形成され、駆動電極ＴＬ（ｐ−１）と駆動電極ＴＬ（ｐ−５）によりコイルが形成される。
【０２９３】
これにより、表示パネル２の辺２−Ｄの近辺の領域をタッチ検出の領域として指定しても、タッチ検出を行うことが可能となる。
＜選択駆動回路ＳＤＣ１＞
【０２９４】
選択駆動回路ＳＤＣ１は、電圧配線ＶＬ１と、電圧配線ＶＬ２と、信号配線ＬＬ３と、第８スイッチｈ００〜ｈ０５と、第９スイッチｉ００〜ｉ０ｐとを備えている。実施の形態１と同様に、電圧配線ＶＬ１には、表示のとき、表示駆動信号ＶＣＯＭＤＣが供給され、電圧配線ＶＬ２には、磁界発生期間ＴＧＴのとき、例えば接地電圧Ｖｓｓが供給される。また、信号配線ＬＬ３には、磁界発生期間ＴＧＴのとき、コイルクロック信号ＣＣＬＫが供給される。
【０２９５】
第８スイッチｈ００は、信号配線ＬＬ３と磁界用駆動電極ＴＬ（ｄｕ１）の端部との間に接続され、第８スイッチｈ０１は、信号配線ＬＬ３と磁界用駆動電極ＴＬ（ｄｕ２）の端部との間に接続され、第８スイッチｈ０２は、信号配線ＬＬ３と磁界用駆動電極ＴＬ（ｄｕ３）の端部との間に接続されている。また、第８スイッチｈ０３は、電圧配線ＶＬ２と磁界用駆動電極ＴＬ（ｄｄ１）の端部との間に接続され、第８スイッチｈ０４は、電圧配線ＶＬ２と磁界用駆動電極ＴＬ（ｄｄ２）の端部との間に接続され、第８スイッチｈ０５は、電圧配線ＶＬ２と磁界用駆動電極ＴＬ（ｄｄ３）の端部との間に接続されている。
【０２９６】
これらの第８スイッチｈ００〜ｈ０５のそれぞれは、選択制御回路ＳＲ１−Ｌからの選択信号Ｔｙ（０）Ｌ〜Ｔｙ（２）ＬおよびＴｙ（ｐ−２）Ｌ〜Ｔｙ（ｐ）Ｌによって制御される。すなわち、選択信号Ｔｙ（０）Ｌ〜Ｔｙ（２）ＬおよびＴｙ（ｐ−２）Ｌ〜Ｔｙ（ｐ）Ｌによって、第７スイッチｈ００〜ｈ０５は、オン状態またはオフ状態とされる。
【０２９７】
第９スイッチｉ００〜ｉ０ｐのそれぞれは、対応する駆動電極の端部に接続され共通端子ｃと、電圧配線ＶＬ１に接続された第１端子ｐ１と、信号配線ＬＬ３に接続された第２端子ｐ２と、電圧配線ＶＬ２に接続された第３端子ｐ３と、第４端子とを備えている。第９スイッチｉ００〜ｉ０ｐのそれぞれの第４端子は、何処にも接続されておらず、フローティング状態となっている。そのため、図１１に示した第２スイッチｂ００〜ｂ０９と同様に、図２３および図２４において、第４端子は省略されている。
【０２９８】
これらの第９スイッチｉ００〜ｉ０ｐも、選択制御回路ＳＲ１−Ｌからの選択信号Ｔｙ（０）Ｌ〜Ｔｙ（ｐ）Ｌによって制御される。しかしながら、第８スイッチｈ００〜ｈ０５と異なり、供給される選択信号に従って、共通端子ｃが、第１端子ｐ１、第２端子ｐ２、第３端子ｐ３および第４端子のいずれかに接続される。
【０２９９】
選択制御回路ＳＲ１−Ｌから出力される選択信号Ｔｙ（０）Ｌ〜Ｔｙ（ｐ）Ｌのそれぞれも、選択回路ＳＲ１−Ｒから出力される選択信号Ｔｙ（０）Ｒ〜Ｔｙ（ｐ）Ｒのそれぞれと同様に、駆動電極ＴＬ（０）〜ＴＬ（ｐ）と１対１に対応している。選択制御回路ＳＲ１−Ｌから出力される選択信号がハイレベルのとき、第９スイッチｉ００〜ｉ０ｐは、そのハイレベルの選択信号に対応する駆動電極に相当する領域において互いに重なっている３個のコイルに、磁界駆動信号および接地電圧Ｖｓｓを供給するように、制御される。
【０３００】
すなわち、選択信号がハイレベルになると、この選択信号に対応した駆動電極から辺２−Ｕ側に隣接して配置された３個の駆動電極のそれぞれに接続された３個の第９スイッチにおいて、共通端子ｃが、第２端子ｐ２に接続されるように制御される。このとき、選択信号に対応した駆動電極から辺２−Ｄ側に隣接して配置された３個の駆動電極のそれぞれに接続された３個の第９スイッチにおいて、共通端子ｃが、第３端子ｐ３に接続されるように制御される。また、このとき、これらの６個の第９スイッチを除いた第９スイッチにおいては、共通端子ｃは、第４端子に接続される。また、第８スイッチｈ００〜ｈ０５は、オフ状態にされる。
【０３０１】
選択制御回路ＳＲ１−Ｒと同様に、選択制御回路ＳＲ１−Ｌから出力されている選択信号Ｔｙ（ｎ＋１）Ｌがハイレベルの場合を例にして説明すると次のようになる。選択信号Ｔｙ（ｎ＋１）Ｌがハイレベルになることにより、選択信号Ｔｙ（ｎ＋１）Ｌに対応する駆動電極ＴＬ（ｎ＋１）から辺２−Ｕ側に隣接して配置された駆動電極ＴＬ（ｎ）、ＴＬ（ｎ−１）、ＴＬ（ｎ−２）のそれぞれに接続された第９スイッチｉ０４、ｉ０３、ｉ０２において、共通端子ｃが、第２端子ｐ２に接続される。また、駆動電極ＴＬ（ｎ＋１）から辺２−Ｄ側に隣接して配置された駆動電極ＴＬ（ｎ＋２）、ＴＬ（ｎ＋３）、ＴＬ（ｎ＋４）のそれぞれに接続された第９スイッチｉ０６、ｉ０７、ｉ０８において、共通端子ｃが、第３端子ｐ３に接続される。このとき、第９スイッチｉ０２〜ｉ０４およびｉ０６〜ｉ０８を除いた第９スイッチ（図２３および図２４では、ｉ０５、ｉ０９〜ｉ０ｐ）においては、共通端子ｃが、第４端子に接続される。このとき、第８スイッチｈ００〜ｈ０５は、オフ状態となる。
【０３０２】
これにより、駆動電極ＴＬ（ｎ−２）の端部は、第９スイッチｉ０２を介して信号配線ＬＬ３に接続され、駆動電極ＴＬ（ｎ−１）の端部は、第９スイッチｉ０３を介して、信号配線ＬＬ３に接続され、駆動電極ＴＬ（ｎ）の端部は、第９スイッチｉ０４を介して、信号配線ＬＬ３に接続される。また、駆動電極ＴＬ（ｎ＋１）を挟んで、駆動電極ＴＬ（ｎ）〜ＴＬ（ｎ−２）の反対側に配置された駆動電極ＴＬ（ｎ＋２）の端部は、第９スイッチｉ０６を介して、電圧配線ＶＬ２に接続され、駆動電極ＴＬ（ｎ＋３）の端部は、第９スイッチｉ０７を介して、電圧配線ＶＬ２に接続され、駆動電極ＴＬ（ｎ＋４）の端部も、第９スイッチｉ０８を介して、電圧配線ＶＬ２に接続される。
【０３０３】
このとき、上記したように、切換回路ＤＳＣ１によって、信号配線ＬＬ５を介して駆動電極ＴＬ（ｎ−２）と駆動電極ＴＬ（ｎ＋２）とが直列的に接続され、信号配線ＬＬ６を介して、駆動電極ＴＬ（ｎ−１）と駆動電極ＴＬ（ｎ＋３）とが直列的に接続され、信号配線ＬＬ４を介して、駆動電極ＴＬ（ｎ）と駆動電極ＴＬ（ｎ＋４）とが直列的に接続されている。すなわち、それぞれ１回巻線の３個のコイルが、駆動電極を巻線として形成されている。
【０３０４】
駆動電極ＴＬ（ｎ＋２）、ＴＬ（ｎ＋３）およびＴＬ（ｎ＋４）のそれぞれの端部には、第９スイッチｉ０６〜ｉ０８を介して、電圧配線ＶＬ２の接地電圧Ｖｓｓが供給される。また、駆動電極ＴＬ（ｎ−２）、ＴＬ（ｎ−１）およびＴＬ（ｎ）のそれぞれの端部には、第９スイッチｉ０２〜ｉ０４を介して、時間において並列的に、信号配線ＬＬ３のコイルクロック信号ＣＣＬＫが、磁界駆動信号として供給される。
【０３０５】
その結果、駆動電極ＴＬ（ｎ＋１）に相当する領域において、互いに領域が重なった３個のコイルに、実質的に同時に、磁界駆動信号が供給され、駆動電極ＴＬ（ｎ＋１）に相当する領域において、強い磁界が発生する。
【０３０６】
第８スイッチｈ００は、選択信号Ｔｙ（０）Ｌがハイレベルになったとき、オン状態となるように制御され、第８スイッチｈ０１は、選択信号Ｔｙ（０）ＬおよびＴｙ（１）Ｌのいずれかがハイレベルになったとき、オン状態となるように制御される。さらに第８スイッチｆ０２は、選択信号Ｔｙ（０）Ｌ〜Ｔｙ（２）Ｌのいずれかがハイレベルとなったとき、オン状態となるように制御される。一方、第９スイッチｉ０１〜ｉ０３のそれぞれは、選択信号Ｔｙ（０）Ｌ〜Ｔｙ（２）Ｌがハイレベルとなったとき、上記した選択信号Ｔｙ（ｎ＋１）Ｌのときと同様に、共通端子ｃを第３端子ｐ３に接続するように制御される。
【０３０７】
これにより、選択信号Ｔｙ（０）Ｌがハイレベルの場合には、第８スイッチｈ００を介して、磁界用駆動電極ＴＬ（ｄｕ１）が信号配線ＬＬ３に接続され、第８スイッチｈ０１を介して、磁界用駆動電極ＴＬ（ｄｕ２）が、信号配線ＬＬ３に接続され、第８スイッチｈ０２を介して、磁界用駆動電極ＴＬ（ｄｕ３）が、信号配線ＬＬ３に接続されることになる。このとき、駆動電極ＴＬ（１）の端部は、第９スイッチｉ０１を介して、電圧配線ＶＬ２に接続される。また、図２３には示していないが、駆動電極ＴＬ（２）は、第９スイッチｉ０２を介して、電圧配線ＶＬ２に接続され、駆動電極ＴＬ（３）は、第９スイッチｉ０３を介して、電圧配線ＶＬ２に接続される。これにより、駆動電極ＴＬ（１）〜ＴＬ（３）と磁界用駆動電極ＴＬ（ｄｕ１）〜ＴＬ（ｄｕ３）とを組み合わせて形成された３個のコイルのそれぞれに、磁界駆動信号と接地電圧Ｖｓｓとが実質的に同時に供給されることになる。その結果、磁界発生期間ＴＧＴのとき、駆動電極ＴＬ（０）に相当する領域において、互い領域が重なった３個のコイルを形成することが可能となり、駆動電極ＴＬ（０）に相当する領域で、強い磁界を発生することが可能となる。
【０３０８】
同様に、駆動電極ＴＬ（１）に対応する選択信号Ｔｙ（１）Ｌが、ハイレベルになった場合には、磁界用駆動電極ＴＬ（ｄｕ２）、ＴＬ（ｄｕ３）、駆動電極ＴＬ（０）および図示しない駆動電極ＴＬ（２）〜ＴＬ（４）の組合せにより形成された３個のコイルに対して、磁界駆動信号と接地電圧Ｖｓｓが供給される。この場合には、第８スイッチｈ０１、ｈ０２がオン状態となり、第９スイッチｉ００において、共通端子ｃが第２端子ｐ２に接続され、第９スイッチｉ０１、ｉ０２、ｉ０３において共通端子ｃが、第３端子ｐ３に接続されることになる。また、駆動電極ＴＬ（２）に対応する選択信号Ｔｙ（２）Ｌが、ハイレベルになった場合には、磁界用駆動電極ＴＬ（ｄｕ３）、駆動電極ＴＬ（０）、ＴＬ（１）および図示しない駆動電極の組合せにより形成された３個のコイルに対して、磁界駆動信号と接地電圧Ｖｓｓが供給されることになる。
【０３０９】
表示パネル２の辺２−Ｄ側に配置された駆動電極ＴＬ（ｐ）、ＴＬ（ｐ−１）、ＴＬ（ｐ−２）が、タッチを検出する領域として指定された場合も同様である。すなわち、駆動電極ＴＬ（ｐ）に対応する選択信号Ｔｙ（ｐ）Ｌがハイレベルとなったときには、磁界用駆動電極ＴＬ（ｄｄ１）〜ＴＬ（ｄｄ３）、駆動電極ＴＬ（ｐ−１）および図示しない駆動電極ＴＬ（ｐ−２）、ＴＬ（ｐ−３）の組合せにより形成された３個のコイルに対して、磁界駆動信号と接地電圧Ｖｓｓが供給される。この場合には、第８スイッチｈ０３〜ｈ０５がオン状態となり、駆動電極ＴＬ（ｐ−１）〜ＴＬ（ｐ−３）にそれぞれ接続された第９スイッチ（図２４では、ｉ０ｏが例示）において、共通端子ｃが、第２端子ｐ２に接続される。
【０３１０】
また、駆動電極ＴＬ（ｐ−１）に対応する選択信号Ｔｙ（ｐ−１）Ｌがハイレベルとなったときには、磁界用駆動電極ＴＬ（ｄｄ２）、ＴＬ（ｄｕ３）、駆動電極ＴＬ（ｐ）および図示しない駆動電極ＴＬ（ｐ−２）〜ＴＬ（ｐ−４）の組合せにより形成された３個のコイルに対して、磁界駆動信号と接地電圧Ｖｓｓが供給される。この場合には、第８スイッチｈ０４、ｈ０５がオン状態となり、第９スイッチｉ０ｐおよび駆動電極ＴＬ（ｐ−２）〜ＴＬ（ｐ−３）にそれぞれ接続された第９スイッチにおいて、共通端子ｃが、第２端子ｐ２に接続される。さらに、駆動電極ＴＬ（ｐ−２）に対応する選択信号Ｔｙ（ｐ−２）Ｌがハイレベルとなったときには、磁界用駆動電極ＴＬ（ｄｄ３）、駆動電極ＴＬ（ｐ）、ＴＬ（ｐ−１）および図示しない駆動電極ＴＬ（ｐ−３）〜ＴＬ（ｐ−５）の組合せにより形成された３個のコイルに対して、磁界駆動信号と接地電圧Ｖｓｓが供給されることになる。
【０３１１】
このように、第８スイッチｈ００〜ｈ０５および第９スイッチｉ００〜ｉ０ｐは、対応する選択信号Ｔｙ（０）Ｌ〜Ｔｙ（ｐ）Ｌが、選択制御回路ＳＲ１−Ｌによってハイレベルにされることにより、上記したように制御され、ハイレベルの選択信号に対応する駆動電極に相当する領域において、互いに重なった３個のコイルに、磁界駆動信号と接地電圧Ｖｓｓが、実質的に同時に供給する。
【０３１２】
選択制御回路ＳＲ１−Ｌは、例えば磁界イネーブル信号ＳＣ＿ＥＮがロウレベルのとき、第９スイッチｉ００〜ｉ０ｐのそれぞれにおいて、共通端子ｃが、第１端子ｐ１へ接続されるように制御する。表示期間のとき、磁界イネーブル信号ＳＣ＿ＥＮはロウレベルにされる。そのため、表示期間のとき、第９スイッチｉ００〜ｉ０ｐは、それぞれの駆動電極ＴＬ（０）〜ＴＬ（ｐ）を電圧配線ＶＬ１へ接続する。電圧配線ＶＬ１は、表示期間のとき、表示駆動信号ＶＣＯＭＤＣが供給されるため、表示期間のとき、それぞれの駆動電極ＴＬ（０）〜ＴＬ（ｐ）には、選択駆動回路ＳＤＣ１から表示駆動信号が供給されることになる。
【０３１３】
切換回路ＤＳＣ１にも、電圧配線ＶＬ１を設け、第７スイッチｇ００〜ｇ０ｐのそれぞれに電圧配線ＶＬ１に接続された第４端子を設け、磁界イネーブル信号ＳＣ＿ＥＮがロウレベルのとき、第７スイッチｇ００〜ｇ０ｐのそれぞれの共通端子ｃが、第４端子に接続されるようにしてもよい。このようにすることにより、表示期間のとき、駆動電極ＴＬ（０）〜ＴＬ（ｐ）には、切換回路ＤＳＣ１からも表示駆動信号が供給されるようにすることが可能となる。すなわち、表示期間のとき、駆動電極ＴＬ（０）〜ＴＬ（ｐ）の両方の端部から、表示駆動信号を供給することが可能となる。
＜タッチ検出の動作＞
【０３１４】
次に、実施の形態２に係わる液晶表示装置１におけるタッチ検出の動作を、図２５〜図２８を用いて、説明する。図２５〜図２８のそれぞれは、磁界発生期間ＴＧＴにおいて、図２３および図２４に示した選択制御回路ＳＲ１−Ｒ、ＳＲ１−Ｌにより、第６スイッチｆ００〜ｆ０５、第７スイッチｇ００〜ｇ０ｐ、第８スイッチｈ００〜ｈ０５および第９スイッチｉ００〜ｉ０ｐを制御している状態を示している。図面が複雑になるのを避けるために、図２５〜図２８には、第８スイッチｈ００〜ｈ０５および第９スイッチｉ００〜ｉ０ｐは省略されており、第９スイッチにおける共通端子ｃを第２端子ｐ２または第３端子ｐ３へ接続することにより供給される駆動電流が、Ｉ１〜Ｉ４として示されている。磁界発生期間ＴＧＴにおいて、コイルに磁界駆動信号が供給されることにより、駆動電流が流れるため、Ｉ１〜Ｉ４は、磁界駆動信号を示していると見なすこともできる。
【０３１５】
駆動電流（磁界駆動信号）Ｉ１〜Ｉ４が供給される駆動電極を除いた、駆動電極はフローティング状態となる。すなわち、磁界駆動信号Ｉ１〜Ｉ４が供給されない駆動電極に接続された第６スイッチおよび第８スイッチは、オフ状態となっている。また、磁界駆動信号Ｉ１〜Ｉ４が供給されない駆動電極に接続された第７スイッチにおいては、共通端子ｃが第３端子ｐ３に接続され、第９スイッチにおいては、共通端子ｃが第４端子に接続されている。
【０３１６】
ここでは、スキャン動作によって、駆動電極ＴＬ（ｎ＋１）に相当する領域から駆動電極ＴＬ（ｎ＋４）に相当する領域において、順次、強い磁界を発生する場合を例として説明する。他の領域におい強い磁界を発生する場合も、同様である。また、磁界用駆動電極ＴＬ（ｄｕ１）〜ＴＬ（ｄｕ３）およびＴＬ（ｄｄ１）〜ＴＬ（ｄｄ３）と駆動電極とを組み合わせて、強い磁界を発生する動作は、先に説明しているので、ここでは省略する。
【０３１７】
選択制御回路ＳＲ１−ＲおよびＳＲ１−Ｌは、表示パネル２の辺２−Ｕから辺２−Ｄに向けって、選択信号を、選択信号Ｔｙ（０）Ｒ、Ｔｙ（０）Ｌから選択信号Ｔｙ（ｐ）Ｒ、Ｔｙ（ｐ）Ｌの順にハイレベルにする。図２５〜図２８を例にすると、選択制御回路ＳＲ１−ＲおよびＳＲ１−Ｌは、タッチ検出のときであって、磁界発生期間ＴＧＴのとき、選択信号Ｔｙ（ｎ＋１）Ｒ、Ｔｙ（ｎ＋１）Ｌをハイレベルにし、次の磁界発生期間ＴＧＴのときには、選択信号Ｔｙ（ｎ＋２）Ｒ、Ｔｙ（ｎ＋２）Ｌをハイレベルにする。その後の磁界発生期間ＴＧＴのとき、選択信号Ｔｙ（ｎ＋３）Ｒ、Ｔｙ（ｎ＋３）Ｌをハイレベルにし、さらにあとの磁界発生期間ＴＧＴのとき、選択信号Ｔｙ（ｎ＋４）Ｒ、Ｔｙ（ｎ＋４）Ｌをハイレベルにする。いずれの磁界発生期間ＴＧＴにおいても、ハイレベルとなる選択信号を除いた選択信号は、ロウレベルとなる。
【０３１８】
図２５は、選択信号Ｔｙ（ｎ＋１）Ｒ、Ｔｙ（ｎ＋１）Ｌがハイレベルとなっているときの状態を示し、図２６は、選択信号Ｔｙ（ｎ＋２）Ｒ、Ｔｙ（ｎ＋２）Ｌがハイレベルとなっているときの状態を示している。同様に、図２７は、選択信号Ｔｙ（ｎ＋３）Ｒ、Ｔｙ（ｎ＋３）Ｌがハイレベルとなっているときの状態を示し、図２８は、選択信号Ｔｙ（ｎ＋４）Ｒ、Ｔｙ（ｎ＋４）Ｌがハイレベルとなっているときの状態を示している。
【０３１９】
選択信号Ｔｙ（ｎ＋１）Ｒがハイレベルとなることにより、図２３および図２４で説明したように、第７スイッチｇ０２〜ｇ０４のそれぞれにおいて、共通端子ｃは、第２端子ｐ２に接続され、第７スイッチｇ０６〜ｇ０８のそれぞれにおいて、共通端子ｃは、第１端子ｐ１に接続される。これにより、駆動電極ＴＬ（ｎ−２）とＴＬ（ｎ＋２）とが、第７スイッチｇ０２、ｇ０６を介して、信号配線ＬＬ５に接続され、駆動電極ＴＬ（ｎ−１）とＴＬ（ｎ＋３）とが、第７スイッチｇ０３、ｇ０７を介して、信号配線ＬＬ６に接続され、駆動電極ＴＬ（ｎ）とＴＬ（ｎ＋４）とが、第７スイッチｇ０３、ｇ０７を介して、信号配線ＬＬ４に接続される。その結果、駆動電極ＴＬ（ｎ−２）とＴＬ（ｎ＋２）とを巻線としたコイルＣＹ（ｎ）が形成され、駆動電極ＴＬ（ｎ−１）とＴＬ（ｎ＋３）とを巻線としたコイルＣＹ（ｎ＋１）が形成され、駆動電極ＴＬ（ｎ）とＴＬ（ｎ＋４）とを巻線としたコイルＣＹ（ｎ＋２）が形成される（図１５参照）。
【０３２０】
この場合、コイルＣＹ（ｎ）は、駆動電極ＴＬ（ｎ−１）〜ＴＬ（ｎ＋１）に相当する領域を、内側としたコイルとなり、コイルＣＹ（ｎ＋１）は、駆動電極ＴＬ（ｎ）〜ＴＬ（ｎ＋２）に相当する領域を、内側としたコイルとなり、コイルＣＹ（ｎ＋２）は、駆動電極ＴＬ（ｎ＋１）〜ＴＬ（ｎ＋３）に相当する領域を、内側としたコイルとなる。そのため、コイルＣＹ（ｎ）とコイルＣＹ（ｎ＋１）とは、駆動電極ＴＬ（ｎ）とＴＬ（ｎ＋１）に相当する領域において重なっており、コイルＣＹ（ｎ）とコイルＣＹ（ｎ＋２）とは、駆動電極ＴＬ（ｎ＋１）に相当する領域において重なっており、コイルＣＹ（ｎ＋１）とコイルＣＹ（ｎ＋２）とは、駆動電極ＴＬ（ｎ）とＴＬ（ｎ＋１）に相当する領域において重なっていることになる。また、３個のコイルＣＹ（ｎ）〜ＣＹ（ｎ＋２）が、互いに重なっている領域は、駆動電極ＴＬ（ｎ＋１）に相当する領域となる。
【０３２１】
コイルＣＹ（ｎ）〜ＣＹ（ｎ＋２）のそれぞれが形成されているとき、すなわち、磁界発生期間ＴＧＴのとき、選択信号Ｔｙ（ｎ＋１）Ｌもハイレベルとなるため、第９スイッチｉ０２〜ｉ０４のそれぞれにおいて、共通端子ｃは、第２端子ｐ２に接続され、第９スイッチｉ０６〜ｉ０８のそれぞれにおいて、共通端子ｃは、第３端子ｐ３に接続される。その結果、コイルＣＹ（ｎ）〜ＣＹ（ｎ＋２）のそれぞれの端子ＰＴＬ（ｎ−２）〜ＰＴＬ（ｎ）には、信号配線ＬＬ３からコイルクロック信号ＣＣＬＫが、磁界駆動信号Ｉ１として供給される。磁界駆動信号Ｉ１は、コイルＣＹ（ｎ）〜ＣＹ（ｎ＋２）を形成する駆動信号および信号配線を伝達し、それぞれの端子ＰＴＬ（ｎ＋２）〜ＰＴＬ（ｎ＋４）から電圧配線ＶＬ２へ伝達される。
【０３２２】
コイルクロック信号ＣＣＬＫは、周期的に変化する信号であるため、コイルＣＹ（ｎ）〜ＣＹ（ｎ＋２）のそれぞれが、磁界駆動信号Ｉ１の変化に従って変化する磁界を発生する。磁界駆動信号Ｉ１は、コイルＣＹ（ｎ）〜ＣＹ（ｎ＋２）に、実質的に同時に供給される。そのため、コイルＣＹ（ｎ）〜ＣＹ（ｎ＋２）のそれぞれの内側が重なった領域において、磁界が重畳されることになる。この場合、２個のコイルが重なった領域においては、２個のコイルによって発生した磁界が重畳することになる。特に、駆動電極ＴＬ（ｎ）に相当する領域は、３個のコイルＣＹ（ｎ）〜ＣＹ（ｎ＋２）が互いに重なった領域であるため、駆動電極ＴＬ（ｎ）に相当する領域においては、この３個のコイルが発生する磁界が重畳されることになるため、最も強い磁界が発生することになる。
【０３２３】
タッチ検出のとき、駆動電極ＴＬ（ｎ＋１）に相当する領域に、ペンがタッチしているか否かに応じて、磁界検出期間ＴＤＴのとき、図１６〜図１８において説明したように、信号線を用いて形成したコイルＣＸ（０）〜ＣＸ（ｐ）に信号の変化が生じ、センス信号として出力される。
【０３２４】
選択信号Ｔｙ（ｎ＋１）Ｒ、Ｔｙ（ｎ＋１）Ｌに続いて、選択制御回路ＳＲ１−Ｒ、ＳＲ１−Ｌは、選択信号Ｔｙ（ｎ＋２）Ｒ、Ｔｙ（ｎ＋２）Ｌをハイレベルにする。このとき、選択信号Ｔｙ（ｎ＋１）Ｒ、Ｔｙ（ｎ＋１）Ｌは、ロウレベルとなる。選択信号Ｔｙ（ｎ＋２）Ｒ、Ｔｙ（ｎ＋２）Ｌがハイレベルに変化することにより、図２６に示すように、第７スイッチｇ０３〜ｇ０５のそれぞれにおいて、共通端子ｃは、第２端子ｐ２に接続され、第７スイッチｇ０７〜ｇ０９のそれぞれにおいて、共通端子ｃは、第１端子ｐ１に接続される。その結果、駆動電極ＴＬ（ｎ−１）とＴＬ（ｎ＋３）は、信号配線ＬＬ６に接続され、駆動電極ＴＬ（ｎ）とＴＬ（ｎ＋４）は、信号配線ＬＬ４に接続され、駆動電極ＴＬ（ｎ＋１）とＴＬ（ｎ＋５）は、信号配線ＬＬ５に接続されることになる。これにより、これらの駆動電極を巻線としたコイルＣＹ（ｎ＋１）〜ＣＹ（ｎ＋３）が、実質的に同時に形成される。この場合、３個のコイルＣＹ（ｎ＋１）〜ＣＹ（ｎ＋３）が互いに重なっている領域は、駆動電極ＴＬ（ｎ＋２）に相当する領域となる。
【０３２５】
一方、選択制御信号Ｔｙ（ｎ＋２）Ｌがハイレベルとなることにより、第９スイッチｉ０３〜ｉ０５において、共通端子ｃは、第２端子ｐ２に接続され、第９スイッチｉ０７〜ｉ０９において、共通端子ｃは、第３端子ｐ３に接続される。その結果、コイルＣＹ（ｎ＋１）〜ＣＹ（ｎ＋３）の端子ＰＴＬ（ｎ−１）〜ＰＴＬ（ｎ＋１）は、信号配線ＬＬ３に接続され、コイルＣＹ（ｎ＋１）〜ＣＹ（ｎ＋３）の端子ＰＴＬ（ｎ＋３）〜ＰＴＬ（ｎ＋５）は、電圧配線ＶＬ２に接続される。これにより、磁界発生期間ＴＧＴのときには、コイルクロック信号ＣＣＬＫが、磁界駆動信号Ｉ２として、コイルＣＹ（ｎ＋１）〜ＣＹ（ｎ＋３）の端子ＰＴＬ（ｎ−１）〜ＰＴＬ（ｎ＋１）に供給され、磁界駆動信号Ｉ２は、これらのコイルを介して、電圧配線ＶＬ２へ伝達される。
【０３２６】
これにより、図２５の場合と同様に、それぞれのコイルＣＹ（ｎ＋１）〜ＣＹ（ｎ＋３）において、磁界が発生する。図２６の場合には、駆動電極ＴＬ（ｎ＋２）に相当する領域において、この３個のコイルによって発生した磁界が重畳され、最も強い磁界が発生することになる。
【０３２７】
タッチ検出のとき、駆動電極ＴＬ（ｎ＋２）に相当する領域に、ペンがタッチしているか否かに応じて、磁界検出期間ＴＤＴのとき、図１６〜図１８において説明したように、信号線を用いて形成したコイルＣＸ（０）〜ＣＸ（ｐ）に信号の変化が生じ、センス信号として出力される。
【０３２８】
選択信号Ｔｙ（ｎ＋２）Ｒ、Ｔｙ（ｎ＋２）Ｌに続いて、選択制御回路ＳＲ１−Ｒ、ＳＲ１−Ｌは、選択信号Ｔｙ（ｎ＋３）Ｒ、Ｔｙ（ｎ＋３）Ｌをハイレベルにする。このとき、選択信号Ｔｙ（ｎ＋２）Ｒ、Ｔｙ（ｎ＋２）Ｌは、ロウレベルとなる。選択信号Ｔｙ（ｎ＋３）Ｒ、Ｔｙ（ｎ＋３）Ｌがハイレベルに変化することにより、図２７に示すように、第７スイッチｇ０４〜ｇ０６のそれぞれにおいて、共通端子ｃは、第２端子ｐ２に接続され、第７スイッチｇ０８〜ｇ０１０のそれぞれにおいて、共通端子ｃは、第１端子ｐ１に接続される。その結果、駆動電極ＴＬ（ｎ）とＴＬ（ｎ＋４）は、信号配線ＬＬ４に接続され、駆動電極ＴＬ（ｎ＋１）とＴＬ（ｎ＋５）は、信号配線ＬＬ５に接続され、駆動電極ＴＬ（ｎ＋２）とＴＬ（ｎ＋６）は、信号配線ＬＬ６に接続されることになる。これにより、これらの駆動電極を巻線としたコイルＣＹ（ｎ＋２）〜ＣＹ（ｎ＋４）が、実質的に同時に形成される。この場合、３個のコイルＣＹ（ｎ＋２）〜ＣＹ（ｎ＋４）が重なっている領域は、駆動電極ＴＬ（ｎ＋３）に相当する領域となる。
【０３２９】
一方、選択制御信号Ｔｙ（ｎ＋３）Ｌがハイレベルとなることにより、第９スイッチｉ０４〜ｉ０６において、共通端子ｃは、第２端子ｐ２に接続され、第９スイッチｉ０８〜ｉ０１０において、共通端子ｃは、第３端子ｐ３に接続される。その結果、コイルＣＹ（ｎ＋２）〜ＣＹ（ｎ＋４）の端子ＰＴＬ（ｎ）〜ＰＴＬ（ｎ＋２）は、信号配線ＬＬ３に接続され、コイルＣＹ（ｎ＋２）〜ＣＹ（ｎ＋４）の端子ＰＴＬ（ｎ＋４）〜ＰＴＬ（ｎ＋６）は、電圧配線ＶＬ２に接続される。これにより、磁界発生期間ＴＧＴのときには、コイルクロック信号ＣＣＬＫが、磁界駆動信号Ｉ３として、コイルＣＹ（ｎ＋２）〜ＣＹ（ｎ＋４）の端子ＰＴＬ（ｎ）〜ＰＴＬ（ｎ＋２）に供給され、磁界駆動信号Ｉ２は、これらのコイルを介して、電圧配線ＶＬ２へ伝達される。
【０３３０】
これにより、図２５の場合と同様に、それぞれのコイルＣＹ（ｎ＋２）〜ＣＹ（ｎ＋４）において、磁界が発生する。図２７の場合には、駆動電極ＴＬ（ｎ＋３）に相当する領域において、この３個のコイルによって発生した磁界が重畳され、最も強い磁界が発生することになる。
【０３３１】
選択信号Ｔｙ（ｎ＋３）Ｒ、Ｔｙ（ｎ＋３）Ｌに続いて、選択制御回路ＳＲ１−Ｒ、ＳＲ１−Ｌは、選択信号Ｔｙ（ｎ＋４）Ｒ、Ｔｙ（ｎ＋４）Ｌをハイレベルにする。このとき、選択信号Ｔｙ（ｎ＋３）Ｒ、Ｔｙ（ｎ＋３）Ｌは、ロウレベルとなる。選択信号Ｔｙ（ｎ＋４）Ｒ、Ｔｙ（ｎ＋４）Ｌがハイレベルに変化することにより、図２８に示すように、第７スイッチｇ０５〜ｇ０７のそれぞれにおいて、共通端子ｃは、第２端子ｐ２に接続され、第７スイッチｇ０９〜ｇ０１１のそれぞれにおいて、共通端子ｃは、第１端子ｐ１に接続される。その結果、駆動電極ＴＬ（ｎ＋１）とＴＬ（ｎ＋５）は、信号配線ＬＬ５に接続され、駆動電極ＴＬ（ｎ＋２）とＴＬ（ｎ＋６）は、信号配線ＬＬ６に接続され、駆動電極ＴＬ（ｎ＋３）とＴＬ（ｎ＋７）は、信号配線ＬＬ４に接続されることになる。これにより、これらの駆動電極を巻線としたコイルＣＹ（ｎ＋３）〜ＣＹ（ｎ＋５）が、実質的同時に形成される。この場合、３個のコイルＣＹ（ｎ＋３）〜ＣＹ（ｎ＋５）が重なっている領域は、駆動電極ＴＬ（ｎ＋４）に相当する領域となる。
【０３３２】
一方、選択制御信号Ｔｙ（ｎ＋４）Ｌがハイレベルとなることにより、第９スイッチｉ０５〜ｉ０７において、共通端子ｃは、第２端子ｐ２に接続され、第９スイッチｉ０９〜ｉ０１１において、共通端子ｃは、第３端子ｐ３に接続される。その結果、コイルＣＹ（ｎ＋３）〜ＣＹ（ｎ＋５）の一方の端子は、信号配線ＬＬ３に接続され、コイルＣＹ（ｎ＋２）〜ＣＹ（ｎ＋４）の他方の端子は、電圧配線ＶＬ２に接続される。これにより、磁界発生期間ＴＧＴのときには、コイルクロック信号ＣＣＬＫが、磁界駆動信号Ｉ４として、コイルＣＹ（ｎ＋３）〜ＣＹ（ｎ＋５）の一方の端子に供給され、磁界駆動信号Ｉ２は、これらのコイルを介して、電圧配線ＶＬ２へ伝達される。
【０３３３】
これにより、図２５の場合と同様に、それぞれのコイルＣＹ（ｎ＋３）〜ＣＹ（ｎ＋５）において、磁界が発生する。図２８の場合には、駆動電極ＴＬ（ｎ＋４）に相当する領域において、この３個のコイルによって発生した磁界が重畳され、最も強い磁界が発生することになる。
【０３３４】
この実施の形態２においては、磁界発生期間ＴＧＴのとき、互いに隣接して配置された駆動電極（例えば、ＴＬ（ｎ−２）〜ＴＬ（ｎ）と、ＴＬ（ｎ＋２）〜ＴＬ（ｎ＋４））を巻線として、３個のコイル（例えばＣＹ（ｎ＋２）〜ＣＹ（ｎ））が形成される。形成された３個のコイルに、実質的に同時に磁界駆動信号（Ｉ１）が供給される。３個のコイルの内側が互いに重なった領域が、コイルの巻線となる駆動電極に挟まれた駆動電極（ＴＬ（ｎ＋１））に相当する領域となる。このコイルが重なった領域においては、３個のコイルによってそれぞれ発生した磁界が重畳されることになり、最も強い磁界となる。タッチ検出のときに、コイルが重なった領域にペンが近接していれば、強い磁界によって、ペン内コイルＬ１が誘起電圧を発生するため、ペン内容量素子Ｃに充電される電荷量を大きくすることが可能となり、検出精度の向上を図ることが可能となる。また、それぞれのコイルが、１回巻線のコイルであるため、それぞれのコイルを流れる駆動電流が小さくなることを防ぐことが可能であり、それぞれのコイルにおいて発生する磁界が弱くなるのを抑制することが可能となる。
【０３３５】
この実施の形態２においては、磁界発生期ＴＧＴのとき、１回巻線のコイルが３個形成され、互いに重なった領域において強い磁界が発生する。スキャン動作においては、表示パネル２の辺２−Ｕ側から辺２−Ｄ側へ向かって、３個のコイルがずれながら形成される。また、ずれる領域の幅は、タッチを検出する領域に対応する１個の駆動電極の幅に相当している。そのため、タッチを検出する領域が不連続となるのを防ぐことが可能となり、検出精度が低下する領域が発生するのを防ぐことが可能となる。
【０３３６】
また、表示パネル２の辺２−Ｕおよび２−Ｄに沿って、表示パネル２のアクティブ領域の外部に磁界用駆動電極を設けている。表示パネル２の辺２−Ｕおよび２−Ｄに近接した領域を、タッチ検出の領域とするとき、磁界用駆動電極を、コイルを形成する際の巻線として用いることにより、表示パネル２の辺２−Ｕおよび２−Ｄに近接した領域においても、強い磁界を発生することが可能となる。その結果、表示パネル２の辺に近接した領域において、検出精度が低下するのを防ぐことが可能となる。
【０３３７】
コイルを形成する際に巻線となる磁界用駆動電極ＴＬ（ｄｕ１）〜ＴＬ（ｄｕ３）およびＴＬ（ｄｄ１）〜ＴＬ（ｄｄ３）を、表示パネル２のアクティブ領域の外部、すなわち表示領域の外部に設ける例を説明したが、これに限定されるものではない。例えば、表示パネル２のアクティブ領域内であって、表示パネル２の辺２−Ｕおよび辺２−Ｄに沿って、１個または複数個の磁界用駆動電極を設けるようにしてもよい。この場合、磁界用駆動電極の幅を狭くすることにより、表示領域が狭くなることを低減することが可能である。
（実施の形態３）
【０３３８】
図２９は、実施の形態３に係わる液晶表示装置１の構成を示す説明図である。図２９は、タッチ検出のときの動作を示している。同図には、磁界発生期間ＴＧＴのとき、駆動電極によって形成されたコイルにより磁界を発生し、磁界検出期間ＴＤＴのとき、信号線によって形成されたコイルにより、ペンＰＮからの磁界を検出する構成が示されている。
【０３３９】
図２９の左側は、磁界発生期間ＴＧＴの状態を示しており、磁界発生期間ＴＧＴにおいて発生した磁界によって、図２９の上側に示したペンＰＮ内のコイルＬ１に誘起電圧が発生し、コイルＬ１に発生した誘起電圧によって、ペンＰＮ内の容量素子Ｃ（図示しない）が充電される。容量素子Ｃに充電された電荷によって、磁界検出期間ＴＤＴのとき、ペンＰＮ内のコイルＬ１が磁界を発生する。発生した磁界が、図２９の右側に示された信号線によって形成されたコイルによって検出される。
【０３４０】
先ず、図２９の左側に示した磁界発生期間ＴＧＴの状態を説明する。図２９の左側には、表示パネル２に配置された駆動電極ＴＬ（０）〜ＴＬ（ｐ）と、表示パネル２のアクティブ領域の外部に配置された磁界用駆動電極ＴＬ（ｄｕ１）〜ＴＬ（ｄｕ３）、ＴＬ（ｄｄ１）〜ＴＬ（ｄｄ３）と、第６スイッチｆ００〜ｆ０５と、第７スイッチｇ００〜ｇ０ｐが示されている。これらの駆動電極、磁界用駆動電極、第６スイッチおよび第７スイッチの構成は、図２３から図２８に示した構成と同じである。また、図２９の左側には、図２６と同様に、第７スイッチｇ０２〜ｇ０４において、共通端子ｃが、第２端子ｐ２に接続され、第７スイッチｇ０６〜ｇ０８において、共通端子ｃが、第１端子ｐ１に接続された状態が示されている。これにより、図２６において説明したように、コイルＣＹ（ｎ−１）〜ＣＹ（ｎ＋１）が形成される。
【０３４１】
磁界発生期間ＴＧＴのとき、形成されたコイルＣＹ（ｎ−１）〜ＣＹ（ｎ＋１）の一方の端部ＰＴＬ（ｎ−１）〜ＰＴＬ（ｎ＋１）のそれぞれには、コイルクロック信号ＣＣＬＫが、磁界駆動信号として供給され、コイルＣＹ（ｎ−１）〜ＣＹ（ｎ＋１）の他方の端部ＰＴＬ（ｎ＋３）〜ＰＴＬ（ｎ＋５）のそれぞれには、接地電圧Ｖｓｓが供給される。これにより、磁界発生期間ＴＧＴのとき、これらのコイルが、互いに重なった領域、すなわち、駆動電極ＴＬ（ｎ−２）に相当する領域において、最も強い磁界が発生する。
【０３４２】
駆動電極ＴＬ（ｎ−２）の近傍にペンＰＮが存在していることにより、ペンＰＮ内のコイルＬ１に誘起電圧が発生し、ペンＰＮ内の容量素子Ｃが充電される。
【０３４３】
次に、図２９の右側に示した構成を説明する。この実施の形態３においても、実施の形態１と同様に、磁界検出期間ＴＤＴのとき、信号線によって、複数のコイルが形成される。しかしながら、この実施の形態３においては、実施の形態１と異なり、信号線により形成されるコイルのそれぞれは、１回巻線のコイルである。
【０３４４】
また、特に制限されないが、この実施の形態３においては、表示パネル２の辺２−Ｒと２−Ｌに沿って磁界用信号線ＳＬ（ｄＲ）とＳＬ（ｄＬ）とが配置されている。すなわち、液晶表示装置１は、表示パネル２のアクティブ領域の外部であって、辺２−Ｒに沿って、信号線ＳＬ（０）〜ＳＬ（ｐ）（第１信号線）と平行するように配置された磁界用信号線ＳＬ（ｄＲ）（第２信号線）と、表示パネル２のアクティブ領域の外部であって、辺２−Ｒに沿って、信号線ＳＬ（０）〜ＳＬ（ｐ）と平行するように配置された磁界用信号線ＳＬ（ｄＬ）（第２信号線）とを備えている。この磁界用信号線ＳＬ（ｄＲ）、ＳＬ（ｄＬ）は、表示パネル２のアクティブ領域の外部であるため、表示には寄与せず、タッチ検出の際に用いられる。
【０３４５】
なお、表示パネル２を画素配列ＬＣＤに対応させた場合、磁界用信号線ＳＬ（ｄＲ）、ＳＬ（ｄＬ）は、画素配列ＬＣＤの列と平行な画素配列ＬＣＤの辺に沿って配置されていることになる。すなわち、表示パネル２の辺２−Ｒに対応する画素配列ＬＣＤの辺に沿って、磁界用信号線ＳＬ（ｄＲ）が配置され、表示パネル２の辺２−Ｌに対応する画素配列ＬＣＤの辺に沿って、磁界用信号線ＳＬ（ｄＬ）が配置されていることになる。
【０３４６】
この実施の形態３においては、表示パネル２の辺２−Ｕ側に沿って、切換調整回路ＳＣＸ−Ｕが、配置されている。図２９においては、上側が表示パネル２の辺２−Ｕ側を示しており、下側が表示パネル２の辺２−Ｄ側を示している。切換調整回路ＳＣＸ−Ｕは、第１０スイッチｊ００、ｊ０１および第１１スイッチｋ００〜ｋｐを備えている。
【０３４７】
信号線ＳＬ（０）〜ＳＬ（ｐ）は、特に制限されないが、この順番で、表示パネル２の辺２−Ｌから辺２−Ｒに向けて配置されている。この実施の形態３においては、磁界検出期間ＴＤＴのとき、間に２個の信号線を挟むように配置された信号線間が、第１１スイッチｋ００〜ｋｐによって接続されている。図２９を例にして説明すると、第１１スイッチｋ００は、信号線ＳＬ（１）の端部と信号線ＳＬ（４）の端部との間に接続され、第１１スイッチｋ０１は、信号線ＳＬ（３）の端部と信号線ＳＬ（６）の端部との間に接続されている。また、第１１スイッチｋｎ−１は、信号線ＳＬ（ｎ−２）の端部と信号線ＳＬ（ｎ＋１）の端部との間に接続され、第１１スイッチｋｎは、信号線ＳＬ（ｎ）の端部と信号線ＳＬ（ｎ＋３）の端部との間に接続され、第１１スイッチｋｎ＋１は、信号線ＳＬ（ｎ＋２）の端部と信号線ＳＬ（ｎ＋５）の端部との間に接続されている。
【０３４８】
さらに、第１１スイッチｋｐ−１は、信号線ＳＬ（ｐ−６）の端部と信号線ＳＬ（ｐ−３）の端部との間に接続され、第１１スイッチｋｐは、信号線ＳＬ（ｐ−４）の端部と信号線ＳＬ（ｐ−１）の端部との間に接続されている。
【０３４９】
第１０スイッチｊ００は、磁界用信号線ＳＬ（ｄＬ）の端部と信号線ＳＬ（２）の端部との間に接続され、第１０スイッチｊ０１は、磁界用信号線ＳＬ（ｄＲ）の端部と信号線ＳＬ（ｐ−２）の端部との間に接続されている。
【０３５０】
第１０スイッチｊ００、ｊ０１および第１１スイッチｋ００〜ｋｐのそれぞれは、磁界イネーブル信号ＳＣ＿ＥＮによってスイッチ制御される。この実施の形態３において、第１０スイッチｊ００、ｊ０１および第１１スイッチｋ００〜ｋｐは、磁界イネーブル信号ＳＣ＿ＥＮが、ハイレベルのとき、オン状態となり、ロウレベルのとき、オフ状態となる。
【０３５１】
タッチ検出のときには、磁界イネーブル信号ＳＣ＿ＥＮがハイレベルとなるため、第１０スイッチおよび第１１スイッチは、オン状態となる。その結果、タッチ検出のとき、間に２個の信号線を挟んだ信号線間が電気的に接続されることになる。図２９を例にして述べると、信号線ＳＬ（２）とＳＬ（３）を挟んで配置された信号線ＳＬ（１）とＳＬ（４）との間が、第１１スイッチｋ００によって電気的に接続される。同様に信号線ＳＬ（４）、ＳＬ（５）を挟んで配置された信号線ＳＬ（３）と信号線ＳＬ（６）との間が、第１１スイッチｋ０１によって接続され、信号線ＳＬ（ｎ−１）、ＳＬ（ｎ）を挟んで配置された信号線ＳＬ（ｎ−２）と信号線ＳＬ（ｎ＋１）との間が、第１１スイッチｋｎ−１によって接続され、信号線ＳＬ（ｎ＋１）、ＳＬ（ｎ＋２）を挟んで配置された信号線ＳＬ（ｎ）と信号線ＳＬ（ｎ＋３）との間が、第１１スイッチｋｎによって接続され、信号線ＳＬ（ｎ＋３）、ＳＬ（＋４）を挟んで配置された信号線ＳＬ（ｎ＋２）と信号線ＳＬ（ｎ＋５）との間が、第１１スイッチｋｎ＋１によって接続される。
【０３５２】
さらに、信号線ＳＬ（ｐ−５）、ＳＬ（ｐ−４）を挟んで配置された信号線ＳＬ（ｐ−６）と信号線ＳＬ（ｐ−３）との間が、第１１スイッチｋｐ−１によって接続され、信号線ＳＬ（ｐ−３）、ＳＬ（ｐ−２）を挟んで配置された信号線ＳＬ（ｐ−４）と信号線ＳＬ（ｐ−２）との間が、第１１スイッチｋｐによって接続される。
【０３５３】
この実施の形態３においては、さらに、信号線ＳＬ（０）、ＳＬ（１）を挟むように配置された磁界用信号線ＳＬ（ｄＬ）と、信号線ＳＬ（２）との間が、第１０スイッチｊ００によって接続され、信号線ＳＬ（ｐ−１）、ＳＬ（ｐ）を挟むように配置された磁界用信号線ＳＬ（ｄＲ）と、信号線ＳＬ（ｐ−２）との間が、第１０スイッチｊ０１によって接続される。
【０３５４】
これにより、図１６〜図１８を用いて説明したのと同様に、信号線ＳＬ（０）〜ＳＬ（ｐ）を巻線としたコイルを、磁界検出期間ＴＤＴの際に形成することが可能となる。さらに、実施の形態３では、表示パネル２の辺２−Ｒおよび２−Ｌの近傍にも、磁界検出期間ＴＤＴのとき、コイルを形成することが可能となる。すなわち、表示パネル２の辺２−Ｌに近接して配置されている信号線ＳＬ（０）、ＳＬ（１）を、内側としたコイルを、磁界用信号線ＳＬ（ｄＬ）と信号線ＳＬ（２）を巻線として形成することができる。同様に、表示パネル２の辺２−Ｒに近接して配置されている信号線ＳＬ（ｐ−１）、ＳＬ（ｐ）を、内側としたコイルを、磁界用信号線ＳＬ（ｄＲ）と信号線ＳＬ（ｐ−２）を巻線として形成することができる。これにより、辺２−Ｒおよび辺２−Ｌの近傍に、ペンＰＮが近接している場合も検出することが可能となる。また、この実施の形態３においても、図１６〜図１８で説明したコイルと同様に、形成されるコイルが、互いに重なっている。これにより、検出漏れを防ぐことが可能となる。
【０３５５】
磁界用信号線ＳＬ（ｄＲ）、ＳＬ（ｄＬ）の幅ｄ８、ｄ１０は、信号線ＳＬ（０）〜ＳＬ（ｐ）の幅ｄ９、ｄ１０よりも狭くされている。これにより、額縁が大きくなるのを抑制することが可能である。
【０３５６】
磁界検出期間ＴＤＴのとき、信号線により形成されたそれぞれのコイルの１対の端子のうちの、一方の端子には、接地電圧Ｖｓｓが供給され、他方の端子は、図１６で説明した第４スイッチを介して、選択制御回路ＳＲＸ−Ｄの入力端子ＸＩＯに接続される。図２９を例にして説明すると、信号線ＳＬ（ｎ−２）の端部が、図１６に示した第４スイッチｄ００を介して、入力端子ＸＩＯ（ｎ−１）に接続され、信号線ＳＬ（ｎ）の端部が、図１６に示した第４スイッチｄ０１を介して、入力端子ＸＩＯ（ｎ）に接続され、信号線ＳＬ（ｎ＋２）の端部が、図１６に示した第４スイッチｄ０２を介して、入力端子ＸＩＯ（ｎ＋１）に接続される。
【０３５７】
磁界検出期間ＴＤＴにおいて、選択制御回路ＳＲＸ−Ｄからの選択信号Ｘ−Ｏｕｔ（０）〜Ｘ−Ｏｕｔ（ｐ）によって、第４スイッチ（例えば、第４スイッチｄ０１）をオン状態とすることにより、信号線ＳＬ（ｎ）、信号線ＳＬ（ｎ＋３）によって形成されたコイルが、ペンＰＮから発生している磁界によって、誘起電圧を発生しているか否に応じた信号が入力端子ＸＩＯ（ｎ）に伝達され、センス信号として、出力される。
【０３５８】
なお、図２９では、説明のために、駆動電極と信号線とを別々に描いているが、駆動電極と信号線とは、電気的に分離された状態で重なっている。
【０３５９】
実施の形態３では、表示パネル２の両方の辺に沿って、コイルを形成する際に巻線となる磁界用信号線ＳＬ（ｄＲ）、ＳＬ（ｄＬ）を設ける例を示したが、勿論、いずれか一方に設けるようにしてもよい。また、第１０スイッチｊ００と第１１スイッチｋ００〜ｋｐは、磁界イネーブル信号ＳＣ＿ＥＮはハイレベルに変化してから、所定時間経過後に、オン状態になるようにしてもよい。このようにすることにより、タッチ検出のときであって、磁界検出期間ＴＤＴのときに、第１０スイッチおよび第１１スイッチがオン状態となるようにしてもよい。
【０３６０】
図３３は、実施の形態３に係わる液晶表示装置１の概要を模式的に示した模式図である。同図には、駆動電極ＴＬ（０）〜ＴＬ（ｐ）と、信号線ＳＬ（０）〜ＳＬ（ｐ）と、第１１スイッチｋ００〜ｋｐと、ドライブ用半導体装置ＤＤＩＣと、第１２スイッチｌ００〜ｌｐと、選択制御回路ＳＲ１−Ｒ、ＳＲ１−Ｌと、切換回路ＤＳＣと、選択駆動回路ＳＤＣが示されている。これらは、ＴＦＴガラス基板に形成されている。そのため、図３３には、モジュールに実装された液晶表示装置１が示されていると見なすこともできる。また、図３３には、コイルＬ１を備えたペンＰＮも示されている。
【０３６１】
モジュールの辺５００−Ｒに沿って、切換回路ＤＳＣおよび選択制御回路ＳＲ１−Ｒが配置され、辺５００−Ｌに沿って、選択駆動回路ＳＤＣおよび選択制御回路ＳＲ１−Ｌが配置されている。切換回路ＤＳＣと選択駆動回路ＳＤＣとの間に、信号線ＳＬ（０）〜ＳＬ（ｐ）が、互いに平行となるように配置されており、モジュールの辺５００−Ｕに沿って、第１１スイッチｋ００〜ｋｐが配置され、辺５００−Ｄに沿って、第１２スイッチｌ００〜ｌｐが配置されている。また、第１１スイッチｋ００〜ｋｐと、第１２スイッチｌ００〜ｌｐとの間に、駆動電極ＴＬ（０）〜ＴＬ（ｐ）が、互いに平行となるように配置されている。
【０３６２】
第１１スイッチｋ００〜ｋｐは、図２９で説明したように、タッチ検出のとき、信号線間を接続する。
【０３６３】
第１２スイッチｌ００〜ｌｐは、２つのグループに分けられ、第１のクループの第１２スイッチは、磁界検出期間ＴＤＴのとき接地電圧Ｖｓｓが供給されるべき信号線、例えば図２９に示した信号線ＳＬ（２）、ＳＬ（ｎ＋３）、ＳＬ（ｐ−１）等のそれぞれの端部と電圧配線ＶＬ３との間に接続され、磁界検出期間ＴＤＴのとき、オン状態にされる。また、第２グループの第１２スイッチは、磁界検出期間ＴＤＴのとき、コイルにおける信号の変化を出力する信号線、例えば、図２９に示した信号線ＳＬ（１）、ＳＬ（ｎ）、ＳＬ（ｐ−４）等の端部と、対応する信号配線ＬＬ７との間に接続されている。図３３では、例示として、信号線ＳＬ（０）の端部に接続された第１２スイッチ（第２グループ）、信号線ＳＬ（ｎ）の端部に接続された第１２スイッチ（第２グループ）、信号線ＳＬ（ｎ＋３）の端部に接続された第１２スイッチ（第１グループ）および信号線Ｌ（ｐ）の端部に接続された第１２スイッチ（第１グループ）に、符号ｌ００、ｌｎ、ｌｎ＋３およびｌｐが付されている。信号配線ＬＬ７は、１個の配線として示されているが、第２グループの第１２スイッチに対応した数の信号配線を含んでいる。磁界検出期間のとき、第２グループの第１２スイッチもオン状態とされる。これにより、それぞれのコイルに発生した信号が、対応する信号配線ＬＬ７に伝達され、増幅回路ＡＭＰによって増幅され、センス信号Ｓ（０）〜Ｓ（ｐ）として、タッチ検出用半導体装置６（図６）へ供給される。
【０３６４】
この実施の形態３においては、第１２スイッチｌ００〜ｌｐは、ＴＦＴガラス基板に形成されており、第１２スイッチｌ００〜ｌｐを覆うように、ドライブ用半導体装置ＤＤＩＣが、配置されている。これにより、額縁が広くなるのを抑制することが可能とされている。
【０３６５】
タッチ検出のとき、選択制御回路ＳＲ１−Ｒ、ＳＲ１−Ｌ、切換回路ＤＳＣおよび選択駆動回路ＳＤＣによって、駆動電極ＴＬ（ｎ−１）〜ＴＬ（ｎ＋１）、ＴＬ（ｎ＋３）〜ＴＬ（ｎ＋５）を巻線とした３個のコイルが形成され、３個のコイルのそれぞれに磁界駆動信号が供給される。これにより、図３３において矢印を付した実線Ｉで示すような駆動電流が流れる。磁界駆動信号が周期的に変化することにより、３個のコイルのそれぞれにおいて、磁界が発生する。図３３では、発生する磁界φＧの様子が、模式的に破線で示されている。なお、矢印の向きは、特に意味がなく、３個のコイルが重なっている領域（駆動電極ＴＬ（ｎ＋２）から強い磁界が発生することを示している。
【０３６６】
３個のコイルが重なっている領域の近傍にペンＰＮが存在すると、ペンＰＮ内のコイルＬ１が、相互誘導の作用により、誘起電圧を発生する。発生した誘起電圧により、ペンＰＮ内の容量素子Ｃ（図示しない）が充電される。
【０３６７】
容量素子Ｃに充電された電荷によって、ペンＰＮ内コイルＬ１が、磁界検出期間ＴＤＴのとき、磁界を発生する。このときの磁力線が、図３３では、φＤとして示されている。
【０３６８】
磁界検出期間ＴＤＴにおいては、図２９で説明したように、第１１スイッチｋ００〜ｋｐがオン状態にされる。これにより、信号線ＳＬ（０）〜ＳＬ（ｐ）を巻線とした複数のコイルが形成される。信号線を巻線としたコイルとペンＰＮ内コイルＬ１との相互誘導の作用により、信号線を巻線としたコイルに誘起電圧が発生し、信号線における信号が、第２グループの第１２スイッチへ伝達される。第２グループの第１２スイッチをオン状態にすることにより、センス信号Ｓ（０）〜Ｓ（ｐ）として、増幅回路ＡＭＰから出力される。図３３では、信号線ＳＬ（ｎ）を介して、第１２スイッチｌｎに伝達される信号が、矢印を付した実線で示されている。
【０３６９】
磁界用信号線ＳＬ（ｄＬ）、ＳＬ（ｄＲ）を、表示パネル２のアクティブ領域の外部に配置する例を説明したが、これに限定されるものではない。例えば、表示パネル２のアクティブ領域内であって、辺２−Ｌおよび２−Ｒのそれぞれに沿って、磁界用信号線ＳＬ（ｄＬ）および／または磁界用信号線ＳＬ（ｄＲ）を配置するようにしてもよい。この場合、配置する磁界用信号配線ＳＬ（ｄＬ）および／またはＳＬ（ｄＲ）の幅ｄ１０を、信号線の幅ｄ１１よりも狭くすることにより、表示領域が狭くなるのを低減することが可能である。
（実施の形態４）
【０３７０】
図３０は、実施の形態４に係わる液晶表示装置１の動作を示すタイミング図である。ここでは、実施の形態１で述べた液晶表示装置１を例として説明するが、実施の形態２および３についても、同様である。
【０３７１】
図３０において、横軸は時間を示している。図３０（Ａ）は、周期的に発生するフレーム信号Ｆを示しており、液晶表示装置は、例えば１画面分の表示を、フレーム信号Ｆによって定められた１フレーム期間Ｔｆにおいて行う。この実施の形態４においては、図６に示した制御回路Ｄ−ＣＮＴは、１フレーム期間Ｔｆにおいて、複数の表示期間と複数のタッチ検出期間とが、交互に発生するように制御する。図３０（Ｂ）〜図３０（Ｇ）は、複数のフレーム期間Ｔｆのうち、１フレーム期間Ｔｆ内でのタイミングを示している。すなわち、図３０（Ｂ）〜図３０（Ｇ）に示すタイミングが、複数のフレーム期間Ｔｆのそれぞれにおいて発生する。
【０３７２】
ここで、図３０（Ｂ）は、１フレーム期間Ｔｆにおいて発生する表示期間と、タッチ検出期間とを模式的に示している。図３０（Ｃ）は、信号線セレクタ３（図６）に供給する選択信号ＳＥＬ１、ＳＥＬ２の波形を示している。図３０（Ｄ）は、磁界イネーブル信号ＳＣ＿ＥＮの波形を示している。また、図３０（Ｅ）〜図３０（Ｆ）は、選択制御回路ＳＲ−Ｒ、ＳＲ−Ｌからの選択信号のうち、選択信号Ｔｙ（ｎ）Ｒ、Ｔｙ（ｎ）Ｌと、選択信号Ｔｙ（ｎ＋２）Ｒ、Ｔｙ（ｎ＋２）Ｌの波形を示している。図３０（Ｇ）は、駆動電極を用いて形成されるコイルおよび信号線を用いて形成されるコイルにおける信号の変化を示している。
【０３７３】
制御回路Ｄ−ＣＮＴは、図３０（Ｂ）に示すように、それぞれのフレーム期間Ｔｆにおいて、表示期間ＤＩＳＰ１（ＤＩＳＰ２）とタッチ検出期間ＳＥＮ１（ＳＥＮ２）とが、時系列的に交互に発生するように制御する。すなわち、表示期間ＤＩＳＰ１（ＤＩＳＰ２）においては、画像信号Ｓｎが信号線ドライバＤ−ＤＲＶ（図６）から信号線セレクタ３へ供給され、選択信号ＳＥＬ１、ＳＥＬ２が交互にハイレベルにされることにより、画像信号が適切な信号線に供給されるようにする。なお、図３０（Ｃ）では、選択信号ＳＥＬ１、ＳＥＬ２が変化していることを示すために、選択信号ＳＥＬ１、ＳＥＬ２を１個の波形で示している。また、表示期間ＤＩＳＰ１（ＤＩＳＰ２）においては、切換回路ＤＳＣおよび選択駆動回路ＳＤＣから、駆動電極ＴＬ（０）〜ＴＬ（ｐ）に対して、表示駆動信号が供給されるように、切換回路ＤＳＣおよび選択駆動回路ＳＤＣは、選択制御回路ＳＲ−Ｒ、ＳＲ−Ｌによって制御される。さらに、ゲートドライバ５（図６）から適切な走査信号が走査線ＧＬ（０）〜ＧＬ（ｐ）へ供給されるように、ゲートドライバ５を制御する。これにより、表示パネル２において、表示期間ＤＩＳＰ１（ＤＩＳＰ２）のとき、画像信号Ｓｎに応じた表示が行われる。
【０３７４】
図３０（Ｄ）に示すように、タッチ検出期間ＳＥＮ１（ＳＥＮ２）において、制御回路Ｄ−ＣＮＴは、磁界イネーブル信号ＳＣ＿ＥＮをハイレベルにする。これにより、選択制御回路ＳＲ−Ｒ、ＳＲ−Ｌは、例えば、選択信号Ｔｙ（０）Ｒ、Ｔｙ（０）Ｌ〜Ｔｙ（ｐ）Ｒ、Ｔｙ（ｐ）Ｌの順にハイレベルにする。図３０においては、タッチ検出期間ＳＥＮ１のとき、選択信号Ｔｙ（ｎ）Ｒ、Ｔｙ（ｎ）Ｌがハイレベルになり、次のタッチ検出期間ＳＥＮ２において、選択信号Ｔｙ（ｎ＋２）Ｒ、Ｔｙ（ｎ＋２）Ｌがハイレベルになっている状態が示されている。
【０３７５】
タッチ検出期間ＳＥＮ１（ＳＥＮ２）は、磁界を発生する磁界発生期間ＴＧＴと、磁界発生期間ＴＧＴに続く磁界検出期間ＴＤＴとを備えている。磁界発生期間ＴＧＴにおいては、駆動電極を用いてコイルが形成され、形成されたコイルにより磁界が発生する。当該コイルとペン内のコイルＬ１（図１、図２）との間の相互誘導により、コイルＬ１に誘起電圧が発生し、ペン内の容量素子Ｃ（図２）が充電される。磁界検出期間ＴＤＴにおいては、容量素子Ｃに充電された電荷量に従って、ペン内のコイルＬ１が磁界を発生する。また、磁界検出期間ＴＤＴにおいては、信号線を用いてコイルが形成される。信号線により形成されたコイルとペン内のコイルＬ１との相互誘導により、信号線により形成されたコイルに誘起電圧が発生する。この誘起電圧により流れる信号線の電流を検出することによって、ペンを検出する。
【０３７６】
制御回路Ｄ−ＣＮＴは、磁界発生期間ＴＧＴのとき、コイルクロック信号ＣＣＬＫを信号配線ＬＬ３へ供給する。また、制御回路Ｄ−ＣＮＴは、磁界検出期間ＴＤＴのとき、コイルクロック信号ＣＣＬＫの供給を停止し、端子ＳＰ（図１６）に接続されたドライブ用半導体装置ＤＤＩＣの外部端子が、ハイインピーダンス状態となるように制御し、信号線セレクタ３（図１６）が、端子ＳＰと信号線との間を接続するように、選択信号ＳＥＬ１、ＳＥＬ２によって制御する。これにより、信号線ＳＬ（０）〜ＳＬ（ｐ）を用いて、コイルを形成したとき、コイルはハイインピーダンス状態になる。
【０３７７】
選択信号Ｔｙ（ｎ）Ｒ、Ｔｙ（ｎ）Ｌが、ハイレベルとなることにより、実施の形態１で説明したように、駆動電極を巻線とした２個のコイルが形成される。形成された２個のコイルの領域は、選択信号ＴＹ（ｎ）Ｒ、Ｔｙ（ｎ）Ｌに対応した駆動電極ＴＬ（ｎ）、ＴＬ（ｎ＋１）において重なっている。磁界発生期間ＴＧＴにおいては、この２個のコイルのそれぞれに、信号線ＬＬ３が接続され、コイルクロック信号ＣＣＬＫが、磁界駆動信号として、それぞれのコイルに供給される。その結果、２個のコイルのそれぞれにおいて、磁界駆動信号に従って変化する磁界が発生し、駆動電極ＴＬ（ｎ）、ＴＬ（ｎ＋１）に相当する領域において、磁界の重畳が行われ、強い磁界が発生する（図３０では、駆動電極コイル磁界発生と記載）。
【０３７８】
磁界検出期間ＴＤＴにおいては、実施の形態１で説明したように、信号配線ＳＬ（０）〜ＳＬ（ｐ）によって、複数のコイルＣＸ（０）〜ＣＸ（ｐ）（図１８参照）が形成される。タッチ検出期間ＳＥＮ１において、ペンが駆動電極ＴＬ（ｎ）に相当する領域に近接しているか否かにより、磁界発生期間ＴＧＴのときに、ペン内の容量素子Ｃに充電されている電荷量が変わる。磁界検出期間ＴＤＴのとき、複数のコイルＣＸ（０）〜ＣＸ（ｐ）のそれぞれの電流を検出（信号線コイル電流検出）することにより、ペンが近接している領域の座標等を判定することが可能となる。
【０３７９】
次に、制御回路Ｄ−ＣＮＴは、磁界イネーブル信号ＳＣ＿ＥＮをロウレベルにして、表示動作を、表示期間ＤＩＳＰ２において行う。表示期間ＤＩＳＰ２のあとで、再び、制御回路Ｄ−ＣＮＴは、磁界イネーブル信号ＳＣ＿ＥＮをハイレベルにする。
【０３８０】
この磁界イネーブル信号ＳＣ＿ＥＮのハイレベルへの変化に同期して、選択制御回路ＳＲ−Ｒ、ＳＲ−Ｌは、選択信号Ｔｙ（ｎ＋２）Ｒ、Ｔｙ（ｎ＋２）Ｌをハイレベルへ変化させ、選択信号Ｔｙ（ｎ）Ｒ、Ｔｙ（ｎ）Ｌをロウレベルに維持する。タッチ検出期間ＳＥＮ２において、制御回路Ｄ−ＣＮＴは、磁界発生期間ＴＧＴのとき、信号配線ＬＬ３にコイルクロック信号ＣＣＬＫを供給し、磁界検出期間ＴＤＴのとき、コイルクロック信号ＣＣＬＫの供給を停止する。これにより、実施の形態１で述べたように、磁界発生期間ＴＧＴのときには、駆動電極ＴＬ（ｎ＋２）、ＴＬ（ｎ＋３）に相当する領域において強い磁界が発生するように、駆動電極ＴＬ（ｎ＋１）に相当する領域で互いに重なる２個のコイルが形成され、それぞれのコイルが、コイルクロック信号ＣＣＬＫ（磁界駆動信号）の変化に従った磁界を発生し、駆動電極ＴＬ（ｎ＋２）、ＴＬ（ｎ＋３）に相当する領域で、磁界の重畳が行われる。
【０３８１】
磁界検出期間ＴＤＴにおいては、信号線によりコイルＣＸ（０）〜ＣＸ（ｐ）が形成され、それぞれのコイルからの電流を検出することにより、ペンが近接している領域の座標等の判定を行う。
【０３８２】
以上述べたタッチ検出期間の動作を繰り返すことに、例えば表示パネル２の辺２−Ｕから辺２−Ｄへ向けて、２個分の駆動電極に相当する領域を単位として、順次、強い磁界が発生する。強い磁界が発生している領域において、ペンが近接している位置が、コイルＣＸ（０）〜ＣＸ（ｐ）からの電流により判定される。これにより、例えば、１フレーム期間Ｔｆの間に、表示パネル２の全面のタッチ検出を行うことが可能となる。
【０３８３】
磁界発生期間ＴＧＴのとき、選択駆動回路ＳＤＣは、ハイレベルの選択信号に対応した駆動電極を、信号配線ＬＬ３および電圧配線ＶＬ２に接続し、ロウレベルの選択信号に対応した駆動電極は、フローティング状態にする。例を述べると、選択信号Ｔｙ（ｎ）Ｌがハイレベルのとき、駆動電極ＴＬ（ｎ−２）、ＴＬ（ｎ−１）を信号配線ＬＬ３に接続し、駆動電極ＴＬ（ｎ＋２）、ＴＬ（ｎ＋３）を電圧配線ＶＬ２に接続する。この４個の駆動電極を除く駆動電極、すなわち駆動電極ＴＬ（０）〜ＴＬ（ｎ−３）、ＴＬ（ｎ）、ＴＬ（ｎ＋１）およびＴＬ（ｎ＋４）〜ＴＬ（ｐ）をフローティング状態にする。言い換えるならば、これらの駆動電極ＴＬ（０）〜ＴＬ（ｎ−３）、ＴＬ（ｎ）、ＴＬ（ｎ＋１）およびＴＬ（ｎ＋４）〜ＴＬ（ｐ）は、ハイインピーダンス状態となる。
【０３８４】
また、この実施の形態４においては、制御回路Ｄ−ＣＮＴから、ゲートドライバ５および信号線駆動回路Ｄ−ＤＲＶへハイインピーダンス制御信号ＨＺ−ＣＴが供給されている。制御回路Ｄ−ＣＮＴは、磁界発生期間ＴＧＴのとき、ハイインピーダンス制御信号ＨＺ−ＣＴによって、ゲートドライバ５および信号線駆動回路Ｄ−ＤＲＶのそれぞれの出力が、ハイインピーダンス状態となるように制御する。これにより、信号線ＳＬ（０）〜ＳＬ（ｐ）および走査線ＧＬ（０）〜ＧＬ（ｐ）は、磁界発生期間ＴＧＴのとき、フローティングとなり、ハイインピーダンス状態となる。その結果として、コイルを形成しない駆動電極、信号線および走査線の全てがハイインピーダンス状態となる。これにより、コイルをコイルクロック信号ＣＣＬＫで駆動するときに、充電する寄生容量を低減することが可能となり、磁界発生期間の短縮化、磁界検出の精度向上を図ることが可能となる。
（実施の形態５）
【０３８５】
実施の形態１〜４においては、磁界発生期間ＴＧＴのときに磁界を発生するコイルと、磁界検出期間ＴＤＴのときに磁界を検出するコイルとが、別々になっていた。すなわち、表示パネル２（画素配列ＬＣＤ）の行方向に平行に配置された駆動電極を用いて形成されたコイルによって、磁界発生期間ＴＧＴのときに、磁界を発生する。一方、表示パネル２（画素配列ＬＣＤ）の列方向に平行に配置された信号線を用いて形成されたコイルによって、磁界検出期間ＴＤＴのとき、磁界を検出するようにしていた。これに対して、実施の形態５においては、駆動電極によって形成されたコイルを用いて、磁界発生期間ＴＧＴのときに、磁界を発生し、磁界検出期間ＴＤＴのときも、駆動電極によって形成されたコイルを用いて、磁界を検出する。すなわち、駆動電極を用いて形成したコイルが、磁界発生と磁界検出の両方に使われる。この場合、信号線を用いて形成したコイルも、磁界発生と磁界検出の両方に使うことにより、ペンの近接した領域の座標を抽出することが可能となる。
【０３８６】
ここでは、駆動電極を用いて形成したコイルを、磁界発生と磁界検出の両方の用いる場合を説明する。
【０３８７】
図３１は、実施の形態５に係わる液晶表示装置１に用いられる磁界検出回路の一例を示す回路図である。図３１において、ＣＹ（０）〜ＣＹ（ｐ）は、タッチ検出期間において形成されるコイルを示している。また、ＳＷＣＴは、スイッチ制御信号ＳＷＣによりスイッチ制御される複数のスイッチＳＷＲＬを有するスイッチ部を示している。ここで、スイッチＳＷＲＬは、例えば図１１に示した第２スイッチｂ００〜ｂ０９に相当し、スイッチ制御信号ＳＷＣは、選択信号Ｔｙ（ｎ−２）Ｌ〜Ｔｙ（ｎ＋６）Ｌに相当する。
【０３８８】
コイルＣＹ（０）〜ＣＹ（ｐ）のそれぞれの一方の端部は、タッチ検出期間のとき、接地電圧Ｖｓｓに接続され、他方の端部は、対応するスイッチＳＷＲＬおよび信号配線ＬＬ３を介して、ノードｎ４に接続される。ノードｎ４における検出信号は、ゲイン回路に供給され、ゲイン回路によって増幅される。増幅された検出信号は、ノイズを除去するためにフィルタ回路に供給され、フィルタ回路の出力は、整流回路で整流され、積分回路へ供給される。積分回路の出力は、マイクロコントローラＭＣＵに供給される。
【０３８９】
マイクロコントローラＭＣＵは、図示しないが、アナログ／デジタル変換回路、クロック信号発生回路、プログラムを格納した不揮発性メモリ、不揮発性メモリに格納されたプログラムに従って動作する処理ユニットを有している。上記した積分回路からの出力は、マイクロコントローラＭＣＵの端子ＡＤＣを介してアナログ／デジタル変換回路に供給され、デジタル信号に変換される。変換により得られたデジタル信号は、処理ユニットによって処理され、コイルＣＹ（０）〜ＣＹ（ｐ）のいずれかにペンが近接しているか否かの判定が行われる。
【０３９０】
マイクロコントローラＭＣＵ内の処理ユニットは、プログラムに従って、制御信号を形成する。この制御信号としては、スイッチ制御信号ＳＷＣ、イネーブル信号ＥＮおよびリセット信号ｒｓｔがある。また、マイクロコントローラＭＣＵ内のクロック信号発生回路によって、周期的に電圧が変化するクロック信号ＣＬＫが発生する。このクロック信号がコイルクロック信号ＣＣＬＫとして用いられる。
【０３９１】
コイルクロック信号ＣＣＬＫは、バッファ回路ＢＦに供給される。バッファ回路ＢＦは、イネーブル信号ＥＮにより制御される。イネーブル信号ＥＮがハイレベルのとき、コイルクロック信号ＣＣＬＫを抵抗Ｒ１１を介して、ノードｎ４へ供給する。一方、イネーブル信号ＥＮがロウレベルのときには、バッファ回路ＢＦの出力はハイインピーダンス状態（Ｈｉ−Ｚ）となる。
【０３９２】
ゲイン回路は、抵抗Ｒ８〜Ｒ１０と、オペアンプＯＰ４と、直流カット用の容量素子ＣＰ３を有している。検出信号は、オペアンプＯＰ４の正相入力（＋）に供給され、オペアンプＯＰ４の反転入力（−）は、抵抗Ｒ９を介して接地電圧Ｖｓに接続され、また、抵抗Ｒ８を介して、オペアンプＯＰ４の出力に接続されている。
【０３９３】
フィルタ回路は、抵抗Ｒ４〜Ｒ７と、容量素子ＣＰ２と、オペアンプＯＰ３を有している。オペアンプＯＰ３の正相入力（＋）は、抵抗Ｒ７を介して接地電圧Ｖｓに接続され、容量素子ＣＰ２を介して、ゲイン回路からの出力信号が供給される。また、オペアンプＯＰ３の反転入力（−）は、抵抗Ｒ６を介して接地電圧Ｖｓに接続され、さらに抵抗Ｒ５を介して、オペアンプの出力に接続されている。さらに、オペアンプＯＰ３の出力は、抵抗Ｒ４を介して、フィルタ回路の入力に接続されている。
【０３９４】
整流回路は、抵抗Ｒ１〜Ｒ３と、オペアンプＯＰ２と、ダイオードＤとを有している。オペアンプの正相入力（＋）は、抵抗Ｒ３を介して接地電圧Ｖｓに接続され、オペアンプＯＰ２の反転入力（−）は、抵抗Ｒ２を介して、フィルタ回路からの出力が供給され。さらに、整流回路の出力が抵抗Ｒ１を介して供給されている。オペアンプＯＰ２の出力はダイオードＤを介して出力される。
【０３９５】
積分回路は、容量素子ＣＰ１と、リセット信号ｒｓｔをスイッチ制御信号として受けるスイッチＳＷ１３と、オペアンプＯＰ１とを有している。オペアンプの正相入力（＋）は、接地電圧Ｖｓに接続され、反転入力（−）は、容量素子ＣＰ１を介して、積分回路の出力に接続されている。また、積分回路の出力と入力との間にスイッチＳＷ１３が接続されている。
【０３９６】
図３２は、図３１に示した磁界検出回路の動作を示す波形図である。図３２において、横軸は時間を示し、縦軸は電圧を示している。図３２（Ａ）は、コイルクロック信号ＣＣＬＫの波形を示し、図３２（Ｂ）は、スイッチ制御信号ＳＷＣの波形を示し、図３２（Ｃ）は、イネーブル信号ＥＮの波形を示している。また、図３２（Ｄ）は、リセット信号ｒｓｔの波形を示しており、図３２（Ｅ）は、ゲイン回路の出力波形ＯＵＴ１を示しており、図３２（Ｆ）は、積分回路の出力ＯＵＴ２の波形を示している。なお、図３２には、タッチ検出の動作が示されており、表示期間の動作は、省略されている。
【０３９７】
先ず、時刻ｔ０において、リセット信号ｒｓｔがロウレベルとなることにより、リセットが解除される。このとき、マイクロコントローラＭＣＵは、イネーブル信号ＥＮをハイレベルにする。これにより、コイルクロック信号ＣＣＬＫは、抵抗Ｒ１１を介しバッファ回路ＢＦから、ノードｎ４へ供給される。このとき、マイクロコントローラＭＣＵは、例えば、コイルＣＹ（ｎ−２）、ＣＹ（ｎ−１）に対応するスイッチＳＷＲＬをオン状態にするようなスイッチ制御信号ＳＷＣを出力する。ここで、スイッチＳＷＲＬのオン状態／オフ状態と図１１に示した第２スイッチとの対応を述べておくと、次のようになる。すなわち、スイッチＳＷＲＬのオン状態とは、図１１に示した第２スイッチｂ００、ｂ０１、ｂ０４およびｂ０５を例にすると、第２スイッチｂ００、ｂ０１のそれぞれにおける共通端子ｃが、第２端子ｐ２に接続され、第２スイッチｂ０４、ｂ０５のそれぞれにおける共通端子ｃが、第３端子ｐ３に接続されている状態を意味している。一方、スイッチＳＷＲＬのオフ状態とは、第２スイッチｂ００、ｂ０１、ｂ０４およびｂ０５のそれぞれにおける共通端子ｃが、第４端子に接続されている状態を示している。
【０３９８】
コイルＣＹ（ｎ−２）、ＣＹ（ｎ−１）に対応するスイッチＳＷＲＬ（図１１の第２スイッチｂ００、ｂ０１、ｂ０４、ｂ０５）がオン状態となることにより、ノードｎ４に供給されたコイルクロック信号ＣＣＬＫは、磁界駆動信号として、コイルＣＹ（ｎ−２）、ＣＹ（ｎ−１）のそれぞれの端部に供給される。
【０３９９】
ノードｎ４に供給されたコイルクロック信号ＣＣＬＫは、ゲイン回路にも供給される。ゲイン回路の出力ＯＵＴ１は、コイルクロック信号ＣＣＬＫの電圧変化に従って変化するため、図３２（Ｅ）に示すように変化する。増幅回路の出力ＯＵＴ１は、フィルタ回路を介して整流回路に供給され、整流された出力が積分回路に供給される。時刻ｔ０から時刻ｔ１においては、ノードｎ４の電圧は、周期的に変化しているが、包絡線的には、変化がないため、積分回路の出力は一定の値となる。
【０４００】
時刻ｔ１において、マイクロコントローラＭＣＵは、イネーブル信号ＥＮをロウレベルにする。これにより、ノードｎ４はハイインピーダンス状態（Ｈｉ−Ｚ）となる。また、時刻ｔ１において、例えばコイルＣＹ（ｎ−２）、ＣＹ（ｎ−１）に対応するスイッチＳＷＲＬ（ｂ００、ｂ０１、ｂ０４、ｂ０５）をオン状態に維持し、残りのスイッチＳＷＲＬ（ｂ０２、ｂ０３、ｂ０６〜ｂ０９）をオフ状態にするようなスイッチ制御信号ＳＷＣを、マイクロコントローラＭＣＵは形成する。これにより、コイルＣＹ（ｎ−２）、ＣＹ（ｎ−１）のそれぞれの端部は、ノードｎ４に接続された状態が維持され、他のコイルは、ノードｎ４から分離された状態が維持される。図３２の例では、時刻ｔ０から時刻ｔ２の間では、ペンが、コイルＣＹ（ｎ−２）とＣＹ（ｎ−１）が重なった領域に近接していないため、ペンから、コイルＣＹ（ｎ−２）、ＣＹ（ｎ−１）へ磁界エネルギーが与えられない。そのため、積分回路の出力ＯＵＴ２は変化しない。
【０４０１】
時刻ｔ２に移る前に、マイクロコントローラＭＣＵは、リセット信号ｒｓｔを、いったんハイレベルにするとともに、スイッチ制御信号ＳＷＣを全てロウレベルにする。これにより、リセットを行った後、再び、リセット信号ｒｓｔをロウレベルにして、リセットを解除する。時刻ｔ２からｔ３は、時刻ｔ０からｔ１と同じである。
【０４０２】
時刻ｔ３において、マイクロコントローラＭＣＵは、例えばコイルＣＹ（ｎ）、ＣＹ（ｎ＋１）に対応するスイッチＳＷＲＬ（ｂ０２、ｂ０３、ｂ０６、ｂ０７）をオン状態に維持し、残りのコイルに対応するスイッチＳＷＲＬをオフ状態にするようなスイッチ制御信号ＳＷＣを形成する。なお、図３２（Ｂ）において、時刻ｔ０から時刻ｔ２の間は、コイルＣＹ（ｎ−２）、ＣＹ（ｎ−１）に対応するスイッチＳＷＲＬに供給されるスイッチ制御信号ＳＷＣの波形を示しており、時刻ｔ２から時刻ｔ４の間は、コイルＣＹ（ｎ）、ＣＹ（ｎ＋１）に対応するスイッチＳＷＲＬに供給されるスイッチ制御信号ＳＷＣの波形を示している。
【０４０３】
また、時刻ｔ３において、マイクロコントローラＭＣＵは、イネーブル信号ＥＮをロウレベルにする。これにより、ノードｎ４は、ハイインピーダンス状態となる。このとき、コイルＣＹ（ｎ）、ＣＹ（ｎ＋１）が重なった領域の近傍にペンが有るため、時刻ｔ２からｔ３の間で、コイルＣＹ（ｎ）、ＣＹ（ｎ＋１）が重なった領域において発生する磁界により、コイルＣＹ（ｎ）、ＣＹ（ｎ＋１）に誘起電圧が発生し、容量素子Ｃ（図２）が充電される。
【０４０４】
時刻ｔ３において、ペン内のコイルＬ１は、容量素子Ｃに充電された電荷量に基づいて磁界を発生する。コイルＬ１が発生する磁界の変化によって、コイルＣＹ（ｎ）、ＣＹ（ｎ＋１）に誘起電圧が発生する。
【０４０５】
その結果、ゲイン回路の出力ＯＵＴ１は、図３２（Ｅ）に示すように、振動しながら、減衰する。すなわち、電圧は、包絡線的には、減衰する。ゲイン回路の出力ＯＵＴ１が、時刻ｔ３から、振動しながら、減衰するため、積分回路の出力ＯＵＴ２は、徐々に上昇する。マイクロコントローラＭＣＵは、この積分回路の出力ＯＵＴ２をデジタル信号へ変換することにより、ペンが有ると判定する。このとき、マイクロコントローラＭＣＵは。コイルＣＹ（０）〜ＣＹ（ｐ）のうち、スイッチ制御信号ＳＷＣをハイレベルにして、選択したコイルの位置を把握することが可能であるため、変換によって得たデジタル信号の値と、把握したコイルの位置から、ペンが有る位置、すなわちタッチした位置と、ペンの筆圧等を判定することができる。
【０４０６】
以上の動作を繰り返すことにより、ペンの有無と、筆圧等を判定することができる。コイルＣＹ（０）〜ＣＹ（ｐ）を例にして説明したが、コイルＣＸ（０）〜ＣＸ（ｐ）についても同様の動作を行うことができる。このときのコイルＣＸ（０）〜ＣＸ（ｐ）のそれぞれは、例えば信号線によって形成する。図１５には、信号線ＳＬ（ｎ−２）〜ＳＬ（ｎ＋７）によって形成されたコイルＣＸ（ｎ）〜ＣＸ（ｎ＋５）の例が、平面図として示されている。また、コイルＣＹ（０）〜ＣＹ（ｐ）とコイルＣＸ（０）〜ＣＸ（ｐ）のそれぞれに対して、図３１および図３２で説明した磁界発生と磁界検出を行うことにより、ペンが近接している領域の座標を抽出することが可能となる。
【０４０７】
実施の形態５において、ゲイン回路の抵抗Ｒ９は、リセット信号ｒｓｔによりスイッチ制御されるスイッチを介して、接地電圧Ｖｓに接続するようにしてもよい。このようにすることにより、消費電力の低減を図ることが可能となる。また、抵抗Ｒ１１は、クロック信号ＣＬＫが供給されたときの電流を制限するために設けられている。そのため、コイルの抵抗が比較的高い場合には、設けなくてもよい。
【０４０８】
上記した複数の実施の形態においては、表示期間において、表示駆動信号が供給される駆動電極が、複数の駆動電極ＴＬ（０）〜ＴＬ（ｐ）によって構成されている。これらの駆動電極を巻線として用いて、タッチ検出の際には、コイルが形成される。また、表示期間のとき、画像信号を伝達する信号線ＳＬ（０）〜ＳＬ（ｐ）を用いて、タッチ検出の際には、コイルが形成される。ここで、信号線ＳＬ（０）〜ＳＬ（ｐ）は、図９に示したように、駆動電極ＴＬ（０）〜ＴＬ（ｐ）を形成する第３配線層６０５よりも下層の第２配線層６０３に形成された配線により構成される。そのため、駆動電極が１個の電極によって構成されていると、磁界検出期間ＴＤＴのとき、ペン内コイルＬ１によって発生した磁界によって駆動電極に渦電流が発生することになる。そのため、ペン内コイルＬ１によって発生した磁界が、渦電流の発生により、消費され、信号線により形成されたコイルへ到達する磁界が弱くなることが考えられる。
【０４０９】
これに対して、駆動電極を、複数の駆動電極で構成すれば、渦電流の発生する領域を狭くすることが可能となり、駆動電極により、磁界が弱くなるのを低減するこが可能となる。複数の駆動電極により、駆動電極を構成すると、それぞれの駆動電極のインピーダンスが上昇するが、実施の形態で述べたように、補助電極を駆動電極に接続させて、補助電極もコイルの配線として用いることにより、コイルを形成したときの駆動電極（補助電極を含む）のインピーダンスを低減することが可能である。さらに、実施の形態においては、コイルの巻数を少なくすることにより、コイルの長さを短くすることにより、インピーダンスの低減を図っている。また、複数のコイルが重なっている領域において、磁界が重畳されるようにすることにより、発生する磁界が強くなるようにされている。
【０４１０】
上記した複数の実施の形態においては、磁界を発生するコイルの例として、１回巻線のコイルを説明したが、これに限定されるものではない。例えば、実質的に同時に磁界を発生する複数のコイルのそれぞれは、１．５回巻線であっても、２回巻線以上のコイルであってもよい。
【０４１１】
また、図１１、図２３および図２４において説明した信号配線および電圧配線の数も、限定されるものではない。例えば、他の信号配線あるいは電圧配線と兼用してもよい。
【０４１２】
実施の形態においては、選択制御回路ＳＲ−Ｒ、ＳＲ−Ｌ、ＳＲ１−Ｒ、ＳＲ１−Ｌ、切換回路ＤＳＣおよび選択駆動回路ＳＤＣを、ＴＦＴガラス基板に設けた例を説明したが、ＴＦＴガラス基板に設けなくてもよい。例えば、図７に示したフレキシブルケーブルＦＢ１、ＦＢ２に、これらの回路または一部の回路を設けるようにしてもよい。しかしながら、ＴＦＴガラス基板に設けるようにすることにより、端子数が増加するのを抑制することが可能である。
【０４１３】
さらに、実施の形態では、互いに隣接して配置された駆動電極を用いて、複数のコイルを形成する例を説明したが、これに限定されるものではない。例えば、離間した複数の駆動電極を用いて、複数のコイルを形成してもよい。この場合、形成したコイルの領域が重なっていれば、重なった領域において、磁界が重畳されるため、強い磁界を発生することが可能となる。
【０４１４】
駆動電極あるいは信号線を巻線としたコイルによって、磁界を発生する例を説明したが、勿論、磁界を発生するコイルの巻線としては、駆動電極あるいは信号線に限定されず、走査線等の信号配線であってもよい。
【０４１５】
複数のコイルに実質的に同時に磁界駆動信号を供給することにより、これらのコイルが重なっている領域において強い磁界を発生する例を説明した。磁界を検出するためのコイルとしても、同様に複数のコイルを用いることが可能である。しかしながら、強い磁界を発生し、ペンＰＮに蓄積される電荷量を増大することが、検出精度の向上に図るためにより有効である。
【０４１６】
実施の形態では、電磁誘導方式を用いて、ペンのタッチを検出することを述べた。例えば、指のタッチを検出するには、電磁誘導方式とは異なる静電容量方式を用いることが知られている。実施の形態で述べた構成に、静電容量方式のタッチ検出機能を付加するようにしてもよい。この場合、例えば駆動電極と直交するように検出電極を配置し、指のタッチを検出する際には、駆動電極に電界駆動信号を供給する。指がタッチしている否かによって、検出電極における信号の変化が変わるため、この変化を検出することにより、指のタッチを検出することが可能である。この場合、駆動電極には、表示駆動信号、磁界駆動信号または電界駆動信号が供給されることになる。
【０４１７】
本発明の思想の範疇において、当業者であれば、各種の変形例及び修正例に想到し得るものであり、それら変形例及び修正例についても本発明の範囲に属するものと了解される。
【０４１８】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０４１９】
例えば、実施の形態においては、共通電極ＴＬ（０）〜ＴＬ（ｐ）および信号線ＳＬ（０）〜ＳＬ（ｐ）は、列方向に延在し、行方向に配置されている場合を説明したが、行方向および列方向は、見る視点により変化する。見る視点を変えて、共通電極ＴＬ（０）〜ＴＬ（ｐ）および信号線ＳＬ（０）〜ＳＬ（ｐ）が、行方向に延在し、列方向に配置されている場合も本発明の範囲に含まれるものである。また、本明細書で用いている「平行」とは、互いに一端から他端に亘るまで交わることなく延在することを意味する。そのため、一方の線の一部又は全部が他方の線に対して傾いた状態で設けられていたとしても、これらの線が一端から他端まで交わるものでなければ、本明細書においては、この状態も「平行」であるとする。
【符号の説明】
【０４２０】
１  タッチ機能付き液晶表示装置
２  表示パネル
３  信号線セレクタ
４  表示制御装置
５  ゲートドライバ
６  タッチ制御装置
ＴＬ（０）〜ＴＬ（ｐ）  駆動電極
ＴＬ（ｄｕ１）〜ＴＬ（ｄｕ３）、ＴＬ（ｄｄ１）〜ＴＬ（ｄｄ３）  磁界用駆動電極
ＧＬ（０）〜ＧＬ（ｐ）  走査線
ＳＬ（０）〜ＳＬ（ｐ）  信号線
ＳＬ（ｄＲ）、ＳＬ（ｄＬ）  磁界用信号線
ＳＲ−Ｒ、ＳＲ−Ｌ、ＳＲ１−Ｒ、ＳＲ１−Ｌ、ＳＲＸ−Ｄ  選択制御回路
ＳＤＣ  選択駆動回路
ＤＳＣ  切換回路
ＣＸ（０）〜ＣＸ（ｐ）、ＣＹ（０）〜ＣＹ（ｐ）  コイル
ＳＣＸ−Ｕ、ＳＣＸ−Ｄ  切換調整回路
ＳＣ＿ＥＮ  磁界イネーブル信号
Ｔｙ（ｎ−２）Ｒ、Ｔｙ（ｎ）Ｒ、Ｔｙ（ｎ＋２）Ｒ、Ｔｙ（ｎ＋４）Ｒ、Ｔｙ（ｎ＋６）Ｒ、Ｔｙ（ｎ−２）Ｌ、Ｔｙ（ｎ）Ｌ、Ｔｙ（ｎ＋２）Ｌ、Ｔｙ（ｎ＋４）Ｌ、Ｔｙ（ｎ＋６）Ｌ  選択信号
ＰＮ  ペン
【図１】
0006502178.tif 000002
【図２】
0006502178.tif 000003
【図３】
0006502178.tif 000004
【図４】
0006502178.tif 000005
【図５】
0006502178.tif 000006
【図６】
0006502178.tif 000007
【図７】
0006502178.tif 000008
【図８】
0006502178.tif 000009
【図９】
0006502178.tif 000010
【図１０】
0006502178.tif 000011
【図１１】
0006502178.tif 000012
【図１２】
0006502178.tif 000013
【図１３】
0006502178.tif 000014
【図１４】
0006502178.tif 000015
【図１５】
0006502178.tif 000016
【図１６】
0006502178.tif 000017
【図１７】
0006502178.tif 000018
【図１８】
0006502178.tif 000019
【図１９】
0006502178.tif 000020
【図２０】
0006502178.tif 000021
【図２１】
0006502178.tif 000022
【図２２】
0006502178.tif 000023
【図２３】
0006502178.tif 000024
【図２４】
0006502178.tif 000025
【図２５】
0006502178.tif 000026
【図２６】
0006502178.tif 000027
【図２７】
0006502178.tif 000028
【図２８】
0006502178.tif 000029
【図２９】
0006502178.tif 000030
【図３０】
0006502178.tif 000031
【図３１】
0006502178.tif 000032
【図３２】
0006502178.tif 000033
【図３３】
0006502178.tif 000034
【図３４】
0006502178.tif 000035
【図３５】
0006502178.tif 000036
【図３６】
0006502178.tif 000037